(57)【要約】      （修正有）【課題】ＬＴＥ−Ｕ動作のための制御フローの改善のためのシステム、方法、および装置を提供する。【解決手段】共有周波数スペクトル帯域上での基地局からの送信において複数のセルを識別する。ここで、この送信は共有周波数チャネルのためのリッスンビフォートーク（ＬＢＴ）プロシージャに従う。送信のサブフレームの第１の最初に送信されるセットのための第１のスケジューリング構成は、複数のセルのそれぞれのセルのための個別許可（individual grants）を搬送するために構成される１つまたは複数の探索空間を備える。サブフレームの第１のセット６２０に後続する送信のサブフレームの第２のセット６３５のための第２のスケジューリング構成を識別し、第２のスケジューリング構成が複数のセルのためのジョイント許可と関連付けられる少なくとも１つのセルの少なくとも１つの探索空間を備える。【選択図】図６
2019036968.tif 000002
【特許請求の範囲】
【請求項１】
ユーザ機器（ＵＥ）におけるワイヤレス通信のための方法であって、
共有周波数スペクトル帯域の中のセカンダリセルを使用する通信のための構成を識別すること、ここにおいて、前記セカンダリセルを介した送信は、共有周波数チャネルのためのリッスンビフォートーク（ＬＢＴ）プロシージャに従う、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を備える、方法。
【請求項２】
前記クロスサブフレームインジケータは、前記共有周波数スペクトル帯域の異なるセカンダリセルを通じて受信される、
請求項１に記載の方法。
【請求項３】
前記クロスサブフレームインジケータは、専用周波数スペクトル帯域において動作する免許セルを通じて受信される、
請求項１に記載の方法。
【請求項４】
前記クロスサブフレームインジケータは、前記免許セルのダウンリンク制御チャネルを介して受信されるダウンリンク制御情報（ＤＣＩ）フォーマットのフィールドを備える、
請求項３に記載の方法。
【請求項５】
前記クロスサブフレームインジケータは、インジケータチャネルにおいて前記セカンダリセルを通じて、または、前記セカンダリセルのダウンリンク制御チャネルを介して受信されるダウンリンク制御情報（ＤＣＩ）フォーマットのフィールドを通じて受信される、
請求項１に記載の方法。
【請求項６】
専用周波数スペクトル帯域において動作する免許セルに対して同期していないシンボルタイミングを前記少なくとも１つのサブフレームが有すると識別することと、
前記送信と関連付けられる検出されたシンボルプリアンブルに基づいて、少なくとも１つの基準信号のための前記少なくとも１つのサブフレーム内の１つまたは複数のシンボル位置を決定することとをさらに備える、
請求項１に記載の方法。
【請求項７】
ユーザ機器（ＵＥ）におけるワイヤレス通信のための装置であって、
共有周波数スペクトル帯域の中のセカンダリセルを使用する通信のための構成を識別するための手段、ここにおいて、前記セカンダリセルを介した送信は、共有周波数チャネルのためのリッスンビフォートーク（ＬＢＴ）プロシージャに従う、と、
複数のサブフレームを備える前記セカンダリセルからの送信を識別するための手段と、
クロスサブフレームインジケータに少なくとも一部基づいて、前記送信の少なくとも１つのサブフレームのための基準信号構成を決定するための手段と
を備える、装置。
【請求項８】
前記決定するための手段は、少なくとも１つの基準信号構成と関連付けられる最初に送信されるサブフレームのセットを識別する、
請求項７に記載の装置。
【請求項９】
前記クロスサブフレームインジケータは、前記共有周波数スペクトル帯域の異なるセカンダリセルを通じて受信される、
請求項７に記載の装置。
【請求項１０】
専用周波数スペクトル帯域において動作する免許セルに対して同期していないシンボルタイミングを前記少なくとも１つのサブフレームが有すると識別するための手段と、
前記送信と関連付けられる検出されたシンボルプリアンブルに少なくとも一部基づいて、少なくとも１つの基準信号のための前記少なくとも１つのサブフレーム内の１つまたは複数のシンボル位置を決定するための手段とをさらに備える、
請求項７に記載の装置。
【請求項１１】
ユーザ機器（ＵＥ）におけるワイヤレス通信のための装置であって、
プロセッサと、
前記プロセッサと電気的に通信しているメモリと、
前記メモリに記憶された命令と
を備え、前記命令は、前記プロセッサによって実行されると、前記装置に、
共有周波数スペクトル帯域の中のセカンダリセルを使用する通信のための構成を識別すること、ここにおいて、前記セカンダリセルを介した送信が、共有周波数チャネルのためのリッスンビフォートーク（ＬＢＴ）プロシージャに従う、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を行わせるように動作可能である、装置。
【請求項１２】
前記クロスサブフレームインジケータは、前記共有周波数スペクトル帯域の異なるセカンダリセルを通じて受信される、
請求項１１に記載の装置。
【請求項１３】
前記命令は、前記プロセッサによって実行されると、前記装置に、
専用周波数スペクトル帯域において動作する免許セルに対して同期していないシンボルタイミングを前記少なくとも１つのサブフレームが有すると識別することと、
前記送信と関連付けられる検出されたシンボルプリアンブルに少なくとも一部基づいて、少なくとも１つの基準信号のための前記少なくとも１つのサブフレーム内の１つまたは複数のシンボル位置を決定することと
を行なわせるように動作可能である、請求項１１に記載の装置。
【請求項１４】
ユーザ機器（ＵＥ）におけるワイヤレス通信のためのコードを記憶する非一時的コンピュータ可読媒体であって、前記コードは、
共有周波数スペクトル帯域の中のセカンダリセルを使用する通信のための構成を識別すること、ここにおいて、前記セカンダリセルを介した送信は、共有周波数チャネルのためのリッスンビフォートーク（ＬＢＴ）プロシージャに従う、と、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を行うように実行可能な命令を備える、非一時的コンピュータ可読媒体。
【請求項１５】
ユーザ機器（ＵＥ）におけるワイヤレス通信のための方法であって、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を備える、方法。
【請求項１６】
前記送信のために成功裏に予約された、関連する周波数チャネルを有する前記複数のセルのサブセットを決定することをさらに備える、
請求項１５に記載の方法。
【請求項１７】
ＵＥ固有識別子に少なくとも一部基づいて、前記複数のセルの前記サブセットから前記少なくとも１つのセルを決定することをさらに備える、
請求項１６に記載の方法。
【請求項１８】
前記少なくとも１つのセルは、専用周波数スペクトル帯域において動作する免許セルを備える、
請求項１５に記載の方法。
【請求項１９】
ユーザ機器（ＵＥ）におけるワイヤレス通信のための装置であって、
共有周波数スペクトル帯域上での基地局からの送信において複数のセルを識別するための手段、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別するための手段、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別するための手段、前記第２のスケジューリング構成は、前記複数のセルのためのジョイント許可と関連付けられる少なくとも１つのセルの少なくとも１つの探索空間を備える、と
を備える、装置。
【請求項２０】
前記送信のために成功裏に予約された、関連する周波数チャネルを有する前記複数のセルのサブセットを決定するための手段をさらに備える、
請求項１９に記載の装置。
【請求項２１】
ＵＥ固有識別子に少なくとも一部基づいて、前記複数のセルの前記サブセットから前記少なくとも１つのセルを決定するための手段をさらに備える、
請求項２０に記載の装置。
【請求項２２】
ユーザ機器（ＵＥ）におけるワイヤレス通信のための装置であって、
プロセッサと、
前記プロセッサと電気的に通信しているメモリと、
前記メモリに記憶された命令と
を備え、前記命令は、前記プロセッサによって実行されると、前記装置に、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を行わせるように動作可能である、装置。
【請求項２３】
前記命令は、前記プロセッサによって実行されると、前記装置に、
前記送信のために成功裏に予約された、関連する周波数チャネルを有する前記複数のセルのサブセットを決定することを行わせるように動作可能である、
請求項２２に記載の装置。
【請求項２４】
前記命令は、前記プロセッサによって実行されると、前記装置に、
ＵＥ固有識別子に少なくとも一部基づいて、前記複数のセルの前記サブセットから前記少なくとも１つのセルを決定することを行わせるように動作可能である、
請求項２３に記載の装置。
【請求項２５】
ユーザ機器（ＵＥ）におけるワイヤレス通信のためのコードを記憶する非一時的コンピュータ可読媒体であって、前記コードは、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別し、前記第１のスケジューリング構成が、前記複数のセルのそれぞれのセルのための個別許可を搬送するために構成されるセルの第１のセットの１つまたは複数の探索空間を備える、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を行うように実行可能な命令を備える、非一時的コンピュータ可読媒体。
【発明の詳細な説明】
【相互参照】
【０００１】
[0001]本特許出願は、各々が本出願の譲受人に譲渡された、２０１６年５月９日に出願された「Ｃｏｎｔｒｏｌ  Ｆｌｏｗ  Ｅｎｈａｎｃｅｍｅｎｔｓ  ｆｏｒ  ＬＴＥ−Ｕｎｌｉｃｅｎｓｅｄ」と題されるＹｅｒｒａｍａｌｌｉらによる米国特許出願第１５／１４９，７５２号、および２０１５年５月２２日に出願された「Ｃｏｎｔｒｏｌ  Ｆｌｏｗ  Ｅｎｈａｎｃｅｍｅｎｔｓ  ｆｏｒ  ＬＴＥ−Ｕｎｌｉｃｅｎｓｅｄ」と題されるＹｅｒｒａｍａｌｌｉらによる米国仮特許出願第６２／１６５，８１４号の優先権を主張する。
【技術分野】
【０００２】
[0002]以下は、全般にワイヤレス通信に関し、より具体的には、ＬＴＥ−Ｕｎｌｉｃｅｎｓｅｄのための制御フローの改善に関する。
【背景技術】
【０００３】
[0003]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ＬＴＥシステム）がある。ワイヤレス多元接続通信システムは、ユーザ機器（ＵＥ）としても知られていることがある、複数の通信デバイスのための通信を各々が同時にサポートする、いくつかの基地局を含み得る。
【０００４】
[0004]ＬＴＥまたはＬＴＥ−Ａｄｖａｎｃｅｄ（ＬＴＥ−Ａ）ネットワークでは、基地局およびＵＥは、ネットワーク事業者に免許を受けている専用周波数スペクトルを通じて通信し得る。免許を受けた事業者ネットワーク（たとえば、セルラーネットワークなど）は、公衆陸上移動網（ＰＬＭＮ）として知られていることがある。専用（たとえば、免許）無線周波数帯域を使用するセルラーネットワークにおける増大するデータトラフィックに伴い、免許不要無線周波数スペクトルまたは共有無線周波数スペクトルへの少なくとも一部のデータトラフィックのオフロードが、データ送信容量とリソースの効率的な使用とを改善し得る。免許不要の共有無線周波数スペクトルはまた、専用無線周波数スペクトルへのアクセスが利用不可能であるエリアにおいてサービスを提供し得る。免許不要スペクトルは一般に、免許なしで使用することが可能なスペクトルを指し、通常はアクセスおよび送信出力に関する技術的な規則に従う。共有スペクトルは一般に、複数の事業者のうちの１つと関連付けられるデバイスに対して利用可能なスペクトルを指す。
【０００５】
[0005]あらかじめ調整されたリソースの割振りなしで、免許周波数スペクトルまたは免許不要周波数スペクトルの共有周波数リソースへのアクセスについての競争解決のために、リッスンビフォートーク（ＬＢＴ：listen before talk）プロシージャが使用され得る。ＬＢＴプロシージャは、共有チャネルが利用可能であるかどうかを決定するために、クリアチャネルアセスメント（ＣＣＡ：clear channel assessment）プロシージャを実行することを含み得る。共有チャネルが利用可能であると決定されるとき、デバイスは、データ送信の前にチャネルを予約するために信号を送信し得る。他のデバイスは、送信を検出するために予約信号をモニタすることがあり、共有チャネルがビジーであるか空いているかを決定するためにエネルギー検出を使用して共有チャネルをモニタすることもある。
【０００６】
[0006]共有無線周波数スペクトルを通じてＬＴＥ信号波形を使用する動作はＬＴＥ−Ｕｎｌｉｃｅｎｓｅｄ（ＬＴＥ−Ｕ）動作と呼ばれることがあり、ＬＴＥ−Ｕ動作をサポートするＬＴＥデバイスはＬＴＥ−Ｕデバイスと呼ばれることがある。免許不要周波数スペクトルまたは共有周波数スペクトルにおけるＬＴＥ／ＬＴＥ−Ａキャリアを使用する動作は、ＬＴＥ／ＬＴＥーＡキャリアがＵＥのためのプライマリセルとして使用されることが可能であるスタンドアロン動作モードにおいて使用され得る。ＬＴＥ／ＬＴＥ−Ａキャリアはまた、免許不要周波数スペクトルまたは共有周波数スペクトルの中のＬＴＥ／ＬＴＥ−Ａキャリアの中のプライマリセルを用いて構成されるＵＥが、キャリアアグリゲーションモードにおいてセカンダリセルとして構成される、ライセンスドアッシステットアクセス（ＬＡＡ：licensed assisted access）モードにおいて使用され得る。
【０００７】
[0007]免許不要周波数スペクトルまたは共有周波数スペクトルにおいて動作する免許不要セル（たとえば、スタンドアロンまたはＬＡＡ）はＬＢＴプロシージャの対象であり得るので、専用スペクトルのための所定のタイミングの周辺で設計された制御フロー管理プロシージャは、予測できないタイミングの変動の影響を受けることがある。加えて、免許不要周波数スペクトルまたは共有周波数スペクトルには、免許不要セルのための制御フロー管理に影響を与え得る送信出力または送信時間長への制限を課す、追加の制約があることがある。
【発明の概要】
【０００８】
[0008]ＬＴＥ−Ｕ動作のための制御フローの改善のためのシステム、方法、および装置。態様は、エンハンスト物理ダウンリンク制御チャネル（ｅＰＤＣＣＨ）の処理と、非周期的チャネル状態情報（ＣＳＩ）の報告と、非連続受信（ＤＲＸ）動作と、送信バーストの終わりにおける延長されたＴＴＩとを含む、免許不要セルにおける浮動的な送信時間間隔（ＴＴＩ）動作のための制御フロー処理に対する改善を含む。説明される態様はまた、免許不要セルのための基準信号構成の改善と、複数の免許不要セルのためのジョイント許可（joint grants）の処理と、部分的なサブフレームのためのｅＰＤＣＣＨ処理と、マルチチャネルＤＲＳ動作とを含む。
【０００９】
[0009]ワイヤレス通信の方法が説明される。方法は、共有周波数スペクトル帯域におけるセカンダリセルを使用する通信のための構成を識別することと、ここにおいて、セカンダリセルを介した送信が共有周波数チャネルのためのリッスンビフォートーク（ＬＢＴ）プロシージャに従う、少なくとも１つのサブフレームからなるセカンダリセルからの送信を識別することと、少なくとも１つのサブフレームのクロスサブフレームインジケータに少なくとも一部基づいて送信のための基準信号構成を決定することとを含み得る。
【００１０】
[0010]ワイヤレス通信のための装置が説明される。装置は、共有周波数スペクトル帯域におけるセカンダリセルを使用する通信のための構成を識別するための手段と、ここにおいて、セカンダリセルを介した送信が共有周波数チャネルのためのリッスンビフォートーク（ＬＢＴ）プロシージャに従う、少なくとも１つのサブフレームからなるセカンダリセルからの送信を識別するための手段と、少なくとも１つのサブフレームのクロスサブフレームインジケータに少なくとも一部基づいて送信のための基準信号構成を決定するための手段とを含み得る。
【００１１】
[0011]ワイヤレス通信のためのさらなる装置が説明される。装置は、プロセッサと、プロセッサと電気的に通信しているメモリと、メモリに記憶された命令とを含むことがあり、命令は、プロセッサによって実行されると、装置に、共有周波数スペクトル帯域におけるセカンダリセルを使用する通信のための構成を識別すること、ここにおいて、セカンダリセルを介した送信が共有周波数チャネルのためのリッスンビフォートーク（ＬＢＴ）プロシージャに従う、と、少なくとも１つのサブフレームからなるセカンダリセルからの送信を識別することと、少なくとも１つのサブフレームのクロスサブフレームインジケータに少なくとも一部基づいて送信のための基準信号構成を決定することとを行わせるように動作可能である。
【００１２】
[0012]ワイヤレス通信のためのコードを記憶する非一時的コンピュータ可読媒体が説明される。コードは、共有周波数スペクトル帯域におけるセカンダリセルを使用する通信のための構成を識別すること、ここにおいて、セカンダリセルを介した送信が共有周波数チャネルのためのリッスンビフォートーク（ＬＢＴ）プロシージャに従う、と、少なくとも１つのサブフレームからなるセカンダリセルからのＬＢＴ送信を識別することと、少なくとも１つのサブフレームのクロスサブフレームインジケータに少なくとも一部基づいて送信のための基準信号構成を決定することとを行うように実行可能な命令を含み得る。
【００１３】
[0013]本明細書で説明される方法、装置、または非一時的コンピュータ可読媒体のいくつかの例では、決定することは、少なくとも１つの基準信号構成と関連付けられる最初に送信されるサブフレームのセットを識別することを備える。
【００１４】
[0014]本明細書で説明される方法、装置、または非一時的コンピュータ可読媒体のいくつかの例では、基準信号サブフレームインジケータは、専用周波数スペクトル帯域において動作する免許セルを通じて受信される。
【００１５】
[0015]本明細書で説明される方法、装置、または非一時的コンピュータ可読媒体のいくつかの例では、基準信号サブフレームインジケータは、免許セルのダウンリンク制御チャネルを介して受信されるダウンリンク制御情報（ＤＣＩ）フォーマットのフィールドを備える。加えて、または代わりに、いくつかの例では、基準信号サブフレームインジケータは、インジケータチャネルにおいてセカンダリセルを通じて、または、セカンダリセルのダウンリンク制御チャネルを介して受信されるダウンリンク制御情報（ＤＣＩ）フォーマットのフィールドを通じて受信される。
【００１６】
[0016]本明細書で説明される方法、装置、または非一時的コンピュータ可読媒体のいくつかの例はさらに、専用周波数スペクトル帯域において動作する免許セルに対して同期していないシンボルタイミングを少なくとも１つのサブフレームが有することを識別し、送信と関連付けられる検出されたシンボルプリアンブルに少なくとも一部基づいて少なくとも１つの基準信号のための少なくとも１つのサブフレーム内の１つまたは複数のシンボル位置を決定するための、プロセス、特徴、手段、または命令を含み得る。
【００１７】
[0017]ワイヤレス通信の方法が説明される。方法は、共有周波数スペクトル帯域上での基地局からの送信において複数のセルを識別することと、ここにおいて、この送信が共有周波数チャネルのためのリッスンビフォートーク（ＬＢＴ）プロシージャに従う、送信のサブフレームの第１の最初に送信されるセットのための第１のスケジューリング構成を識別することと、第１のスケジューリング構成が複数のセルのそれぞれのセルのための個別許可（individual grants）を搬送するために構成されるセルの第１のセットの１つまたは複数の探索空間を備える、サブフレームの第１のセットに後続する送信のサブフレームの第２のセットのための第２のスケジューリング構成を識別することと、第２のスケジューリング構成が複数のセルのためのジョイント許可と関連付けられる少なくとも１つのセルの少なくとも１つの探索空間を備える、を含み得る。
【００１８】
[0018]ワイヤレス通信のための装置が説明される。装置は、共有周波数スペクトル帯域上での基地局からの送信において複数のセルを識別するための手段と、ここにおいて、この送信が共有周波数チャネルのためのリッスンビフォートーク（ＬＢＴ）プロシージャに従う、送信のサブフレームの第１の最初に送信されるセットのための第１のスケジューリング構成を識別するための手段と、第１のスケジューリング構成が複数のセルのそれぞれのセルのための個別許可を搬送するために構成されるセルの第１のセットの１つまたは複数の探索空間を備える、サブフレームの第１のセットに後続する送信のサブフレームの第２のセットのための第２のスケジューリング構成を識別するための手段と、第２のスケジューリング構成が複数のセルのためのジョイント許可と関連付けられる少なくとも１つのセルの少なくとも１つの探索空間を備える、を含み得る。
【００１９】
[0019]ワイヤレス通信のためのさらなる装置が説明される。装置は、プロセッサと、プロセッサと電気的に通信しているメモリと、メモリに記憶された命令を含むことがあり、命令は、プロセッサによって実行されると、装置に、共有周波数スペクトル帯域上での基地局からの送信において複数のセルを識別すること、ここにおいて、この送信が共有周波数チャネルのためのリッスンビフォートーク（ＬＢＴ）プロシージャに従う、と、送信のサブフレームの第１の最初に送信されるセットのための第１のスケジューリング構成を識別すること、第１のスケジューリング構成が複数のセルのそれぞれのセルのための個別許可を搬送するために構成されるセルの第１のセットの１つまたは複数の探索空間を備える、と、サブフレームの第１のセットに後続する送信のサブフレームの第２のセットのための第２のスケジューリング構成を識別すること、第２のスケジューリング構成が複数のセルのためのジョイント許可と関連付けられる少なくとも１つのセルの少なくとも１つの探索空間を備える、とを行なわせるように動作可能である。
【００２０】
[0020]ワイヤレス通信のためのコードを記憶する非一時的コンピュータ可読媒体が説明される。コードは、共有周波数スペクトル帯域の複数のセルを識別すること、ここにおいて、この送信が共有周波数チャネルのためのリッスンビフォートーク（ＬＢＴ）プロシージャに従う、と、送信のサブフレームの第１の最初に送信されるセットのための第１のスケジューリング構成を識別すること、第１のスケジューリング構成が複数のセルのそれぞれのセルのための個別許可を搬送するために構成されるセルの第１のセットの１つまたは複数の探索空間を備える、と、サブフレームの第１のセットに後続する送信のサブフレームの第２のセットのための第２のスケジューリング構成を識別すること、第２のスケジューリング構成が複数のセルのためのジョイント許可と関連付けられる少なくとも１つのセルの少なくとも１つの探索空間を備える、とを行うように実行可能な命令を含み得る。
【００２１】
[0021]本明細書で説明される方法、装置、または非一時的コンピュータ可読媒体のいくつかの例はさらに、送信のために成功裏に予約された関連する周波数チャネルを有する複数のセルのサブセットを決定するための、プロセス、特徴、手段、または命令を含み得る。加えて、または代わりに、いくつかの例は、ＵＥ固有識別子に少なくとも一部基づいて、複数のセルのサブセットから少なくとも１つのセルを決定するためのプロセス、特徴、手段、または命令を含み得る。
【００２２】
[0022]本明細書で説明される方法、装置、または非一時的コンピュータ可読媒体のいくつかの例では、少なくとも１つのセルは、専用周波数スペクトル帯域において動作する免許セルを備える。
【００２３】
[0023]ワイヤレス通信の方法が説明される。方法は、共有周波数スペクトル帯域におけるセカンダリセルを使用する通信のための構成を識別することと、ここにおいて、セカンダリセルを介した送信が共有周波数チャネルのためのリッスンビフォートーク（ＬＢＴ）プロシージャに従う、少なくとも１つのサブフレームからなるセカンダリセルからの送信を識別することと、送信に含まれる部分的なサブフレームのフォーマットを指定するインジケータを受信することとを含み得る。
【００２４】
[0024]ワイヤレス通信のための装置が説明される。装置は、共有周波数スペクトル帯域におけるセカンダリセルを使用する通信のための構成を識別するための手段と、ここにおいて、セカンダリセルを介した送信が共有周波数チャネルのためのリッスンビフォートーク（ＬＢＴ）プロシージャに従う、少なくとも１つのサブフレームからなるセカンダリセルからの送信を識別するための手段と、送信に含まれる部分的なサブフレームのフォーマットを指定するインジケータを受信するための手段とを含み得る。
【００２５】
[0025]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、共有周波数スペクトル帯域におけるセカンダリセルを使用する通信のための構成を識別すること、ここにおいて、セカンダリセルを介した送信が共有周波数チャネルのためのリッスンビフォートーク（ＬＢＴ）プロシージャに従う、と、少なくとも１つのサブフレームからなるセカンダリセルからの送信を識別することと、送信に含まれる部分的なサブフレームのフォーマットを指定するインジケータを受信することとを行わせるように動作可能である。
【００２６】
[0026]ワイヤレス通信のためのコードを記憶する非一時的コンピュータ可読媒体が説明される。コードは、共有周波数スペクトル帯域におけるセカンダリセルを使用する通信のための構成を識別すること、ここにおいて、セカンダリセルを介した送信が共有周波数チャネルのためのリッスンビフォートーク（ＬＢＴ）プロシージャに従う、と、少なくとも１つのサブフレームからなるセカンダリセルからの送信を識別することと、送信に含まれる部分的なサブフレームのフォーマットを指定するインジケータを受信することとを行うように実行可能な命令を含み得る。
【００２７】
[0027]ワイヤレス通信の方法が説明される。方法は、共有周波数スペクトル帯域の１つまたは複数のセルのための制御チャネルと関連付けられるアンテナポートの限られたセットからチャネル復調情報を推定することと、１つまたは複数のセルのための部分的なサブフレームを備える制御チャネル探索空間を決定することと、アンテナポートの限られたセットから推定されるチャネル復調情報を使用して制御チャネル探索空間の中の制御チャネル候補を復調することとを含み得る。
【００２８】
[0028]ワイヤレス通信のための装置が説明される。装置は、共有周波数スペクトル帯域の１つまたは複数のセルのための制御チャネルと関連付けられるアンテナポートの限られたセットからチャネル復調情報を推定するための手段と、１つまたは複数のセルのための部分的なサブフレームを備える制御チャネル探索空間を決定するための手段と、アンテナポートの限られたセットから推定されるチャネル復調情報を使用して制御チャネル探索空間の中の制御チャネル候補を復調するための手段とを含み得る。
【００２９】
[0029]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、共有周波数スペクトル帯域の１つまたは複数のセルのための制御チャネルと関連付けられるアンテナポートの限られたセットからチャネル復調情報を推定することと、１つまたは複数のセルのための部分的なサブフレームを備える制御チャネル探索空間を決定することと、アンテナポートの限られたセットから推定されるチャネル復調情報を使用して制御チャネル探索空間の中の制御チャネル候補を復調することとを行わせるように動作可能である。
【００３０】
[0030]ワイヤレス通信のためのコードを記憶する非一時的コンピュータ可読媒体が説明される。コードは、共有周波数スペクトル帯域の１つまたは複数のセルのための制御チャネルと関連付けられるアンテナポートの限られたセットからチャネル復調情報を推定することと、１つまたは複数のセルのための部分的なサブフレームを備える制御チャネル探索空間を決定することと、アンテナポートの限られたセットから推定されるチャネル復調情報を使用して制御チャネル探索空間の中の制御チャネル候補を復調することとを行うように実行可能な命令を含み得る。
【００３１】
[0031]本明細書で説明される方法、装置、または非一時的コンピュータ可読媒体のいくつかの例では、制御チャネルはＥＰＤＣＣＨを備える。
【００３２】
[0032]ワイヤレス通信の方法が説明される。方法は、同期されたセルを使用する通信のための構成を識別することと、同期されたセルが共有周波数スペクトル帯域において動作し静的なサブフレーム位置を有する、同期されたセルのためのＬＢＴ送信を識別することと、ＬＢＴ送信のチャネル予約信号に少なくとも一部基づいて同期されたセルの共有データチャネルのための動的なＴＴＩを決定することと、動的なＴＴＩと静的なサブフレーム位置の境界との間のオフセットに少なくとも一部基づいて、共有データチャネルを備える共有データ領域内の制御チャネルのための探索空間を決定することとを含み得る。
【００３３】
[0033]ワイヤレス通信のための装置が説明される。装置は、同期されたセルを使用する通信のための構成を識別するための手段と、同期されたセルが共有周波数スペクトル帯域において動作し静的なサブフレーム位置を有する、同期されたセルのためのＬＢＴ送信を識別するための手段と、ＬＢＴ送信のチャネル予約信号に少なくとも一部基づいて同期されたセルの共有データチャネルのための動的なＴＴＩを決定するための手段と、動的なＴＴＩと静的なサブフレーム位置の境界との間のオフセットに少なくとも一部基づいて、共有データチャネルを備える共有データ領域内の制御チャネルのための探索空間を決定するための手段とを含み得る。
【００３４】
[0034]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、同期されたセルを使用する通信のための構成を識別すること、同期されたセルが共有周波数スペクトル帯域において動作し静的なサブフレーム位置を有する、と、同期されたセルのためのＬＢＴ送信を識別することと、ＬＢＴ送信のチャネル予約信号に少なくとも一部基づいて同期されたセルの共有データチャネルのための動的なＴＴＩを決定することと、動的なＴＴＩと静的なサブフレーム位置の境界との間のオフセットに少なくとも一部基づいて、共有データチャネルを備える共有データ領域内の制御チャネルのための探索空間を決定することとを行わせるように動作可能である。
【００３５】
[0035]ワイヤレス通信のためのコードを記憶する非一時的コンピュータ可読媒体が説明される。コードは、同期されたセルを使用する通信のための構成を識別することと、同期されたセルが共有周波数スペクトル帯域において動作し静的なサブフレーム位置を有する、同期されたセルのためのＬＢＴ送信を識別することと、ＬＢＴ送信のチャネル予約信号に少なくとも一部基づいて同期されたセルの共有データチャネルのための動的なＴＴＩを決定することと、動的なＴＴＩと静的なサブフレーム位置の境界との間のオフセットに少なくとも一部基づいて、共有データチャネルを備える共有データ領域内の制御チャネルのための探索空間を決定することとを行うように実行可能な命令を含み得る。
【００３６】
[0036]本明細書で説明される方法、装置、または非一時的コンピュータ可読媒体のいくつかの例では、探索空間は動的なＴＴＩと同じシンボルのセットを備える。加えて、または代わりに、いくつかの例では、探索空間は、動的なＴＴＩのシンボルのサブセットを備え、動的なＴＴＩのシンボルのサブセットは、動的なＴＴＩと静的なサブフレーム位置の境界との間のオフセットに少なくとも一部基づいて決定される。
【００３７】
[0037]本明細書で説明される方法、装置、または非一時的コンピュータ可読媒体のいくつかの例では、制御チャネルはエンハンスト物理ダウンリンク制御チャネル（ｅＰＤＣＣＨ）を備える。加えて、または代わりに、いくつかの例は、物理フレームフォーマットインジケーションチャネル（ＰＦＦＩＣＨ：physical frame format indication channel）または制御チャネルにおいて受信される許可のうちの少なくとも１つに含まれるフィールドに少なくとも一部基づいて、ＬＢＴ送信の最後のＴＴＩのシンボル期間の数を決定するためのプロセス、特徴、手段、または命令を含み得る。
【００３８】
[0038]本明細書で説明される方法、装置、または非一時的コンピュータ可読媒体のいくつかの例はさらに、シンボル期間の不変の数またはシンボル期間の決定された数のうちの少なくとも１つに少なくとも一部基づいて、最後のＴＴＩのための制御チャネルのための探索空間を決定するためのプロセス、特徴、手段、または命令を含み得る。
【００３９】
[0039]ワイヤレス通信の方法が説明される。方法は、少なくとも第１のセルと第２のセルとを使用する通信のための構成を識別することと、第２のセルが共有周波数スペクトル帯域において動作する、第２のセルからＬＢＴ送信を識別することと、第２のセルの制御チャネルにおいて非周期的ＣＳＩ報告に対する要求を受信することと、第１のセルのサブフレームインデックスに対する制御チャネルのタイミングパラメータに少なくとも一部基づいて非周期的ＣＳＩ報告のための基準タイミングを決定することとを含み得る。
【００４０】
[0040]ワイヤレス通信のための装置が説明される。装置は、少なくとも第１のセルと第２のセルとを使用する通信のための構成を識別するための手段と、第２のセルが共有周波数スペクトル帯域において動作する、第２のセルからＬＢＴ送信を識別するための手段と、第２のセルの制御チャネルにおいて非周期的ＣＳＩ報告に対する要求を受信するための手段と、第１のセルのサブフレームインデックスに対する制御チャネルのタイミングパラメータに少なくとも一部基づいて非周期的ＣＳＩ報告のための基準タイミングを決定するための手段とを含み得る。
【００４１】
[0041]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、少なくとも第１のセルと第２のセルとを使用する通信のための構成を識別すること、第２のセルが共有周波数スペクトル帯域において動作する、と、第２のセルからＬＢＴ送信を識別することと、第２のセルの制御チャネルにおいて非周期的ＣＳＩ報告に対する要求を受信することと、第１のセルのサブフレームインデックスに対する制御チャネルのタイミングパラメータに少なくとも一部基づいて非周期的ＣＳＩ報告のための基準タイミングを決定することとを行わせるように動作可能である。
【００４２】
[0042]ワイヤレス通信のためのコードを記憶する非一時的コンピュータ可読媒体が説明される。コードは、少なくとも第１のセルと第２のセルとを使用する通信のための構成を識別すること、第２のセルが共有周波数スペクトル帯域において動作する、と、第２のセルからＬＢＴ送信を識別することと、第２のセルの制御チャネルにおいて非周期的ＣＳＩ報告に対する要求を受信することと、第１のセルのサブフレームインデックスに対する制御チャネルのタイミングパラメータに少なくとも一部基づいて非周期的ＣＳＩ報告のための基準タイミングを決定することとを行うように実行可能な命令を含み得る。
【００４３】
[0043]本明細書で説明される方法、装置、または非一時的コンピュータ可読媒体のいくつかの例では、タイミングパラメータは、制御チャネルの最初のシンボルまたは制御チャネルの最後のシンボルを備える。加えて、または代わりに、いくつかの例では、制御チャネルは物理ダウンリンク制御チャネル（ＰＤＣＣＨ）またはｅＰＤＣＣＨを備える。
【００４４】
[0044]ワイヤレス通信の方法が説明される。方法は、共有周波数スペクトル帯域において動作するセルを使用する通信のための構成を識別することと、受信無効状態から、セルと関連付けられる非連続受信（ＤＲＸ）構成と関連付けられるページング機会に少なくとも一部基づいてセルのための受信を有効にすることと、ページング機会の第１のシンボル上でＣＲＳを受信することと、ページング機会内で静的な位置を有するインジケータチャネルに少なくとも一部基づいてセルの制御チャネルのためのシンボルオフセットを識別することとを含み得る。
【００４５】
[0045]ワイヤレス通信のための装置が説明される。装置は、共有周波数スペクトル帯域において動作するセルを使用する通信のための構成を識別するための手段と、受信無効状態から、セルと関連付けられるＤＲＸ構成と関連付けられるページング機会に少なくとも一部基づいてセルのための受信を有効にするための手段と、ページング機会の第１のシンボル上でＣＲＳを受信するための手段と、ページング機会内で静的な位置を有するインジケータチャネルに少なくとも一部基づいてセルの制御チャネルのためのシンボルオフセットを識別するための手段とを含み得る。
【００４６】
[0046]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、共有周波数スペクトル帯域において動作するセルを使用する通信のための構成を識別することと、受信無効状態から、セルと関連付けられるＤＲＸ構成と関連付けられるページング機会に少なくとも一部基づいてセルのための受信を有効にすることと、ページング機会の第１のシンボル上でＣＲＳを受信することと、ページング機会内で静的な位置を有するインジケータチャネルに少なくとも一部基づいてセルの制御チャネルのためのシンボルオフセットを識別することとを行わせるように動作可能である。
【００４７】
[0047]ワイヤレス通信のためのコードを記憶する非一時的コンピュータ可読媒体が説明される。コードは、共有周波数スペクトル帯域において動作するセルを使用する通信のための構成を識別することと、受信無効状態から、セルと関連付けられるＤＲＸ構成と関連付けられるページング機会に少なくとも一部基づいてセルのための受信を有効にすることと、ページング機会の第１のシンボル上でＣＲＳを受信することと、ページング機会内で静的な位置を有するインジケータチャネルに少なくとも一部基づいてセルの制御チャネルのためのシンボルオフセットを識別することとを行うように実行可能な命令を含み得る。
【００４８】
[0048]本明細書で説明される方法、装置、または非一時的コンピュータ可読媒体のいくつかの例では、制御チャネルはｅＰＤＣＣＨを備える。
【００４９】
[0049]ワイヤレス通信の方法が説明される。方法は、共有周波数スペクトル帯域の１つまたは複数のセルと関連付けられる発見信号測定タイミング構成（ＤＭＴＣ：discovery signals measurement timing configuration）を受信することと、１つまたは複数のセルのための発見基準信号（ＤＲＳ）と関連付けられるサブフレームを決定することと、少なくとも１つのセルと関連付けられるセル識別子に少なくとも一部基づいて１つまたは複数のセルのうちの少なくとも１つのセルのためのサブフレーム内のＤＲＳの開始シンボルを決定することとを含み得る。
【００５０】
[0050]ワイヤレス通信のための装置が説明される。装置は、共有周波数スペクトル帯域の１つまたは複数のセルと関連付けられる発見信号測定タイミング構成（ＤＭＴＣ）を受信するための手段と、１つまたは複数のセルのためのＤＲＳと関連付けられるサブフレームを決定するための手段と、少なくとも１つのセルと関連付けられるセル識別子に少なくとも一部基づいて１つまたは複数のセルのうちの少なくとも１つのセルのためのサブフレーム内のＤＲＳの開始シンボルを決定するための手段とを含み得る。
【００５１】
[0051]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、共有周波数スペクトル帯域の１つまたは複数のセルと関連付けられる発見信号測定タイミング構成（ＤＭＴＣ）を受信することと、１つまたは複数のセルのためのＤＲＳと関連付けられるサブフレームを決定することと、少なくとも１つのセルと関連付けられるセル識別子に少なくとも一部基づいて１つまたは複数のセルのうちの少なくとも１つのセルのためのサブフレーム内のＤＲＳの開始シンボルを決定することとを行わせるように動作可能である。
【００５２】
[0052]ワイヤレス通信のためのコードを記憶する非一時的コンピュータ可読媒体が説明される。コードは、共有周波数スペクトル帯域の１つまたは複数のセルと関連付けられる発見信号測定タイミング構成（ＤＭＴＣ）を受信することと、１つまたは複数のセルのためのＤＲＳと関連付けられるサブフレームを決定することと、少なくとも１つのセルと関連付けられるセル識別子に少なくとも一部基づいて１つまたは複数のセルのうちの少なくとも１つのセルのためのサブフレーム内のＤＲＳの開始シンボルを決定することとを行うように実行可能な命令を含み得る。
【００５３】
[0053]本明細書で説明される方法、装置、または非一時的コンピュータ可読媒体のいくつかの例では、ＤＭＴＣは１つまたは複数のセルのうちの複数のセルと関連付けられる。加えて、または代わりに、いくつかの例では、複数のセルは、２つの異なる周波数帯域の中の少なくとも２つのセルを備え、２つの異なる周波数帯域は独立した総合送信出力の制限を有する。
【００５４】
[0054]ワイヤレス通信の方法が説明される。方法は、共有周波数スペクトル帯域を通じて複数のセルを動作することと、ここにおいて、複数のセルのためのＤＲＳが共有発見信号測定タイミング構成（ＤＭＴＣ）に従って送信され、ここにおいて、複数のセルの各々が異なる開始シンボルオフセットとともに送信される、複数のセルの各々の共有データチャネルのための送信出力レベルとは無関係なＤＲＳ出力レベルで複数のセルの各々のためのＤＲＳを送信することとを含み得る。
【００５５】
[0055]ワイヤレス通信のための装置が説明される。装置は、共有周波数スペクトル帯域を通じて複数のセルを動作するための手段と、ここにおいて、複数のセルのためのＤＲＳが共有発見信号測定タイミング構成（ＤＭＴＣ）に従って送信され、ここにおいて、複数のセルの各々が異なる開始シンボルオフセットとともに送信される、複数のセルの各々の共有データチャネルのための送信出力レベルとは無関係なＤＲＳ出力レベルで複数のセルの各々のためのＤＲＳを送信するための手段とを含み得る。
【００５６】
[0056]ワイヤレス通信のためのさらなる装置が説明される。装置は、プロセッサと、プロセッサと電気的に通信しているメモリと、メモリに記憶された命令とを含むことがあり、命令が、プロセッサによって実行されると、装置に、共有周波数スペクトル帯域を通じて複数のセルを動作すること、ここにおいて、複数のセルのためのＤＲＳが共有発見信号測定タイミング構成（ＤＭＴＣ）に従って送信され、複数のセルの各々が異なる開始シンボルオフセットとともに送信される、と、複数のセルの各々の共有データチャネルのための送信出力レベルとは無関係なＤＲＳ出力レベルで複数のセルの各々のためのＤＲＳを送信することとを行わせるように動作可能である。
【００５７】
[0057]ワイヤレス通信のためのコードを記憶する非一時的コンピュータ可読媒体が説明される。コードは、共有周波数スペクトル帯域を通じて複数のセルを動作すること、ここにおいて、複数のセルのためのＤＲＳが共有発見信号測定タイミング構成（ＤＭＴＣ）に従って送信され、複数のセルの各々が異なる開始シンボルオフセットとともに送信される、と、複数のセルの各々の共有データチャネルのための送信出力レベルとは無関係なＤＲＳ出力レベルで複数のセルの各々のためのＤＲＳを送信することとを行うように実行可能な命令を含み得る。
【００５８】
[0058]本明細書で説明される方法、装置、または非一時的コンピュータ可読媒体のいくつかの例はさらに、複数のセルの各々に対して、ＤＲＳ出力レベルおよびあらかじめ定められた送信出力レベルに少なくとも一部基づいて共有データチャネルのための送信出力レベルを調整するためのプロセス、特徴、手段、または命令を含み得る。
【００５９】
[0059]本開示の態様が、以下の図を参照して説明される。
【図面の簡単な説明】
【００６０】
【図１】本開示の様々な態様による、ＬＴＥ−Ｕｎｌｉｃｅｎｓｅｄのための制御フローの改善をサポートするワイヤレス通信システムの例を示す図。
【図２】本開示の様々な態様による、共有周波数スペクトル帯域を使用する様々なシナリオの下でＬＴＥ／ＬＴＥ−Ａが展開され得るワイヤレス通信システムを示す図。
【図３Ａ】本開示の様々な態様による、アップリンクにおける通信のタイムラインを示す図。
【図３Ｂ】本開示の様々な態様による、アップリンクにおける通信のタイムラインを示す図。
【図３Ｃ】本開示の様々な態様による、共有無線周波数スペクトル帯域のアップリンクにおける通信と、ＬＢＴプロシージャの実行と、それに続くチャネル予約信号の送信とのタイムラインを示す図。
【図４Ａ】本開示の様々な態様による、キャリアアグリゲーションモードにおいてＬＴＥ／ＬＴＥ−Ａが展開され得るワイヤレス通信システムを示す図。
【図４Ｂ】本開示の様々な態様による、マルチ接続シナリオ（たとえば、多地点協調（ＣｏＭＰ）シナリオ）においてＬＴＥ／ＬＴＥ−Ａが展開され得るワイヤレス通信システムを示す図。
【図５Ａ】本開示の様々な態様による、ＣＳＩ基準信号構成のクロスサブフレームインジケーションの例を示す図。
【図５Ｂ】本開示の様々な態様による、ＣＳＩ基準信号構成のクロスサブフレームインジケーションの例を示す図。
【図６】本開示の様々な態様による、ジョイント許可送信および処理、ならびに個別許可送信および処理の例を示す図。
【図７】本開示の様々な態様による、部分的な制御チャネルのモニタのためのアンテナポートの限られたセットの図。
【図８Ａ】本開示の様々な態様による、動的なＴＴＩの使用の例を示す図。
【図８Ｂ】本開示の様々な態様による、動的なＴＴＩの使用の例を示す図。
【図９】本開示の様々な態様による、動的なＴＴＩの使用の例を示す図。
【図１０】本開示の様々な態様による、ＤＭＴＣ期間内の発見ウィンドウの割振りの例を示す図。
【図１１】本開示の様々な態様による、ＤＲＳが複数のセルの各々において送信され得る例示的な発見ウィンドウを示す図。
【図１２】本開示の様々な態様による、ＬＴＥ−Ｕｎｌｉｃｅｎｓｅｄのための制御フローの改善をサポートするワイヤレスデバイスおよび構成要素のブロック図。
【図１３】本開示の様々な態様による、ＬＴＥ−Ｕｎｌｉｃｅｎｓｅｄのための制御フローの改善をサポートするワイヤレスデバイスおよび構成要素のブロック図。
【図１４】本開示の様々な態様による、ＬＴＥ−Ｕｎｌｉｃｅｎｓｅｄのための制御フローの改善をサポートするワイヤレスデバイスおよび構成要素のブロック図。
【図１５】本開示の様々な態様による、ＬＴＥ−Ｕｎｌｉｃｅｎｓｅｄのための制御フローの改善をサポートするワイヤレスデバイスおよび構成要素のブロック図。
【図１６】本開示の様々な態様による、ＬＴＥ−Ｕｎｌｉｃｅｎｓｅｄのための制御フローの改善をサポートするワイヤレスデバイスおよび構成要素のブロック図。
【図１７】本開示の様々な態様による、ＬＴＥ−Ｕｎｌｉｃｅｎｓｅｄのための制御フローの改善をサポートするワイヤレスデバイスおよび構成要素のブロック図。
【図１８】本開示の様々な態様による、ＬＴＥ−Ｕｎｌｉｃｅｎｓｅｄのための制御フローの改善をサポートするワイヤレスデバイスおよび構成要素のブロック図。
【図１９】本開示の様々な態様による、ＬＴＥ−Ｕｎｌｉｃｅｎｓｅｄのための制御フローの改善をサポートするワイヤレスデバイスおよび構成要素のブロック図。
【図２０】本開示の様々な態様による、ＬＴＥ−Ｕｎｌｉｃｅｎｓｅｄのための制御フローの改善をサポートするユーザ機器（ＵＥ）を含むシステムのブロック図。
【図２１】本開示の様々な態様による、ＬＴＥ−Ｕｎｌｉｃｅｎｓｅｄのための制御フローの改善をサポートするワイヤレスデバイスのブロック図。
【図２２】本開示の様々な態様による、ＬＴＥ−Ｕｎｌｉｃｅｎｓｅｄのための制御フローの改善をサポートする基地局を含むシステムのブロック図。
【図２３】本開示の様々な態様による、ＬＴＥ−Ｕｎｌｉｃｅｎｓｅｄのための制御フローの改善のための方法を示す図。
【図２４】本開示の様々な態様による、ＬＴＥ−Ｕｎｌｉｃｅｎｓｅｄのための制御フローの改善のための方法を示す図。
【図２５】本開示の様々な態様による、ＬＴＥ−Ｕｎｌｉｃｅｎｓｅｄのための制御フローの改善のための方法を示す図。
【図２６】本開示の様々な態様による、ＬＴＥ−Ｕｎｌｉｃｅｎｓｅｄのための制御フローの改善のための方法を示す図。
【図２７】本開示の様々な態様による、ＬＴＥ−Ｕｎｌｉｃｅｎｓｅｄのための制御フローの改善のための方法を示す図。
【図２８】本開示の様々な態様による、ＬＴＥ−Ｕｎｌｉｃｅｎｓｅｄのための制御フローの改善のための方法を示す図。
【図２９】本開示の様々な態様による、ＬＴＥ−Ｕｎｌｉｃｅｎｓｅｄのための制御フローの改善のための方法を示す図。
【図３０】本開示の様々な態様による、ＬＴＥ−Ｕｎｌｉｃｅｎｓｅｄのための制御フローの改善のための方法を示す図。
【図３１】本開示の様々な態様による、ＬＴＥ−Ｕｎｌｉｃｅｎｓｅｄのための制御フローの改善のための方法を示す図。
【図３２】本開示の様々な態様による、ＬＴＥ−Ｕｎｌｉｃｅｎｓｅｄのための制御フローの改善のための方法を示す図。
【発明を実施するための形態】
【００６１】
[0081]説明される特徴は全般に、ＬＴＥ−Ｕ動作のための制御フローの改善のための改良されたシステム、方法、および装置に関する。技法は、ｅＰＤＣＣＨの処理と、非周期的チャネル状態情報（ＣＳＩ）の報告と、ＤＲＸ動作と、送信バーストの終わりにおける延長されたＴＴＩとを含む、免許不要セルにおける浮動的なＴＴＩ動作のための制御フロー処理に対する改善を含む。説明される技法はまた、免許不要セルのための基準信号構成の改善と、複数の免許不要セルのためのジョイント許可の処理と、部分的なサブフレームのためのｅＰＤＣＣＨ処理と、マルチチャネルＤＲＳ動作とを含む。
【００６２】
[0082]本開示の態様は、最初に、ワイヤレス通信システムの文脈において説明される。次いで、具体的な例が、ＬＴＥ−Ｕ動作のための制御フローの改善について説明される。本開示のこれらのおよび他の態様がさらに、Ｌｏｎｇ  Ｔｅｒｍ  Ｅｖｏｌｕｔｉｏｎ（ＬＴＥ）−Ｕｎｌｉｃｅｎｓｅｄのための制御フローの改善に関する、装置図、システム図、およびフローチャートによって示され、それらを参照して説明される。
【００６３】
[0083]図１は、本開示の様々な態様による、ＬＡＡのためのＲＲＭの測定と報告とをサポートするワイヤレス通信システム１００の例を示す。ワイヤレス通信システム１００は、基地局１０５と、少なくとも１つのユーザ機器（ＵＥ）１１５と、コアネットワーク１３０とを含む。コアネットワーク１３０は、ユーザ認証（user authentication）と、アクセス承認（access authorization）と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通じてコアネットワーク１３０とインターフェースする。基地局１０５は、ＵＥ１１５との通信のための無線構成とスケジューリングとを実行することができ、または基地局コントローラ（図示されず）の制御下で動作することができる。様々な例では、基地局１０５は、有線またはワイヤレス通信リンクであり得るバックホールリンク１３４（たとえば、Ｘ１など）を通じて、互いと直接または間接的に（たとえば、コアネットワーク１３０を通じて）通信し得る。
【００６４】
[0084]基地局１０５は、１つまたは複数の基地局アンテナを介してＵＥ１１５とワイヤレスに通信することができる。基地局１０５の各々は、それぞれの地理的カバレッジエリア１１０に通信カバレッジを提供し得る。ワイヤレス通信システム１００は、異なるタイプの基地局１０５（たとえば、マクロセル基地局またはスモールセル基地局）を含み得る。異なる技術のための重複する地理的カバレッジエリア１１０があり得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。
【００６５】
[0085]ワイヤレス通信システム１００のいくつかの例では、基地局１０５またはＵＥ１１５は、基地局１０５とＵＥ１１５との間の通信品質と信頼性とを改良するために、アンテナダイバーシティスキームを採用するための複数のアンテナを含み得る。加えて、または代わりに、基地局１０５またはＵＥ１１５は、同じまたは異なるコーディングされたデータを搬送する複数の空間レイヤを送信するために、マルチパス環境を利用し得る多入力多出力（ＭＩＭＯ）技法を採用し得る。
【００６６】
[0086]ワイヤレス通信システム１００は、同期動作または非同期動作をサポートし得る。同期動作の場合、基地局１０５は同様のフレームタイミングを有することがあり、異なる基地局１０５からの送信は時間的に概ねアラインされることがある。非同期動作の場合、基地局１０５は異なるフレームタイミングを有することがあり、異なる基地局１０５からの送信は時間的にアラインされないことがある。本明細書で説明される技法は、同期動作または非同期動作のいずれかのために使用され得る。
【００６７】
[0087]様々な開示される例のうちのいくつかに適応し得る通信ネットワークは、階層化プロトコルスタックに従って動作するパケットベースネットワークであることがあり、ユーザプレーン中のデータはＩＰに基づくことがある。無線リンク制御（ＲＬＣ）レイヤは、論理チャネルを通じて通信するために、パケットのセグメント化と再アセンブリとを実行し得る。媒体アクセス制御（ＭＡＣ）レイヤは、優先度処理と、トランスポートチャネルへの論理チャネルの多重化とを実行し得る。ＭＡＣレイヤはまた、リンク効率を改良するためにＭＡＣレイヤにおいて再送信を行うためにハイブリッド自動再送要求（ＨＡＲＱ：Hybrid Automatic Repeat Request）を使用し得る。制御プレーンでは、無線リソース制御（ＲＲＣ）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０のサポートに使用され得る。物理（ＰＨＹ）レイヤにおいて、トランスポートチャネルは、物理チャネルにマッピングされ得る。
【００６８】
[0088]いくつかの例では、ワイヤレス通信システム１００はＬＴＥ／ＬＴＥ  Ａｄｖａｎｃｅｄ（ＬＴＥ−Ａ）ネットワークである。ＬＴＥ／ＬＴＥ−Ａネットワークでは、ｅｖｏｌｖｅｄ  ｎｏｄｅ  Ｂ（ｅＮＢ）という用語が一般に基地局１０５を表すために使用されることがあり、ＵＥという用語が一般にＵＥ１１５を表すために使用されることがある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、中継基地局などを含む、様々なタイプの基地局およびネットワーク機器と通信することが可能であり得る。ワイヤレス通信システム１００は、異なるタイプのｅＮＢが様々な地理的領域にカバレッジを提供する異種ＬＴＥ／ＬＴＥ−Ａネットワークであり得る。たとえば、各ｅＮＢまたは基地局１０５は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア（たとえば、セクタなど）を表すために使用され得る。
【００６９】
[0089]ワイヤレスネットワークにアクセスすることを試みるＵＥ１１５は、基地局１０５からのプライマリ同期信号（ＰＳＳ）を検出することによって初期セル探索を実行し得る。ＰＳＳは、スロットタイミングの同期を可能にでき、物理レイヤ識別情報値を示すことができる。ＵＥ１１５は次いで、セカンダリ同期信号（ＳＳＳ）を受信し得る。ＳＳＳは、無線フレームの同期を可能にでき、セルを識別するための物理レイヤ識別情報値と組み合わされ得るセル識別情報値を提供することができる。ＳＳＳはまた、複信モードおよびサイクリックプレフィックス長の検出を可能にし得る。ＰＳＳとＳＳＳの両方が、それぞれ、キャリアの中心の６２個と７２個のサブキャリアの中に位置し得る。いくつかの場合、ＰＳＳ、ＳＳＳ、およびチャネル推定のためのセル固有基準信号（ＣＲＳ）などの他の信号が、エネルギーを節約するために、またはセル間の干渉を減らすために、周期が低減された送信スケジュールに従って構成され得る。そのような構成は、発見基準信号（ＤＲＳ）構成として知られていることがある。
【００７０】
[0090]ＵＥ１１５は、アイドルモードに入り、アイドルモードにおける電力消費を減らすために非連続受信（ＤＲＸ）を使用し得る。ＤＲＸ動作において、ＵＥは、ＤＲＸ周期に従ってページングメッセージを受信するために周期的に起動するように構成され、ＤＲＸ周期は、セルのデフォルトのＤＲＸ周期またはＵＥ固有のＤＲＸ周期であり得る。ＵＥは、ＵＥ１１５に割り当てられる固有の国際移動体加入者識別番号（ＩＭＳＩ）から決定されるＤＲＸ周期およびＵＥ固有識別子に従って、ページングメッセージのためのページングフレームを決定し、ＵＥはこのページングフレームを確認するために起動する。ＵＥ１１５は特定のページング機会を確認し、これは、ＤＲＸ周期およびＵＥ固有識別子に従って決定されるページングフレーム内のサブフレームである。サービングゲートウェイ（Ｓ−ＧＷ）がＵＥ１１５のためのデータを受信する場合、Ｓ−ＧＷは、モビリティ管理エンティティ（ＭＭＥ）に通知することができ、ＭＭＥは、トラッキングエリアとして知られているエリア内のあらゆる基地局１０５にページングメッセージを送信することができる。トラッキングエリア内の各基地局１０５は、ページング機会の間にページングメッセージをＵＥ１１５に送信し得る。したがって、ＵＥは、ＵＥがトラッキングエリアを出るまでＭＭＥを更新することなく、アイドル状態のままであり得る。
【００７１】
[0091]いくつかの場合、ＵＥ１１５は、接続モードＤＲＸにおいて構成され得る。接続モードＤＲＸでは、ＤＲＸ周期は、ＵＥ１１５が（たとえば、物理ダウンリンク制御チャネル（ＰＤＣＣＨ）上の）制御情報をモニタし得る「オン時間長」とＵＥ１１５が無線構成要素の電源を切断し得る「ＤＲＸ期間」とからなり得る）。いくつかの場合、ＵＥ１１５は、短いＤＲＸ周期と長いＤＲＸ周期とで構成され得る。いくつかの場合、ＵＥ１１５は、ＵＥ１１５が１つまたは複数の短いＤＲＸ周期の間非アクティブである場合、長いＤＲＸ周期に入り得る。短いＤＲＸ周期と、長いＤＲＸ周期と、連続受信との間の遷移は、内部タイマーによって、または基地局１０５からのメッセージングによって制御され得る。ＵＥ１１５は、オン時間長の間にＰＤＣＣＨ上でスケジューリングメッセージを受信し得る。スケジューリングメッセージについてＰＤＣＣＨをモニタする間、ＵＥ１１５は、「ＤＲＸ非活動タイマー」を開始し得る。スケジューリングメッセージが正常に受信される場合、ＵＥ１１５は、データを受信する準備をすることができ、ＤＲＸ非活動タイマーはリセットされ得る。スケジューリングメッセージを受信することなくＤＲＸ非活動タイマーが満了すると、ＵＥ１１５は、短いＤＲＸ周期に移ることができ、「ＤＲＸ短周期タイマー」を開始することができる。ＤＲＸ短周期タイマーが満了すると、ＵＥ１１５は、長いＤＲＸ周期を再開し得る。
【００７２】
[0092]基地局１０５は、チャネル推定およびコヒーレント復調についてＵＥ１１５を助けるために、セル固有基準信号（ＣＲＳ）などの周期的なパイロットシンボルを挿入し得る。異なるセルからのＣＲＳは、５０４個の異なるセル識別情報のうちの１つであり得る送信セルの物理セル識別情報に基づいて、異なるシーケンスを有することがあり、および／または、異なる送信リソース上で送信されることがある。ＣＲＳは、雑音および干渉に対して耐性があるようにするために、四位相偏移変調（ＱＰＳＫ）とブーストされた出力（たとえば、周囲のデータ要素よりも６ｄＢ高く送信される）とを使用して変調され得る。ＣＲＳは、受信ＵＥ１１５のアンテナポートまたはレイヤの数（最高で４つ）に基づいて各リソースブロック中の４〜１６個のリソース要素に埋め込まれ得る。基地局１０５のカバレッジエリア１１０中のすべてのＵＥ１１５によって利用され得るＣＲＳに加えて、ＵＥ固有基準信号（ＵＥ−ＲＳ）とも呼ばれる復調基準信号（ＤＭＲＳ）は、特定のＵＥ１１５に向けられることがあり、それらのＵＥ１１５に割り当てられたリソースブロック上でのみ送信されることがある。ＤＭＲＳは、それらが送信される各リソースブロック中の６つのリソース要素上に信号を含み得る。異なるアンテナポートのためのＤＭ−ＲＳは各々、同じ６つのリソース要素を利用することができ、（たとえば、異なるリソース要素において１または−１の異なる組合せで各信号をマスキングする）異なる直交カバーコード（ＯＣＣ：orthogonal cover code）を使用して区別され得る。いくつかの場合、ＤＭＲＳの２つのセットが、隣接するリソース要素において送信され得る。いくつかの場合、ＣＳＩ基準信号（ＣＳＩ−ＲＳ）として知られる追加の基準信号が、報告のためのＣＳＩパラメータを決定するのを助けるために含まれ得る。ＵＬ上で、ＵＥ１１５は、それぞれ、リンク適応および復調のための周期的なサウンディング基準信号（ＳＲＳ）とＵＬ  ＤＭＲＳの組合せを送信し得る。
【００７３】
[0093]基地局１０５は、チャネルを効率的に構成してスケジューリングするためにＵＥ１１５からチャネル状態情報を収集し得る。この情報は、ＣＳＩ報告の形態でＵＥ１１５から送信され得る。ＣＳＩ報告は、（たとえば、ＵＥ１１５のアンテナポートに基づいて）ＤＬ送信のために使用されるべきレイヤの数を要求するランクインジケータ（ＲＩ：rank indicator）、（レイヤの数に基づいて）どのプリコーダ行列が使用されるべきであるかの選好を示すプリコーディング行列インジケータ（ＰＭＩ：precoding matrix indicator）、または使用され得る最高の変調およびコーディングスキーム（ＭＣＳ：modulation and coding scheme）を表すチャネル品質インジケータ（ＣＱＩ）を含み得る。ＣＱＩは、ＣＲＳまたはＣＳＩ−ＲＳなどの所定のパイロットシンボルを受信した後にＵＥ１１５によって計算され得る。ＲＩおよびＰＭＩは、ＵＥ１１５が空間多重化をサポートしない（または空間モードをサポートしない）場合、除外され得る。報告に含まれる情報のタイプが報告タイプを決定する。ＣＳＩ報告は、周期的または非周期的であり得る。すなわち、基地局１０５は、一定の間隔で周期的な報告を送信するようにＵＥ１１５を構成することができ、必要に応じて追加の報告も要求することができる。非周期的報告は、セル帯域幅全体にわたるチャネル品質を示す広帯域報告、最良のサブバンドのサブセットを示すＵＥにより選択された報告、または報告されるサブバンドが基地局１０５によって選択される構成された報告を含み得る。
【００７４】
[0094]いくつかの場合、ワイヤレス通信ネットワーク１００は、そのカバレッジエリア１１０が１つまたは複数のマクロ基地局１０５のカバレッジエリア１１０と重複し得るスモールセルを含み得る。いくつかの場合、スモールセルは、高いユーザ需要があるエリアに、またはマクロ基地局１０５によって十分にカバーされていないエリアに追加され得る。たとえば、スモールセルは、ショッピングセンターに、または信号送信が地形または建築物によってブロックされるエリアに配置され得る。いくつかの場合、スモールセルは、負荷が高いとき、マクロ基地局１０５がトラフィックをオフロードすることを可能にすることによってネットワーク性能を改良し得る。ラージセルとスモールセルとの両方を含むネットワークは、異種ネットワークとして知られ得る。異種ネットワークは、限定加入者グループ（ＣＳＧ）として知られる制約されたグループにサービスを提供することができる、Ｈｏｍｅ  ｅｖｏｌｖｅｄ  ｎｏｄｅ（ＨｅＮＢ）を含み得る。たとえば、オフィスビルは、建物の入居者のみが使用するためのスモールセルを含み得る。いくつかの場合、異種ネットワークは、同種ネットワークよりも複雑なネットワーク計画と干渉緩和技法とを伴い得る。
【００７５】
[0095]ワイヤレス通信システム１００は、複数のセルまたはキャリア上での動作、すなわち、キャリアアグリゲーション（ＣＡ）またはマルチキャリア動作と呼ばれ得る特徴をサポートし得る。キャリアは、コンポーネントキャリア（ＣＣ）、レイヤ、チャネルなどと呼ばれることもある。「コンポーネントキャリア」という用語は、ＣＡ動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である、比較的狭い帯域幅のキャリアであり得る。各コンポーネントキャリアは、Ｌｏｎｇ  Ｔｅｒｍ  Ｅｖｏｌｕｔｉｏｎ（ＬＴＥ）規格のリリース８またはリリース９に基づく単一キャリアと同じ能力を与え得る。複数のコンポーネントキャリアは、より大きい帯域幅とより高いデータレートとを一部のＵＥ１１５に提供するために、アグリゲートされ、または同時に利用され得る。したがって、個々のコンポーネントキャリアは、レガシーＵＥ１１５（たとえば、ＬＴＥリリース８またはリリース９を実装するＵＥ１１５）との後方互換性があり得るが、他のＵＥ１１５（たとえば、リリース８／９より後のＬＴＥバージョンを実装するＵＥ１１５）は、マルチキャリアモードにおいて複数のコンポーネントキャリアを用いて構成され得る。ダウンリンク（ＤＬ）に使用されるキャリアはＤＬ  ＣＣと呼ばれることがあり、アップリンク（ＵＬ）に使用されるキャリアはＵＬ  ＣＣと呼ばれることがある。ＵＥ１１５は、キャリアアグリゲーションのために、複数のＤＬ  ＣＣおよび１つまたは複数のＵＬ  ＣＣを用いて構成され得る。各キャリアは、制御情報（たとえば、基準信号、制御チャネルなど）、オーバーヘッド情報、データなどを送信するために使用され得る。ＵＥ１１５は、複数のキャリアを利用して単一の基地局１０５と通信することができ、異なるキャリア上で同時に複数の基地局と通信することもできる。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００７６】
[0096]基地局１０５の各セルは、ＵＬ  ＣＣまたはＴＤＤ  ＣＣであり得るＣＣを含む。セルは、ＦＤＤ動作においてＵＬ  ＣＣを含み得る。基地局１０５のための各サービングセルのカバレッジエリア１１０は異なり得る（たとえば、異なる周波数帯域上のＣＣは異なる経路損失に遭遇し得る）。いくつかの例では、あるキャリアは、プライマリセル（ＰＣｅｌｌ）によってサービスされ得るＵＥ１１５のための、プライマリキャリアまたはプライマリコンポーネントキャリア（ＰＣＣ）として指定される。プライマリセルは、ＵＥごとにより高次のレイヤ（たとえば、無線リソース制御（ＲＲＣ）など）によって半静的に構成され得る。あるアップリンク制御情報（ＵＣＩ）、（たとえば、物理アップリンク制御チャネル（ＰＵＣＣＨ）上で送信された肯定応答（ＡＣＫ）／ＮＡＣＫ、チャネル品質インジケータ（ＣＱＩ）、およびスケジューリング情報）は、プライマリセルによって搬送される。追加のキャリアは、セカンダリセル（ＳＣｅｌｌ）によってサービスされ得る、セカンダリキャリアまたはセカンダリコンポーネントキャリア（ＳＣＣ）として指定され得る。セカンダリセルは同様に、ＵＥごとに半静的に構成され得る。いくつかの場合、セカンダリセルは、プライマリセルと同じ制御情報を含まないことがあり、またはそれを送信するように構成されないことがある。他の場合、１つまたは複数のセカンダリセル（ＳＣｅｌｌ）は、物理アップリンク制御チャネル（ＰＵＣＣＨ）を搬送するように指定されることがあり、ＳＣｅｌｌは、関連するＵＬ制御情報を搬送するためにどのＣＣが使用されるかに基づいて、ＰＵＣＣＨグループへと編成されることがある。一部のワイヤレスネットワークは、多数のキャリア（たとえば、５個のキャリアと３２個のキャリアの間）、免許不要スペクトルにおける動作、または改善されたＣＣの使用に基づいて、改善されたＣＡ動作を利用することができる。
【００７７】
[0097]いくつかの場合、構成されたＳＣｅｌｌは、プライマリキャリア（たとえば、ＰＣｅｌｌなど）を使用してセルを構成することによって、個々のＵＥ１１５に対してアクティブ化および非アクティブ化される。たとえば、構成されたＳＣｅｌｌのためのアクティブ化コマンドおよび非アクティブ化コマンドは、ＭＡＣシグナリングにおいて搬送され得る。ＳＣｅｌｌが非アクティブ化されるとき、ＵＥ１１５はＳＣｅｌｌのための制御情報をモニタする必要はない。ＵＥ１１５はまた、対応するダウンリンクＣＣを受信する必要がなく、対応するアップリンクＣＣにおいて送信することができず、チャネル品質情報（ＣＱＩ）測定を実行することも必要とされない。ＳＣｅｌｌの非アクティブ化時に、ＵＥはＳＣｅｌｌと関連付けられるすべてのＨＡＲＱバッファをフラッシュすることもできる。反対に、ＳＣｅｌｌがアクティブであるとき、ＵＥ１１５は、ＳＣｅｌｌのための制御情報および／またはデータ送信を受信し、ＣＱＩ測定を実行することが可能であることが予想される。アクティブ化／非アクティブ化機構は、ＭＡＣ制御要素と非アクティブ化タイマーの組合せに基づく。ＭＡＣ制御要素は、ＳＣｅｌｌが個々にアクティブ化および非アクティブ化されることが可能であり、単一のアクティブ化／非アクティブ化コマンドがＳＣｅｌｌのサブセットをアクティブ化／非アクティブ化できるように、ＳＣｅｌｌの個々のアクティブ化および非アクティブ化のためのビットマップを搬送する。ＳＣｅｌｌごとに１つの非アクティブ化タイマーが維持されるが、ＲＲＣによってＵＥごとに１つの共通の値が構成される。
【００７８】
[0098]いくつかの場合、ＵＥ１１５または基地局１０５は、共有周波数スペクトル帯域で動作し得る。本明細書では、「共有周波数スペクトル帯域」という用語は、帯域の共有される周波数リソースへのアクセスについての競争解決プロシージャに従う、免許不要スペクトルまたは共有スペクトルの１つまたは複数の帯域を意味する。共有周波数スペクトル帯域において動作するセルは、スタンドアロン動作モードで使用されるように（たとえば、１つまたは複数のＵＥのためのプライマリキャリアとして使用される）、またはライセンスアシステットアクセス（ＬＡＡ：license assisted access）モードで使用されるように構成され得る。他のデバイスも、免許不要周波数スペクトルまたは共有スペクトルにおいて動作していることがある。例として、図１は、免許不要周波数スペクトルにおいて通信リンク１６５を介してＷｉ−Ｆｉ（登録商標）局（ＳＴＡ）１５５と通信しているＷｉ−Ｆｉアクセスポイント１５０から構成されるネットワークを示す。免許不要セルを介して通信するとき、デバイスは、チャネルが利用可能であるかどうかを決定するために、通信する前にリッスンビフォートーク（ＬＢＴ）プロシージャ（たとえば、クリアチャネルアセスメント（ＣＣＡ）など）を使用する。ＣＣＡは、任意の他のアクティブ送信があるかどうかを決定するためのエネルギー検出プロシージャを含み得る。たとえば、デバイスは、あるレベルを超える検出されたエネルギー（たとえば、ＲＳＳＩ）はチャネルが占有されていることを示すと、推測し得る。具体的には、ある帯域幅に集中し、所定の雑音フロアを超える信号電力は、別のワイヤレス送信機が現在チャネルを通じて送信していることを示し得る。ＬＢＴプロシージャも、チャネルの使用を示す特定のシーケンスの検出を含み得る。たとえば、別のデバイスは、データシーケンスを送信する前に特定のプリアンブルを送信し得る。
【００７９】
[0099]いくつかの例では、ＵＥ１１５は、専用スペクトルにおいてＰＣｅｌｌを使用し共有周波数スペクトル帯域において１つまたは複数のＳＣｅｌｌを使用するＣＡのために構成され得る。ＬＡＡセルを使用するＵＥ１１５またはｅＮＢ１０５は、共有周波数スペクトル帯域における送信のためのＬＢＴプロシージャを利用し得る。これらのデバイスは、チャネルが利用可能であるかどうかを決定するために、通信する前にＬＢＴプロシージャを実行し得る。ＬＢＴプロシージャは、任意の他のアクティブ送信があるかどうかを決定するために、エネルギー検出およびプリアンブル検出のプロシージャを含み得る。
【００８０】
[0100]図２は、本開示の様々な態様による、共有周波数スペクトル帯域を使用する様々なシナリオの下でＬＴＥ／ＬＴＥ−Ａが展開され得るワイヤレス通信システム２００を示す。より具体的には、図２は、ＬＴＥ／ＬＴＥ−Ａが共有周波数スペクトル帯域を使用して展開される補足ダウンリンクモード（たとえば、ＬＡＡ）と、キャリアアグリゲーション（ＣＡ）モードと、スタンドアロン（ＳＡ）モードとの例を示す。ワイヤレス通信システム２００は、図１を参照して説明されたワイヤレス通信システム１００の部分の例であり得る。その上、第１のｅＮＢ１０５−ａおよび第２のｅＮＢ１０５−ｂは、図１を参照して説明されたｅＮＢ１０５のうちの１つまたは複数の態様の例であり得るが、第１のＵＥ１１５−ａ、第２のＵＥ１１５−ｂ、第３のＵＥ１１５−ｃ、および第４のＵＥ１１５−ｄは、図１を参照して説明されたＵＥ１１５のうちの１つまたは複数の態様の例であり得る。
【００８１】
[0101]ワイヤレス通信システム２００における補足ダウンリンクモード（たとえば、ＬＡＡ）の例では、第１のｅＮＢ１０５−ａは、ダウンリンクチャネル２２０を使用して第１のＵＥ１１５−ａにＯＦＤＭＡ波形を送信し得る。ダウンリンクチャネル２２０は、共有周波数スペクトル帯域における周波数Ｆ１と関連付けられ得る。第１のｅＮＢ１０５−ａは、第１の双方向リンク２２５を使用して第１のＵＥ１１５−ａにＯＦＤＭＡ波形を送信することができ、第１の双方向リンク２２５を使用して第１のＵＥ１１５−ａからＳＣ−ＦＤＭＡ波形を受信することができる。第１の双方向リンク２２５は、専用周波数スペクトル帯域における周波数Ｆ４（または複数の周波数）と関連付けられ得る。共有周波数スペクトル帯域におけるダウンリンクチャネル２２０と、専用周波数スペクトル帯域における第１の双方向リンク２２５とは、同時に動作し得る。ダウンリンクチャネル２２０は、第１のｅＮＢ１０５−ａのためにダウンリンク容量オフロードを提供し得る。いくつかの例では、ダウンリンクチャネル２２０は、ユニキャストサービス（たとえば、１つのＵＥに宛てられる）またはマルチキャストサービス（たとえば、いくつかのＵＥに宛てられる）に使用され得る。このシナリオは、共有周波数スペクトル帯域へのオフロードの能力をもつ専用周波数スペクトルに容量を展開しているあらゆるサービスプロバイダ（たとえば、移動体通信事業者（ＭＮＯ）など）に関して発生し得る。
【００８２】
[0102]ワイヤレス通信システム２００におけるキャリアアグリゲーションモードの一例では、第１のｅＮＢ１０５−ａは、第２の双方向リンク２３０を使用して第２のＵＥ１１５−ｂにＯＦＤＭＡ波形を送信することができ、第２の双方向リンク２３０を使用して第２のＵＥ１１５−ｂからＯＦＤＭＡ波形、ＳＣ−ＦＤＭＡ波形、またはリソースブロックインターリーブされたＦＤＭＡ波形を受信することができる。第２の双方向リンク２３０は、共有周波数スペクトル帯域における周波数Ｆ１と関連付けられ得る。第１のｅＮＢ１０５−ａはまた、第３の双方向リンク２３５を使用して第２のＵＥ１１５−ｂにＯＦＤＭＡ波形を送信することができ、第３の双方向リンク２３５を使用して第２のＵＥ１１５−ｂからＳＣ−ＦＤＭＡ波形を受信することができる。第３の双方向リンク２３５は、専用周波数スペクトル帯域における周波数Ｆ２と関連付けられ得る。第２の双方向リンク２３０は、第１のｅＮＢ１０５−ａのためのダウンリンクおよびアップリンクの容量のオフロードを提供し得る。上で説明された補助ダウンリンクモードのように、このシナリオは、共有周波数スペクトル帯域へのオフロードの能力をもつ専用周波数スペクトルに容量を展開しているあらゆるサービスプロバイダ（たとえば、ＭＮＯ）について発生することがある。
【００８３】
[0103]ワイヤレス通信システム２００におけるキャリアアグリゲーションモードの別の例では、第１のｅＮＢ１０５−ａは、第４の双方向リンク２４０を使用して第３のＵＥ１１５−ｃにＯＦＤＭＡ波形を送信することができ、第４の双方向リンク２４０を使用して第３のＵＥ１１５−ｃからＯＦＤＭＡ波形、ＳＣ−ＦＤＭＡ波形、またはリソースブロックインターリーブされた波形を受信することができる。第４の双方向リンク２４０は、共有周波数スペクトル帯域における周波数Ｆ３と関連付けられ得る。第１のｅＮＢ１０５−ａはまた、第５の双方向リンク２４５を使用して第３のＵＥ１１５−ｃにＯＦＤＭＡ波形を送信することができ、第５の双方向リンク２４５を使用して第３のＵＥ１１５−ｃからＳＣ−ＦＤＭＡ波形を受信することができる。第５の双方向リンク２４５は、専用周波数スペクトル帯域における周波数Ｆ２と関連付けられ得る。第４の双方向リンク２４０は、第１のｅＮＢ１０５−ａのためのダウンリンクおよびアップリンクの容量のオフロードを提供し得る。この例および上で与えられた例は、例示を目的として提示されており、容量のオフロードのために専用周波数スペクトル帯域においてＬＴＥ／ＬＴＥ−Ａを組み合わせて共有周波数スペクトル帯域を使用する、他の同様の動作モードまたは展開シナリオがあり得る。
【００８４】
[0104]上で説明されたように、共有周波数スペクトル帯域におけるＬＴＥ／ＬＴＥ−Ａを使用することによって提供される容量のオフロードから恩恵を受け得る１つのタイプのサービスプロバイダは、ＬＴＥ／ＬＴＥ−Ａの専用周波数スペクトル帯域へのアクセス権を有する従来のＭＮＯである。これらのサービスプロバイダにとって、動作上の例としては、専用周波数スペクトル帯域上のＬＴＥ／ＬＴＥ−Ａプライマリコンポーネントキャリア（ＰＣＣ）と共有周波数スペクトル帯域上の少なくとも１つのセカンダリコンポーネントキャリア（ＳＣＣ）とを使用するブートストラップモード（たとえば、補助ダウンリンク、キャリアアグリゲーション）があり得る。
【００８５】
[0105]キャリアアグリゲーションモードでは、データおよび制御は、たとえば、（たとえば、第１の双方向リンク２２５と、第３の双方向リンク２３５と、第５の双方向リンク２４５とを介して）専用周波数スペクトル帯域において通信され得るが、データは、たとえば、（たとえば、第２の双方向リンク２３０と第４の双方向リンク２４０とを介して）共有周波数スペクトル帯域において通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに該当し得る。
【００８６】
[0106]ワイヤレス通信システム２００におけるスタンドアロンモードの一例では、第２のｅＮＢ１０５−ｂは、双方向リンク２５０を使用して第４のＵＥ１１５−ｄにＯＦＤＭＡ波形を送信することができ、双方向リンク２５０を使用して第４のＵＥ１１５−ｄからＯＦＤＭＡ波形、ＳＣ−ＦＤＭＡ波形、またはリソースブロックインターリーブされたＦＤＭＡ波形を受信することができる。双方向リンク２５０は、共有周波数スペクトル帯域における周波数Ｆ３と関連付けられ得る。スタンドアロンモードは、スタジアム内アクセス（たとえば、ユニキャスト、マルチキャスト）などの、非従来型のワイヤレスアクセスシナリオにおいて使用され得る。この動作モードのためのサービスプロバイダのタイプの例は、専用周波数スペクトル帯域へのアクセスを有しない、スタジアム所有者、ケーブル会社、イベント主催者、ホテル、企業、または大企業であり得る。
【００８７】
[0107]いくつかの例では、図１もしくは図２を参照して説明されたｅＮＢ１０５のうちの１つ、または図１もしくは図２を参照して説明されたＵＥ１１５のうちの１つなどの送信装置は、共有周波数スペクトル帯域のチャネル（たとえば、共有周波数スペクトル帯域の物理チャネル）へのアクセス権を得るためにゲーティング間隔を使用することができる。いくつかの例では、ゲーティング間隔は周期的であり得る。たとえば、周期的なゲーティング間隔は、ＬＴＥ／ＬＴＥ−Ａ無線間隔の少なくとも１つの境界と同期され得る。ゲーティング間隔は、欧州通信規格協会（ＥＴＳＩ）（ＥＮ３０１  ８９３）において指定されているＬＢＴプロトコルに基づくＬＢＴプロトコルなどの、競争ベースのプロトコルの適用を定義し得る。ＬＢＴプロトコルの適用を定義するゲーティング間隔を使用するとき、ゲーティング間隔は、送信装置がＣＣＡプロシージャなどの競争プロシージャ（たとえば、ＬＢＴプロシージャ）をいつ実行する必要があるかを示し得る。ＣＣＡプロシージャの結果は、共有周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに対して利用可能（たとえば、使用のために「クリア」）であることをＣＣＡプロシージャが示すとき、送信装置は、ＬＢＴ無線フレームの一部またはすべての間に共有周波数スペクトル帯域のチャネルを予約または使用し得る。チャネルが利用可能ではないこと（たとえば、チャネルが別の送信装置によって使用中であるか、または予約されていること）をＣＣＡプロシージャが示すとき、送信装置は、ＬＢＴ無線フレームの間にチャネルを使用することを防がれ得る。
【００８８】
[0108]図３Ａは、本開示の様々な態様による、アップリンクにおける通信のタイムライン３００を示す。タイムライン３００は、アップリンク送信（Ｔｘ）期間３１５が後に続くダウンリンク送信（Ｔｘ）期間３１０を含む、送信機会３０５を示す。いくつかの例では、ダウンリンク送信期間３１０は複数のダウンリンクＴＴＩ（たとえば、ダウンリンク（Ｄ）サブフレーム）へとさらに分割されることがあり、アップリンク送信期間３１５は複数のアップリンクＴＴＩ（たとえば、アップリンク（Ｕ）サブフレーム）へとさらに分割されることがある。
【００８９】
[0109]いくつかの例では、ダウンリンク送信期間３１０の中のダウンリンクＴＴＩの１つまたは複数は、アップリンク送信期間３１５の中の１つまたは複数のアップリンクＴＴＩのための（たとえば、同一キャリアスケジューリング、またはアップリンク送信の自己スケジューリングのための）アップリンク許可を搬送し得る。他の例では、アップリンク送信期間３１５の中の１つまたは複数のアップリンクＴＴＩのための１つまたは複数のアップリンク許可は、（たとえば、クロスキャリアスケジューリングのために）図３Ａに示されるＣＣとは異なるＣＣで送信され得る。
【００９０】
[0110]複数のＴＴＩがアップリンク送信期間３１５の間にスケジューリングされるとき、複数のＴＴＩのためのＤＣＩ（たとえば、ＤＣＩフォーマット０）は、リソースブロック（ＲＢ）の割振り、変調およびコーディングスキーム（ＭＣＣＳ）ならびに冗長性値（ＲＶ：redundancy value）、新データインジケータ（ＮＤＩ：new data indicator）、送信出力制御（ＴＰＣ：transmit power control）コマンド、セル固有復調基準信号（ＣＳ−ＤＭＲＳ：cell-specific demodulation reference signal）、アップリンク（ＵＬ）インデックス、ダウンリンク割当てインデックス（ＤＡＩ：downlink assignment index）、チャネル状態情報（ＣＳＩ）要求、サウンディング基準信号（ＳＲＳ）要求、リソース割振りタイプ、またはこれらの組合せなどのパラメータを含み得る。ＬＴＥ／ＬＴＥ−Ａネットワークでは、ＴＤＤフォーマット０は、２つの別々のアップリンク許可が専用無線周波数スペクトル帯域におけるダウンリンクＴＴＩの中で単一のＵＥへ搬送されることを可能にする。各アップリンク許可の適用は、アップリンク許可と関連付けられるＵＬインデックスによって決定されることがあり、出力制御と、非周期的ＣＳＩ報告と、ＰＵＳＣＨ送信とに影響し得る。共有無線周波数スペクトル帯域におけるアップリンク送信に適用可能なアップリンク許可のために、同様の機能が提供され得る。
【００９１】
[0111]クロス送信機会スケジューリングまたはクロスキャリアスケジューリングがないと仮定すると、アップリンク送信期間３１５の間の共有無線周波数スペクトル帯域における複数ＴＴＩのアップリンク送信のための複数のアップリンク許可（これはダウンリンク送信期間３１０の単一のダウンリンクＴＴＩ内で搬送され得る）は各々、ＵＬインデックスフィールド、ＨＡＲＱインデックスフィールド、基準信号およびＰＵＳＣＨ多重化インジケータフィールド（たとえば、ＳＲＳ／ＰＵＳＣＨ多重化インジケータフィールド）、リソース再使用インジケータフィールド（たとえば、ＰＵＣＣＨ／ＰＲＡＣＨリソース再使用インジケータフィールド）、ＬＢＴパラメータ、またはこれらの組合せなどの、ＤＣＩフィールドを含み得る。ＵＬインデックスは、送信機会３０５（現在の送信バーストとも呼ばれる）の中のどのアップリンクＴＴＩ（たとえば、アップリンクサブフレーム）がＰＵＳＣＨ送信を搬送するかをＵＥに示し得る。ＵＬインデックスは、ＵＬインデックスを含むアップリンク許可を搬送するダウンリンクＴＴＩの終わりが基準であり得る。ＬＢＴパラメータは、短縮されたＬＢＴプロシージャ（たとえば、２５μｓのＬＢＴプロシージャ）を実行するためにアップリンクＴＴＩの最初のシンボルをパンクチャリングするかどうか、または、完全な長さのＬＢＴプロシージャ（たとえば、カテゴリ（ＣＡＴ）４のＬＢＴプロシージャ）を実行するかどうかを、ＵＥに示し得る。ＣＡＴ４のＬＢＴプロシージャを実行することを示すとき、ＬＢＴパラメータは、ＬＢＴ優先度クラスまたは競争ウィンドウサイズのうちの１つまたは複数を示し得る。いくつかの例では、（たとえば、ＣＡＴ４のＬＢＴプロシージャを実行するＵＥによって）マルチＴＴＩアップリンク送信のＴＴＩの間に共有無線周波数スペクトル帯域にアクセスするための競争がないことで、ＵＥは、ＣＡＴ４のＬＢＴプロシージャのパラメータをマルチＴＴＩアップリンク送信の次のＴＴＩへ持ち越し得る。
【００９２】
[0112]図３Ｂは、本開示の様々な態様による、アップリンクにおける通信のタイムライン３２０を示す。タイムライン３２０は、第２の送信機会３４０が後に続く第１の送信機会３２５を示す。第１の送信機会３２５は、第１のアップリンクＴｘ期間３３５が後に続く第１のダウンリンクＴｘ期間３３０を含み得る。第２の送信機会３４０は、第２のアップリンク送信（Ｔｘ）期間３５０が後に続く第２のダウンリンクＴｘ期間３４５を含み得る。いくつかの例では、ダウンリンク送信期間（たとえば、第１のダウンリンク送信期間３３０または第２のダウンリンク送信期間３４５）の一方または両方が、複数のダウンリンクＴＴＩ（たとえば、Ｄ個のサブフレーム）へとさらに分割されることがあり、アップリンク送信期間（たとえば、第１のアップリンク送信期間３３５または第２のアップリンク送信期間３５０）の一方または両方が、複数のアップリンクＴＴＩ（たとえば、Ｕ個のサブフレーム）へとさらに分割されることがある。
【００９３】
[0113]いくつかの例では、第１のダウンリンクＴｘ期間３３０の中のダウンリンクＴＴＩの１つまたは複数は、第２のアップリンクＴｘ期間３３５の中の１つまたは複数のアップリンクＴＴＩのためのアップリンク許可を搬送し得る（たとえば、アップリンク送信のクロス送信機会スケジューリング）。
【００９４】
[0114]クロス送信機会スケジューリングが第２のアップリンク送信期間３５０におけるアップリンク送信をスケジューリングするために使用されると仮定し、第２のダウンリンク送信期間３４５が第２のアップリンク送信期間３５０に先行すると仮定すると、第２のアップリンク送信期間３５０の間の共有無線周波数スペクトル帯域における複数ＴＴＩのアップリンク送信のための複数のアップリンク許可（これは第１のダウンリンクＴｘ期間３３０のダウンリンクＴＴＩ内で搬送され得る）は各々、ＵＬインデックスフィールド、ＨＡＲＱインデックスフィールド、基準信号およびＰＵＳＣＨ多重化インジケータフィールド（たとえば、ＳＲＳ／ＰＵＳＣＨ多重化インジケータフィールド）、リソース再使用インジケータフィールド（たとえば、ＰＵＣＣＨ／ＰＲＡＣＨリソース再使用インジケータフィールド）、ＬＢＴパラメータ、またはこれらの組合せなどの、ＤＣＩフィールドを含み得る。加えて、各アップリンク許可は、現在送信バーストインデックスフィールド、対象送信バーストインデックスフィールド、またはＰＵＳＣＨ送信スキップ戦略フィールドなどの、ＤＣＩフィールドを含み得る。現在送信バーストインデックスは、アップリンク許可が受信される第１の送信バースト（たとえば、第１の送信機会３２５）をＵＥに示すことができ、対象送信バーストインデックスは、アップリンク許可が適用される第２の送信バースト（たとえば、第２の送信機会３４０）をＵＥに示し得る。いくつかの例では、基地局は、共通のＰＤＣＣＨ上でＤＣＩにおいて、現在送信バーストインデックスを複数のＵＥにブロードキャストし得る。ＵＬインデックスは、ＰＵＳＣＨ送信が開始する第２の送信バースト（たとえば、第２の送信機会３４０）のアップリンクＴＴＩを識別し得る。ＰＵＳＣＨ送信スキップ戦略は、複数ＴＴＩの送信のうちの少なくとも最初のＴＴＩのためのＬＢＴプロシージャが成功しないときに、少なくとも時間的に最初のＰＵＳＣＨ送信をスキップするか、または少なくとも時間的に最後のＰＵＳＣＨ送信をスキップするかを、ＵＥに示し得る。
【００９５】
[0115]いくつかの例では、共有無線周波数スペクトル帯域における複数ＴＴＩのアップリンク送信のうちの少なくとも１つのＴＴＩのための少なくとも１つのアップリンク許可を受信するＵＥは、複数ＴＴＩのアップリンク送信のＴＴＩのための共有無線周波数スペクトル帯域へのアクセスを争うためにＬＢＴプロシージャを実行し得る。ＴＴＩの間の共有無線周波数スペクトル帯域へのアクセスについての競争に負けると、ＵＥはアップリンク送信持ち越し戦略を発動し得る。アップリンク送信持ち越し戦略は、共有無線周波数スペクトル帯域へのアクセスについての競争に負けたＴＴＩと関連付けられるパラメータを、複数ＴＴＩのアップリンク送信の次のＴＴＩへ持ち越すか持ち越さないかをＵＥに示し得る。いくつかの例では、このパラメータは、ＣＳＩ送信パラメータ、またはＳＲＳ送信パラメータ、またはＴＰＣコマンド、またはこれらの組合せを含み得る。いくつかの例では、持ち越されたＴＰＣコマンドはＴＴＩへ累積的に適用され得る。
【００９６】
[0116]いくつかの例では、共有無線周波数スペクトル帯域における複数ＴＴＩのアップリンク送信のうちの少なくとも１つのＴＴＩのための少なくとも１つのアップリンク許可を受信するＵＥは、複数ＴＴＩのアップリンク送信のＴＴＩのための共有無線周波数スペクトル帯域へのアクセスを争うためにＬＢＴプロシージャを実行し得る。ＴＴＩの間の共有無線周波数スペクトル帯域へのアクセスについての競争に勝つと、ＵＥは、ＴＴＩのためのアップリンク許可において示されるＬＢＴ優先度クラスと関連付けられるデータ（たとえば、ベストエフォートデータ、ビデオデータなど）を送信し得る。ＬＢＴ優先度クラスと関連付けられるデータがなくなると、ＴＴＩの残りの間、ＵＥはジャンクデータを送信することもしないこともある。
【００９７】
[0117]いくつかの例では、共有無線周波数スペクトル帯域における複数ＴＴＩのアップリンク送信のうちの少なくとも１つのＴＴＩのための少なくとも１つのアップリンク許可を受信するＵＥは、ＴＴＩ内のトランスポートブロック（ＴＢ）のすべてを無効にすることによって、ＴＴＩの間のＰＵＳＣＨ送信なしでＳＲＳを送信するようにトリガされ得る。
【００９８】
[0118]図３Ｃは、本開示の様々な態様による、共有無線周波数スペクトル帯域のアップリンクにおける通信と、ＬＢＴプロシージャ３８０の実行と、それに続くチャネル予約信号３８５の送信とのタイムライン３６０を示す。タイムライン３６０は、アップリンク送信期間の１つのＴＴＩ３６５（たとえば、１つのアップリンク（Ｕ）サブフレーム）（たとえば、図３Ａを参照して説明されたアップリンク送信期間３１５または図３Ｂを参照して説明された第１のアップリンク送信期間３３５もしくは第２のアップリンク送信期間３５０の１つのＴＴＩ）を示す。ＴＴＩ３６５は、２つのスロット（たとえば、スロット０  ３７０およびスロット１  ３７５）にわたる複数のシンボル期間（たとえば、０〜１３の番号を付された１４個のシンボル期間）を含む。
【００９９】
[0119]ＵＥは、ＴＴＩ３６５のためのＬＢＴプロシージャ３８０を実行し得る。いくつかの例では、ＬＢＴプロシージャ３８０は、ＴＴＩ３６５の時間的に最初のシンボル期間（たとえば、シンボル期間０）の間に実行され得る。いくつかの例（図示されない）では、ＬＢＴプロシージャ３８０は、最初のシンボル期間の終わりに同期されることがあり、共有無線周波数スペクトル帯域へのアクセスについての競争に勝つと、ＵＥは、ＴＴＩ３６５の時間的に２番目のシンボル期間（たとえば、シンボル期間１）においてアップリンク送信（たとえば、ＰＵＳＣＨ送信、またはＰＵＣＣＨ送信、またはＰＲＡＣＨ送信、またはＳＲＳ送信、またはこれらの組合せ）を直ちに開始し得る。他の例（図示されている）では、ＬＢＴプロシージャ３８０は、最初のシンボル期間の始まりに同期されることがあり、最初のシンボル期間の最初の部分の間に実行されることがあり）、共有無線周波数スペクトル帯域へのアクセスについての競争に勝つと、ＵＥは、最初のシンボル期間の２番目の部分の間にチャネル予約信号（ＲＥＳ３８５）を送信し得る。チャネル予約信号は、共有無線周波数スペクトル帯域へのアクセスについての競争に勝った時間と、アップリンク送信が開始することが予定されている時間との間に、共有無線周波数スペクトル帯域を予約するために送信され得る。
【０１００】
[0120]いくつかの例では、ＵＥは、最初のシンボル期間の２番目の部分の間に（たとえば、ＲＥＳ３８５として）送信するために、複数の異なるチャネル予約信号のうちの１つを選択し得る。ＵＥがＴＴＩ３６５の間にＰＵＳＣＨの前にＳＲＳを送信するように予定されているとき、選択されたチャネル予約信号はＳＲＳ波形を含み得る。ＵＥがＴＴＩ３６５の間にＰＵＳＣＨを送信するように予定されているがＳＲＳを送信するように予定されていないとき、および、ジャンクＳＲＳ干渉がＴＴＩの最初のシンボル期間の間にアクティブであるとき、選択されたチャネル予約信号はジャンクＳＲＳ波形を含み得る。ＴＴＩ３６５のためのアップリンク許可を送信するネットワークアクセスデバイスがチャネル予約信号を選択するための選択方法を示さないとき、選択されるチャネル予約信号はＷｉ−Ｆｉチャネル予約信号（たとえば、ｃｌｅａｒ  ｔｏ  ｓｅｎｄ  ｔｏ  ｓｅｌｆ（ＣＴＳ２Ｓ））を含み得る。代わりに、ＴＴＩ３６５のためのアップリンク許可を送信するネットワークアクセスデバイスがチャネル予約信号を選択するための選択方法を示さないとき、ＵＥは任意の形式チャネル予約信号を選択し得る。
【０１０１】
[0121]図４Ａは、本開示の様々な態様による、キャリアアグリゲーションモードにおいてＬＴＥ／ＬＴＥ−Ａが展開され得るワイヤレス通信システム４００を示す。ワイヤレス通信システム４００は、図１または図２を参照して説明されたワイヤレス通信システム１００または２００の部分の例であり得る。その上、ｅＮＢ１０５−ｃは、図１または図２を参照して説明されたｅＮＢ１０５のうちの１つまたは複数の態様の例であることがあり、ＵＥ１１５−ｅは、図１または図２を参照して説明されたＵＥ１１５のうちの１つまたは複数の態様の例であることがある。
【０１０２】
[0122]ＬＴＥ／ＬＴＥ−Ａ通信を使用してキャリアアグリゲーションモードで通信するとき、ＵＥ１１５−ｅは、複数のＣＣを使用してｅＮＢ１０５−ｃと通信し得る。ＣＣのうちの１つがプライマリＣＣとして指定されることがあり、残りのＣＣがセカンダリＣＣとして指定されることがある。各ＣＣは、ＤＬ  ＣＣおよび／またはＵＬ  ＣＣとして使用するためのものであり得る。例として、図４Ａは、第１のＣＣ４２０と、第２のＣＣ４２５と、第３のＣＣ４３０と、第４のＣＣ４３５と、第５のＣＣ４４０とを含む５つのＣＣを通じた、ＵＥ１１５−ｅとｅＮＢ１０５−ｃとの間の通信を示している。第１のＣＣ４２０、第２のＣＣ４２５、第３のＣＣ４３０、第４のＣＣ４３５、および第５のＣＣ４４０の各々は、ＣＣがどのように割り振られるか、または構成されるかに応じて、専用周波数スペクトル帯域または共有周波数スペクトル帯域において動作し得る。
【０１０３】
[0123]ＵＥ１１５−ｅが図２を参照して説明されたように共有周波数スペクトル帯域を使用する補助ダウンリンク動作モードでの動作のために構成されるとき、およびＵＥ１１５がキャリアアグリゲーションモードで動作しているとき、第１のＣＣ４２０、第２のＣＣ４２５、第３のＣＣ４３０、第４のＣＣ４３５、または第５のＣＣ４４０のうちの１つまたは複数は、専用周波数スペクトル帯域におけるＵＬ  ＣＣまたはＤＬ  ＣＣとして動作することができ、第１のＣＣ４２０、第２のＣＣ４２５、第３のＣＣ４３０、第４のＣＣ４３５、または第５のＣＣ４４０のうちの１つまたは複数は、共有周波数スペクトル帯域におけるＤＬ  ＣＣとして動作することができる。
【０１０４】
[0124]ＵＥ１１５−ｅが、図２を参照して説明されたように、共有周波数スペクトル帯域を使用するキャリアアグリゲーション動作モードでの動作のために構成されるとき、第１のＣＣ４２０、第２のＣＣ４２５、第３のＣＣ４３０、第４のＣＣ４３５、または第５のＣＣ４４０のうちの１つまたは複数は、専用周波数スペクトル帯域におけるＵＬ  ＣＣまたはＤＬ  ＣＣとして動作することができ、第１のＣＣ４２０、第２のＣＣ４２５、第３のＣＣ４３０、第４のＣＣ４３５、または第５のＣＣ４４０のうちの１つまたは複数は、共有周波数スペクトル帯域におけるＤＬ  ＣＣまたはＵＬ  ＣＣとして動作することができる。いくつかの例では、ＤＬ  ＣＣのすべてが専用周波数スペクトル帯域において動作でき、またはＵＬ  ＣＣのすべてが共有の周波数スペクトル帯域において動作できるが、ＤＬ  ＣＣのすべておよびＵＬ  ＣＣのすべてが共有の周波数スペクトル帯域において動作できるとは限らない（たとえば、少なくとも１つのＤＬ  ＣＣまたは少なくともＵＬ  ＣＣが専用周波数スペクトル帯域において動作する）。
【０１０５】
[0125]ＵＥ１１５−ｅが、図２を参照して説明されたように、共有周波数スペクトル帯域を使用するスタンドアロン動作モードでの動作のために構成されるとき、およびＵＥ１１５がキャリアアグリゲーションモードで動作しているとき、第１のＣＣ４２０、第２のＣＣ４２５、第３のＣＣ４３０、第４のＣＣ４３５、および第５のＣＣ４４０の各々は、共有周波数スペクトル帯域において動作し得る。
【０１０６】
[0126]図４Ｂは、本開示の様々な態様による、マルチ接続シナリオ（たとえば、多地点協調（ＣｏＭＰ）シナリオ）においてＬＴＥ／ＬＴＥ−Ａが展開され得るワイヤレス通信システム４５０を示す。ワイヤレス通信システム４５０は、図１または図２を参照して説明されたワイヤレス通信システム１００または２００の部分の例であり得る。その上、第１のｅＮＢ１０５−ｄおよび第２のｅＮＢ１０５−ｅは、図１、図２、または図４Ａを参照して説明されたｅＮＢ１０５のうちの１つまたは複数の態様の例であることがあり、ＵＥ１１５−ｆは、図１、図２、または図４Ａを参照して説明されたＵＥ１１５のうちの１つまたは複数の態様の例であることがある。
【０１０７】
[0127]ＬＴＥ／ＬＴＥ−Ａ通信を使用してマルチ接続モードで通信するとき、ＵＥ１１５−ｆは、複数のＣＣを使用して、第１のｅＮＢ１０５−ｄおよび第２のｅＮＢ１０５−ｅなどの複数のｅＮＢと通信し得る。ＣＣのうちの１つがプライマリＣＣとして指定されることがあり、残りのＣＣがセカンダリＣＣとして指定されることがある。各ＣＣは、ＤＬ  ＣＣ、ＵＬ  ＣＣ、またはセル（たとえば、ＤＬ  ＣＣおよび／もしくはＵＬ  ＣＣとしての使用のために構成され得るＣＣ）として構成され得る。例として、図４Ｂは、第１のＣＣ４５５と、第２のＣＣ４６０と、第３のＣＣ４６５とを含む３つのＣＣを通じた、ＵＥ１１５−ｆと基地局１０５−ｄ、１０５−ｅとの間の通信を示している。いくつかの例では、（第１のｅＮＢ１０５−ｄと通信している）第１のＣＣ４５５および第２のＣＣ４６０は、マルチ接続動作におけるＣＣのプライマリグループ４７０として構成されることがあり、（第２のｅＮＢ１０５−ｅと通信している）第３のＣＣ４６５は、マルチ接続動作におけるＣＣのセカンダリグループ４７５（たとえば、この例では、１のグループ）として構成されることがある。第１のＣＣ４５５、第２のＣＣ４６０、および第３のＣＣ４６５は、たとえば、図４Ａを参照して説明されたように、どのようにコンポーネントキャリアがキャリアアグリゲーション動作モードで使用され得るかと同様に、専用周波数スペクトル帯域または共有波数スペクトル帯域を使用する様々な動作モードのために構成され得る。
【０１０８】
[0128]ＬＴＥ／ＬＴＥ−Ａ動作では、ＵＥは、ＣＳＩ基準信号構成に従ってチャネル測定を実行し、ＣＳＩ基準信号構成は各サブフレームにおける基準信号の位置を指定する。ＣＳＩ基準信号構成は、レートマッチングまたはチャネル測定などの目的で使用され得る。ＣＳＩ基準信号が専用周波数スペクトル帯域においてあるセル上で送信されるとき、ＣＳＩ基準信号の送信は周期的であり、送信の周期は構成に基づく。ＣＳＩ基準信号（たとえば、ｅＣＲＳ、ＣＳＩ−ＲＳ、ＺＰ  ＣＳＩ−ＲＳ、ＩＭＲ信号、ＰＳＳ、またはＳＳＳ）が共有周波数スペクトル帯域においてあるセル上で送信されるとき、ＣＳＩ基準信号の送信は周期的または非周期的であり得る。加えて、送信はＬＢＴプロシージャの対象であり得るので、共有周波数スペクトル帯域におけるあるセル上でのＣＳＩ基準信号の送信は機会主義的であり得る。したがって、ＣＳＩ基準信号構成は、ＣＳＩ基準信号が送信されるべきであることを示し得るが、ｅＮＢは、共有周波数スペクトル帯域へのアクセスについての競争に勝たないので、ＣＳＩ基準信号を送信しないことがある（すなわち、ＣＳＩ基準信号構成は、ＣＳＩ基準信号がＤＬサブフレームにおいて送信されるべきであることを示し得るが、ＤＬサブフレームが有効なＤＬサブフレームではないことがある）。したがって、共有周波数スペクトル帯域におけるあるセル上で送信されるＤＬサブフレームの中でのＣＳＩ基準信号の構成（たとえば、ＣＳＩ基準信号の存在および位置）に関して、曖昧さがある。
【０１０９】
[0129]いくつかの態様によれば、（たとえば、共有周波数スペクトル帯域におけるあるセル上で送信されるＤＬサブフレームの中での）ＣＳＩ基準信号の構成に関する曖昧さは、ＤＬバーストの最初のＮ個のサブフレームを、ＣＳＩ基準信号を搬送するサブフレームとして指定することによって、対処される。Ｎ個のサブフレームを指定する構成、およびＣＳＩ基準信号構成は、静的に、または準静的にＵＥに提供され得る。いくつかの例では、構成は、Ｎ個のサブフレームの各々に共通の、ＣＳＩ基準信号、ポートなどのセットを示し得る。他の例では、構成は、Ｎ個のサブフレームの各々に対する、ＣＳＩ基準信号、ポートなどのセットを示し得る（たとえば、ＣＳＩ基準信号、ポートなどのセットは、サブフレームごとに異なり得る）。ＵＥは、いくつかの場合、チャネル予約信号（たとえば、ＣＵＢＳ）の送信を検出することによって、ＤＬバーストの始まりを識別することができ、その後、次のＮ個のサブフレームのためのＣＳＩ基準信号構成を適用することができる。
【０１１０】
[0130]他の態様によれば、（たとえば、共有周波数スペクトル帯域の中のあるセル上で送信されるＤＬサブフレームの中での）ＣＳＩ基準信号の構成に関する曖昧さは、第２のサブフレームにおいて第１のサブフレームのための構成を明示的にインジケーションすることによって対処される。この選択肢は、ＣＳＩ基準信号構成のクロスサブフレームインジケーションと呼ばれることがあり、図５Ａおよび図５Ｂを参照してより詳細に説明される。
【０１１１】
[0131]図５Ａは、本開示の様々な態様による、ＣＳＩ基準信号構成のクロスサブフレームインジケーションの例５００を示す。例５００では、ｅＮＢは、専用周波数スペクトル帯域における第１のセル５０５と共有周波数スペクトル帯域における第２のセル５１０と（いくつかの場合には、専用周波数スペクトル帯域または共有周波数スペクトル帯域における追加のセルと）を含む、複数のセル上でＵＥと通信し得る。ｅＮＢおよびＵＥは、図１、図２、図４Ａ、および図４Ｂを参照して説明されたｅＮＢ１０５またはＵＥ１１５の態様の例であり得る。
【０１１２】
[0132]図５Ａに示されるように、第２のセル５１０上で送信機会において送信される１つまたは複数のＤＬサブフレーム５２０のセットにおけるＣＳＩ基準信号の存在は、第１のセル５０５上で送信されるＤＬサブフレーム５１５において（たとえば、基準信号サブフレームインジケータによって）示され得る（たとえば、クロスサブフレームインジケーションはクロスキャリアインジケーションであり得る）。第１のセル５０５および第２のセル５１０で送信されるサブフレームのタイミングが同期しているとき（たとえば、サブフレームがアラインされているとき）、クロスサブフレームインジケーションは、１つまたは複数のＤＬサブフレーム５２０のセットのインジケータを含み得る（たとえば、ＤＬサブフレーム５１５はサブフレームインデックスｎを有することがあり、１つまたは複数のＤＬサブフレーム５２０のセットはサブフレームインデックスｎ＋ｍを有するＤＬサブフレーム５２５とともに開始することがあり、クロスサブフレームインジケーションはｍの値を示すことがある）。いくつかの例では、ｍは、０以下であり得るような任意の整数であり得る。ｍが負の整数であり得るとき、第１のセル５０５および第２のセル５１０上でＤＬサブフレームを受信するＵＥは、データの少なくともｍ個のサブフレームをバッファリングする。
【０１１３】
[0133]いくつかの例では、ＣＳＩ基準信号構成のクロスサブフレームインジケーションは、単一のＤＬサブフレーム（たとえば、第２のセル５１０の単一のＤＬサブフレーム、この単一のＤＬサブフレームは第１のセル５０５のＤＬサブフレームとアラインされる）におけるＣＳＩ基準信号の存在（または不在）を示し得る。いくつかの例では、ＣＳＩ基準信号構成のクロスサブフレームインジケーションは、Ｎ個のＤＬサブフレームにおけるＣＳＩ基準信号の存在（または不在）を示すことがあり、ここでＮ≧１である。しかしながら、ＣＳＩ基準信号がＤＬサブフレームに存在することをクロスサブフレームインジケーションが示すとき、ＵＥはそれでも、ＤＬサブフレームが有効なＤＬサブフレームであることを検証しなければならないことがある（たとえば、ＵＥは、共有周波数スペクトル帯域へのアクセスについての競争にｅＮＢが勝ったことを検証しなければならないことがある）。
【０１１４】
[0134]いくつかの例では、ＣＳＩ基準信号構成のクロスサブフレームインジケーションは、あり得るＣＳＩ基準信号構成のセットの中からの選択を示し得る。クロスサブフレームインジケーションは、第１のセル５０５のダウンリンク制御チャネルに含まれるＤＣＩフォーマットのフィールドを使用して（たとえば、ｅＩＭＴＡ構成が示されるのと同様に）示され得る。ＣＳＩ基準信号構成のクロスサブフレームインジケーションはまた、ｅＮＢと関連付けられるＵＥのサブセット（またはすべて）に知られている異なるＲＮＴＩを用いて示され得る。クロスサブフレームインジケーションのためのタイミング参照は、いくつかの場合、クロスサブフレームインジケーションを含む許可が復号されるサブフレームから導き出され得る。
【０１１５】
[0135]１つまたは複数のＤＬサブフレーム５２０のセットが１つまたは複数の動的なＴＴＩに同期されたＬＢＴ送信の一部として送信されるとき、周期的な無線フレーム構造の代わりに、ＬＢＴ送信を受信するＵＥは、第１のセル５０５に対して同期していないシンボルタイミングを少なくとも１つの動的なＴＴＩが有することを識別することがあり、ＬＢＴ送信と関連付けられる検出されたシンボルプリアンブルに基づいて、ＣＳＩ基準信号構成の場所（たとえば、シンボル位置）を決定することがある。例５００のいくつかの変形では、第１のセル５０５および第２のセル５１０はともに、共有周波数スペクトル帯域において提供され得る。
【０１１６】
[0136]図５Ｂは、本開示の様々な態様による、ＣＳＩ基準信号構成のクロスサブフレームインジケーションの例５５０を示す。例５５０では、ｅＮＢは、共有周波数スペクトル帯域におけるセル５５５上で（およびいくつかの場合、共有周波数スペクトル帯域における追加のセル、または専用周波数スペクトル帯域における１つまたは複数のセル上で）ＵＥと通信し得る。ｅＮＢおよびＵＥは、図１、図２、図４Ａ、および図４Ｂを参照して説明されたｅＮＢ１０５またはＵＥ１１５の態様の例であり得る。
【０１１７】
[0137]図５Ｂに示されるように、セル５５５上で送信機会において送信される１つまたは複数のＤＬサブフレーム５６０のセットにおけるＣＳＩ基準信号の存在は、セル５５５上で送信される別のＤＬサブフレーム５６５において（たとえば、基準信号サブフレームインジケータによって）示され得る（たとえば、クロスサブフレームインジケーションは自己スケジューリングされ得る）。いくつかの例では、クロスサブフレームインジケーションは、１つまたは複数のＤＬサブフレーム５６０のセットのインジケータを含み得る（たとえば、ＤＬサブフレーム５６５はサブフレームインデックスｎを有することがあり、１つまたは複数のＤＬサブフレーム５６０のセットはサブフレームインデックスｎ＋ｍを有するＤＬサブフレーム５７０とともに開始することがあり、クロスサブフレームインジケーションはｍの値を示すことがある）。
【０１１８】
[0138]いくつかの例では、ＣＳＩ基準信号構成のクロスサブフレームインジケーションは、単一のＤＬサブフレーム（たとえば、セル５５５のＤＬサブフレームとアラインされる単一のＤＬサブフレーム）におけるＣＳＩ基準信号の存在（または不在）を示し得る。いくつかの例では、ＣＳＩ基準信号構成のクロスサブフレームインジケーションは、Ｎ個のＤＬサブフレームにおけるＣＳＩ基準信号の存在（または不在）を示すことがあり、ここでＮ≧１である。しかしながら、ＣＳＩ基準信号がＤＬサブフレームに存在することをクロスサブフレームインジケーションが示すとき、ＵＥはそれでも、ＤＬサブフレームが有効なＤＬサブフレームであることを検証しなければならないことがある（たとえば、ＵＥは、共有周波数スペクトル帯域へのアクセスについての競争にｅＮＢが勝ったことを検証しなければならないことがある）。
【０１１９】
[0139]いくつかの例では、ＣＳＩ基準信号構成のクロスサブフレームインジケーションは、ＵＥ固有の許可において提供され得る。いくつかの例では、ＣＳＩ基準信号構成のクロスサブフレームインジケータは、共通の許可（たとえば、ＰＤＳＣＨ許可）において、または（たとえば、物理フレームフォーマットインジケーションチャネル（ＰＦＦＩＣＨ）と同様の）物理レイヤチャネル送信において提供され得る。いくつかの例では、ＣＳＩ基準信号構成のクロスサブフレームインジケーションは、あり得るＣＳＩ基準信号構成のセットの中からの選択を示し得る。クロスサブフレームインジケータは、セル５５５のダウンリンク制御チャネルに含まれるＤＣＩフォーマットのフィールドを使用して（たとえば、どのようにｅＩＭＴＡ構成が示されるかと同様に）示され得る。
【０１２０】
[0140]ｅＮＢが動的なＴＴＩ（たとえば、複数のＤＬサブフレームの部分を含み得るＴＴＩ）を有する固定されたＤＬサブフレームを使用してＵＥと通信するとき、ＣＳＩ基準信号構成のクロスサブフレームインジケーションは、図５Ａおよび図５Ｂを参照して説明されたように使用され得る。動的なＴＴＩが送信のために使用されるとき、クロスサブフレームインジケーションのための時間参照は、チャネル予約信号（たとえば、ＣＵＢＳ）が検出されるサブフレームのための時間参照であり得る。
【０１２１】
[0141]共有周波数スペクトル帯域においてＵＥと通信するとき、時々、ジョイント許可（たとえば、複数のセルにおけるリソースの許可、ここでこれらのセルはキャリアアグリゲーション動作またはマルチ接続動作において使用され得る）を送信することによって通信オーバーヘッドが減らされることがある。しかしながら、ジョイント許可は、共有周波数スペクトル帯域の中のどれだけのセルが利用可能であるかをｅＮＢが知る前に（たとえば、ＣＣＡプロシージャまたはＥＣＣＡプロシージャが完了する１〜２ミリ秒前に）準備または送信される必要があり得る。したがって、ジョイント許可の送信は曖昧さにつながることがある。この曖昧さは、ＨＡＲＱバッファの破損をもたらし得る。
【０１２２】
[0142]いくつかの態様によれば、ジョイント許可における曖昧さは、ＤＬバーストの最初に送信されるＮ個（Ｎ≧１）のＤＬサブフレームに対して個別許可（たとえば、セルごとの個別のリソース許可）を準備して送信し、Ｎ個のＤＬサブフレームの後に送信されるＤＬサブフレームに対してジョイント許可の送信へと切り替えることによって、対処される。したがって、個別許可は、ＤＬバーストを送信するときにｅＮＢが使用する予定のセルのセットのために送信されることがあり、ジョイント許可は、実際に利用可能であり使用されることになるセルのために送信されることがある。このスキームでは、そのための許可が送信されるセルが利用可能でないことは、その利用不可能なセルのためにスケジューリングされた送信の部分に関する曖昧さにつながるだけであり、他のセルのためにスケジューリングされた送信の部分に関する曖昧さにはつながらない。しかしながら、個別許可が自己スケジューリングされる場合、利用不可能なセルへのアクセスについての競争に勝つのにｅＮＢが失敗することで、利用不可能なセルのための個別許可が送信されないようになることがあり、このことは曖昧さを完全になくす。
【０１２３】
[0143]図６は、本開示の様々な態様による、ジョイント許可送信および処理、ならびに個別許可送信および処理の例６００を示す。例６００では、ｅＮＢ１０５−ｆは、共有周波数スペクトル帯域における少なくとも１つのセル（およびいくつかの場合、共有周波数スペクトル帯域における少なくとも１つのセル、または専用周波数スペクトル帯域における少なくとも１つのセル）を含む、セルのセットでＵＥ１１５−ｇと通信し得る。ｅＮＢおよびＵＥは、図１、図２、図４Ａ、および図４Ｂを参照して説明されたｅＮＢ１０５またはＵＥ１１５の態様の例であり得る。
【０１２４】
[0144]６０５において、ｅＮＢ１０５−ｆは、ＬＢＴ送信（たとえば、送信機会におけるＤＬバースト）において使用するために識別されたセルの第１のセットに対するいくつかの個別許可を準備し得る。セルの第１のセットは、共有周波数スペクトル帯域の中の少なくとも１つのセルを含み得る。
【０１２５】
[0145]６１０において、ｅＮＢ１０５−ｆは、共有周波数スペクトル帯域の中の少なくとも１つのセルへのアクセス権をめぐって争い得る。共有周波数スペクトル帯域の中の少なくとも１つのセルの各々への競争のためのアクセスに勝つと、または負けると、ｅＮＢ１０５−ｆは、ＬＢＴ送信において使用するためのセルの第２のセットを識別することができ、６１５において、セルの第２のセットの各々でチャネル予約信号（たとえば、ＣＵＢＳ）を送信することができる。セルの第２のセットはセルの第１のセットの中のセルのすべてを含むことがあり、または、共有周波数スペクトル帯域の中の１つまたは複数のセルへのアクセスについての競争に勝たない場合、セルの第２のセットはセルの第１のセットの中のセルのサブセットを含むことがある。
【０１２６】
[0146]６２０において、ｅＮＢ１０５−ｆは、ＵＥ１１５−ｇへのＬＢＴ送信のサブフレームの第１のセットを送信し得る。サブフレームの第１のセットは、セルの第２のセットにおいて送信されることがあり、サブフレームの第１のセットのための第１のスケジューリング構成を含むことがある。第１のスケジューリング構成は、セルの第２のセットの１つまたは複数の探索空間を含むことがあり、ここで１つまたは複数の探索空間は、セルの第２のセットに向けられた（６０５において準備された）少なくとも個々の許可を搬送する。
【０１２７】
[0147]６２５において、ＵＥ１１５−ｇは、ＬＢＴ送信のサブフレームの第１のセットのための第１のスケジューリング構成を識別し得る。ＵＥ１１５−ｇはまた、第１のスケジューリング構成に従ってサブフレームの第１のセットを処理し得る。
【０１２８】
[0148]６３０において、ｅＮＢ１０５−ｆはセルの第２のセットのためのいくつかのジョイント許可を準備することができ、６３５において、ｅＮＢ１０５−ｆは、ＵＥ１１５−ｇへのＬＢＴ送信のサブフレームの第２のセットを送信することができる。サブフレームの第２のセットは、セルの第２のセットにおいて送信されることがあり、サブフレームの第２のセットのための第２のスケジューリング構成を含むことがある。第２のスケジューリング構成は、セルの第２のセットの少なくとも１つの探索空間を介して運ばれることがあり、ここで少なくとも１つの探索空間は６３０において準備されたジョイント許可を搬送する。ジョイント許可は自己スケジューリングされることがあり（すなわち、ジョイント許可はジョイント許可が対応するセル上で送信されることがあり）、クロススケジューリングされることがあり（すなわち、ジョイント許可はジョイント許可が対応するセル以外のセル上で送信されることがあり）、またはセルの第２のセットのジョイント探索空間内で搬送されることがある。クロススケジューリングの場合、ＵＥ１１５−ｇのためのジョイント許可が送信されるセルは、ＵＥ固有識別子（たとえば、ＵＥ１１５−ｇに割り当てられるＲＮＴＩ）に少なくとも一部基づいて決定され得る。他のＵＥのためのジョイント許可は、同じセルまたは異なるセルにおいて送信され得る。ジョイント許可の自己スケジューリングおよびクロスキャリアスケジューリングは、個別のスケジューリングのためのセルの構成とは無関係であり得る。
【０１２９】
[0149]６４０において、ＵＥ１１５−ｇは、ＬＢＴ送信のサブフレームの第２のセットのための第２のスケジューリング構成を識別し得る。ＵＥ１１５−ｇはまた、第２のスケジューリング構成に従ってサブフレームの第２のセットを処理し得る。
【０１３０】
[0150]共有周波数スペクトル帯域においてＵＥと通信するとき、共有周波数スペクトル帯域へのアクセスについての競争に勝つまたは負けるタイミングは常にはあらかじめ決められておらず、（たとえば、ＥＣＣＡを実行する場合）変化し得る。いくつかの場合、共有周波数スペクトル帯域へのアクセスについての競争に、次のサブフレーム境界の近くで勝つことがあるので、次のサブフレーム境界まで共有周波数スペクトル帯域を予約し、次のサブフレーム境界において送信を開始することで、免許セルと免許不要セルとの間のサブフレームの同期が、比較的低コストで維持されることが可能になる。他の場合、共有周波数スペクトル帯域へのアクセスについての競争に、次のサブフレーム境界より十分に前に勝つことがあるので、次のサブフレーム境界まで共有周波数スペクトル帯域を予約し、次のサブフレーム境界において送信を開始することは、大量のリソースの無駄遣いになる。そのようなリソースの無駄遣いは、たとえば、送信に利用可能な潜在的なサブフレーム（またはＴＴＩ）の数がすでに小さいときに、目立ち得る。たとえば、一部の管轄区域では、ＬＴＥ／ＬＴＥ−Ａ送信のためのＴＴＩは４ミリ秒（たとえば、４つのサブフレーム）に限定される。
【０１３１】
[0151]部分的なサブフレームの送信（たとえば、サブフレームまたはＴＴＩの最大の送信時間長未満の時間長を使用する送信）が、リソースの無駄遣いを軽減するために使用され得る。しかしながら、潜在的な開始時間の数と、部分的なサブフレームの時間長とが、増大する処理、電力使用量などの点で、ＵＥに対して負担になり得る。部分的なサブフレームによってＵＥに課される負担を減らすための１つの方法は、図７において説明されるように、制御チャネルモニタのためにＵＥがモニタしなければならないアンテナポートの数を減らすことである。
【０１３２】
[0152]図７は、本開示の様々な態様による、部分的な制御チャネルのモニタのためのアンテナポートの限られたセットの図７００を示す。アンテナポートアンテナポートのセット７１０−ａ、７１０−ｂ、７１０−ｃ、および７１０−ｄは、ダウンリンクチャネル７０５の基準信号（たとえば、ＵＥ−ＲＳ）にマッピングされ得る。
【０１３３】
[0153]共有周波数スペクトル帯域の中のセルにおいてＤＬサブフレームを送信する前に、ｅＮＢ１０５−ｇは、（たとえば、ＣＣＡまたはＥＣＣＡを実行することによって）共有周波数スペクトル帯域の中の１つまたは複数のセルへのアクセスをめぐって争い得る。共有周波数スペクトル帯域の中のセルへのアクセスについての競争に勝つと、または負けると、ｅＮＢ１０５は、ＤＬサブフレームをＵＥ１１５に送信し得る。共有周波数スペクトル帯域の中のセルへのアクセスについての競争にいつｅＮＢ１０５が勝つか、または負けるかに応じて、ＤＬサブフレームは、完全なサブフレームまたは部分的なサブフレームであることがあり、他のＤＬサブフレームと比較して同じまたは異なる開始時間を有することがある。いくつかの例では、ＤＬサブフレームは、アンテナポート７１０−ａと、７１０−ｂと、７１０−ｃと、７１０−ｄとを含む、アンテナポートの第１のセットの様々なアンテナポートを使用して送信され得る。ＤＬサブフレームの制御チャネル（たとえば、共有周波数スペクトル帯域の１つまたは複数のセルのためのＰＤＣＣＨまたはＥＰＤＣＣＨ）は、アンテナポート７１０の１つに従って変調され、ＵＥ１１５に送信され得る。したがって、ＵＥ１１５は、アンテナポートのためのチャネル推定と干渉推定とを実行し、制御チャネル候補（たとえば、ブラインド復号候補）を復調するためにそのチャネル推定と干渉推定とを使用することによって、制御チャネルを受信して復号し得る。
【０１３４】
[0154]ＤＬサブフレームは完全なサブフレームまたは部分的なサブフレームであることがあり、いくつかの異なる開始時間のうちの１つを有することがあるので、ＵＥ１１５は、異なる時間期間において発生する（またはわたる）探索空間を含む、制御チャネルのためのツー著しく多数の制御チャネル探索空間を必要とすることがある。多数の制御チャネル探索空間をモニタすることは、処理と、電力使用量と、他の負担とをＵＥ１１５に課し得る。しかしながら、これらの負担は、制御チャネルを送信するために使用されるアンテナポート７１０のセットを限定することによって軽減され得る。図７に示されるように、アンテナポート７１０−ａと７１０−ｂとを含む、アンテナポートの限られたセット７２０が使用される。ＬＴＥ／ＬＴＥ−Ａでは、アンテナポート１０７／１０８／１０９／１１０がｅＰＤＣＣＨの復調のために定義されることがあり、アンテナポートの限られたセット７２０は、いくつかの例ではアンテナポート１０７／１０８に対応することがある。
【０１３５】
[0155]アンテナポートの第２のセット（たとえば、アンテナポート７１０−ａおよび７１０−ｂ）の限られたセットをモニタするとき、ＵＥ１１５は、アンテナポートの第２のセットの限られたセットからチャネル復調情報（たとえば、ＳＮＲまたは干渉推定）を推定し、制御チャネル探索空間を決定し、アンテナポートの第２のセットの限られたセットから推定されたチャネル復調情報を使用して制御チャネル探索空間の中の制御チャネル候補を復調し得る。
【０１３６】
[0156]前に論じられたように、共有周波数スペクトル帯域へのアクセスについての競争に勝つまたは負けるタイミングは常にあらかじめ決められておらず、（たとえば、ＥＣＣＡを実行する場合）変化し得る。このことは、部分的なサブフレームがｅＮＢまたはＵＥの間の通信に利用可能であり得る状況を生み出し得る。いくつかの場合、部分的なサブフレームはＬＢＴ送信の始めに送信され得る。他の場合、図８Ａおよび図８Ｂを参照してより詳細に説明されるように、部分的なサブフレームは、ＬＢＴ送信の始まりと同期された動的な（たとえば、浮動的な）ＴＴＩに組み込まれることがあり、これらの場合のいくつかでは、図９を参照してより詳細に説明されるように、延長されたＴＴＩがＬＢＴ送信の終わりに設けられ得る。動的なＴＴＩを使用するとき、基準信号（たとえば、ＣＲＳおよびＵＥ−ＲＳ）、ＰＤＣＣＨ、およびＰＣＦＩＣＨなどの送信の構成要素はサブフレーム境界と同期され得るが、ＰＤＳＣＨは動的なＴＴＩと同期されることがあり、この動的なＴＴＩは、共有周波数スペクトル帯域へのアクセスについての競争にｅＮＢがいつ勝つかまたは負けるかに応じた開始時間を有し得る。たとえば、サブフレームが１４個のシンボル期間という長さまたは時間長を有し、サブフレームが送信される共有周波数スペクトル帯域へのアクセスについての競争にシンボル期間８において勝つとき、サブフレームのためのＰＤＳＣＨは、シンボル期間８で開始し次のサブフレームのシンボル期間７まで延びる動的なＴＴＩにマッピングされ得る。
【０１３７】
[0157]図８Ａは、本開示の様々な態様による、動的なＴＴＩの使用の例８００を示す。例８００では、ｅＮＢは、共有周波数スペクトル帯域において動作するセル８１０上で（およびいくつかの場合、共有周波数スペクトル帯域における、または専用周波数スペクトル帯域における追加のセル上で）ＵＥと通信し得る。ｅＮＢおよびＵＥは、図１、図２、図３、図６、および図７を参照して説明されたｅＮＢ１０５またはＵＥ１１５の態様の例であり得る。
【０１３８】
[0158]図８Ａに示されるように、共有周波数スペクトル帯域において動作するセル８１０における通信は、周期的な無線フレーム構造８０５に同期されることがあり、静的なサブフレーム位置（たとえば、境界８１５−ａおよび８１５−ｂなどの静的な境界を有するサブフレーム位置）を有することがある。いくつかの例では、周期的な無線フレーム構造８０５は、専用周波数スペクトル帯域の中のＬＴＥ／ＬＴＥ−Ａセルによって使用されるＬＴＥ／ＬＴＥ−Ａ無線フレーム構造であり得る。
【０１３９】
[0159]ＬＢＴ送信のためのセル８１０へのアクセスについての競争に勝つと、ｅＮＢは、ＬＢＴ送信のためにセル８１０を予約するために、チャネル予約信号８２０（たとえば、ＣＵＢＳ）を送信し得る。チャネル予約信号８２０は、ＬＢＴ送信に対応する動的なＴＴＩ８３０のタイミング（たとえば、先頭の境界８２５−ａまたは末尾の境界８２５−ｂのタイミング）、ならびに、ＬＢＴ送信の共有データチャネル（たとえば、ＰＤＳＣＨ）の先頭の境界または末尾の境界を確立し得る。動的なＴＴＩ８３０は共有データ領域を含むことがあり、この共有データ領域は、共有データチャネルと、制御チャネル（たとえば、ＥＰＤＣＣＨ）のための探索空間８３５とを含むことがある。探索空間８３５の先頭の境界および／または末尾の境界は、動的なＴＴＩ８３０（たとえば、動的なＴＴＩ８３０の先頭の境界８２５−ａ）と静的なサブフレーム位置の境界（たとえば、境界８１５−ａ）との間のオフセット８４０（たとえば、シンボルオフセット）に少なくとも一部基づき得る。示されるように、例として、オフセット８４０は、制御チャネルのための探索空間８３５が動的なＴＴＩ８３０と同じシンボル期間のセットを含むこと（たとえば、制御チャネルのための探索空間８３５の先頭の境界および末尾の境界が動的なＴＴＩ８３０の先頭の境界８２５−ａおよび末尾の境界８２５−ｂと同時であること）をＵＥに示し得る。
【０１４０】
[0160]動的なＴＴＩ８３０の間の一部の送信は動的なＴＴＩ８３０に同期されたタイミングを有し得るが、他の送信（たとえば、基準信号（たとえば、ＣＲＳおよびＵＥ−ＲＳ）またはＰＣＦＩＣＨ）は、周期的な無線フレーム構造８０５の静的な境界に関して同期された（または固定された）時間に送信され得る。
【０１４１】
[0161]動的なＴＴＩ８３０は静的なサブフレーム構造８０５の境界とアラインされないので、非周期的ＣＳＩ報告のために使用されるべきＣＳＩ参照サブフレーム（または基準タイミング）に関しては曖昧さがあり得る。たとえば、探索空間８３５において送信される制御チャネルがＵＥからの非周期的ＣＳＩ報告を要求するとき、非周期的ＣＳＩ報告のためのＣＳＩ参照サブフレームとして、境界８１５−ａに先行するサブフレーム８４５−ａが使用されるべきか、または境界８１５−ａに後続するサブフレーム８４５−ｂ使用されるべきかに関して、ＵＥにおいて曖昧さがあり得る。いくつかの例では、この曖昧さは、セル８１０のサブフレームインデックスに対する制御チャネルのタイミングパラメータに基づいて解決され得る。たとえば、このタイミングパラメータは、探索空間８３５において送信される制御チャネルの最後のシンボル期間であることがあり、ＣＳＩ参照サブフレームは、制御チャネルの最後のシンボル期間が送信されるサブフレームであることがあり、これは図８Ａではサブフレーム８４５−ｂである。
【０１４２】
[0162]図８Ａに示されるＬＢＴ送信を受信するＵＥがＤＲＸモードで動作するように構成されるとき、ＵＥは、周期的に、またはある事象もしくは条件の発生時に、受信無効状態（たとえば、スリープ状態）に入り得る。受信無効状態から、ＵＥは、セル８１０と関連付けられるＤＲＸ構成と関連付けられるページング機会に基づいて、周期的に起動し、受信有効状態に入り得る。ページング機会の始まりは、周期的な無線フレーム構造８０５のサブフレームの始まりと同期され得る。周期的な無線フレーム構造８０５に同期されていない動的なＴＴＩに従ってＬＢＴ送信が送信されるとき、および、制御チャネルのための探索空間（たとえば、探索空間８３５）が動的なＴＴＩ（たとえば、動的なＴＴＩ８３０）に同期されるとき、ＵＥは、ＬＢＴ送信の最中に起動し、いつＬＢＴ送信が開始したかを知らず、制御チャネルのための探索空間を見つけることが不可能であることがある。これを緩和するために、ｅＮＢは、ＵＥのページング機会の最初のシンボル期間において（たとえば、周期的な無線フレーム構造８０５に同期されたサブフレームの最初のシンボル期間において）ＣＲＳを送信し得る。ｅＮＢはまた、ＵＥのページング機会内の静的な位置において、オフセット８４０のインジケーションを送信し得る。いくつかの例では、オフセット８４０のインジケーションは、ＣＲＳが送信されるのと同じシンボル期間において、しかしＣＲＳを送信するために使用されないトーンを使用して、インジケータチャネルにおいて送信され得る。
【０１４３】
[0163]図８Ｂは、本開示の様々な態様による、動的なＴＴＩの使用の例８５０を示す。例８５０では、ｅＮＢは、共有周波数スペクトル帯域において動作するセル８６０上で（およびいくつかの場合、共有周波数スペクトル帯域における、または専用周波数スペクトル帯域における追加のセル上で）ＵＥと通信し得る。ｅＮＢおよびＵＥは、図１、図２、図３、図６、および図７を参照して説明されたｅＮＢ１０５またはＵＥ１１５の態様の例であり得る。
【０１４４】
[0164]図８Ｂに示されるように、共有周波数スペクトル帯域において動作するセル８６０における通信は、周期的な無線フレーム構造８５５に同期されることがあり、静的なサブフレーム位置（たとえば、境界８６５−ａおよび８６５−ｂなどの静的な境界を有するサブフレーム位置）を有することがある。いくつかの例では、周期的な無線フレーム構造８５５は、専用周波数スペクトル帯域の中のＬＴＥ／ＬＴＥ−Ａセルによって使用されるＬＴＥ／ＬＴＥ−Ａ無線フレーム構造であり得る。
【０１４５】
[0165]ＬＢＴ送信のためのセル８６０へのアクセスについての競争に勝つと、ｅＮＢは、ＬＢＴ送信のためにセル８６０を予約するために、チャネル予約信号８７０（たとえば、ＣＵＢＳ）を送信し得る。チャネル予約信号８７０は、ＬＢＴ送信に対応する動的なＴＴＩ８８０のタイミング（たとえば、先頭の境界８７５−ａまたは末尾の境界８７５−ｂのタイミング）、ならびに、ＬＢＴ送信の共有データチャネル（たとえば、ＰＤＳＣＨ）の先頭の境界または末尾の境界を確立し得る。動的なＴＴＩ８８０は共有データ領域を含むことがあり、この共有データ領域は、共有データチャネルと、制御チャネル（たとえば、ＥＰＤＣＣＨ）のための探索空間８８５とを含むことがある。探索空間８８５の先頭の境界および／または末尾の境界は、動的なＴＴＩ８８０（たとえば、動的なＴＴＩ８８０の先頭の境界８７５−ａ）と静的なサブフレーム位置の境界（たとえば、境界８６５−ａ）との間のオフセット８９０（たとえば、シンボルオフセット）に少なくとも一部基づき得る。示されるように、例として、オフセット８９０は、制御チャネルのための探索空間８８５が動的なＴＴＩ８８０のシンボル期間のサブセットを含むことをＵＥに示し得る。いくつかの例では、探索空間８８５に含まれるシンボル期間のサブセットは、静的なサブフレーム位置の境界（たとえば、境界８６５−ａおよび８６５−ｂ）に関して固定され得る（たとえば、探索空間８８５の場所は静的なサブフレーム位置に関して動的なＴＴＩ８８０のタイミングとは無関係に固定され得る）。例として、図８Ｂは、探索空間８８５が静的なサブフレーム境界（たとえば、境界８６５−ａまたは８６５−ｂ）に先行する４つのシンボル期間を含むことを示す。
【０１４６】
[0166]いくつかの例では、制御チャネルのための探索空間８８５に含まれるシンボル期間の数、または探索空間８８５の場所は、オフセット８９０の存在に基づくことがあり、オフセット８９０の長さとは無関係に同じ数のシンボル期間を含むことがある。他の例では、制御チャネルのための探索空間８８５に含まれるシンボル期間の数、または探索空間８８５の場所は、オフセット８９０の長さに基づいて変化することがある。
【０１４７】
[0167]動的なＴＴＩ８８０の間の一部の送信は動的なＴＴＩ８８０に同期されたタイミングを有し得るが、他の送信（たとえば、基準信号（たとえば、ＣＲＳおよびＵＥ−ＲＳ）またはＰＣＦＩＣＨ）は、周期的な無線フレーム構造８５５の静的な境界に関して同期された（または固定された）時間に送信され得る。
【０１４８】
[0168]動的なＴＴＩ８８０は静的なサブフレーム構造８５５の境界とアラインされないので、非周期的ＣＳＩ報告のために使用されるべきＣＳＩ参照サブフレーム（または基準タイミング）に関しては曖昧さがあり得る。たとえば、探索空間８８５において送信される制御チャネルがＵＥからの非周期的ＣＳＩ報告を要求するとき、非周期的ＣＳＩ報告のためのＣＳＩ参照サブフレームとして、境界８６５−ａに先行するサブフレーム８９５−ａが使用されるべきか、または境界８６５−ａに後続するサブフレーム８９５−ｂ使用されるべきかに関して、ＵＥにおいて曖昧さがあり得る。いくつかの例では、この曖昧さは、セル８１０のサブフレームインデックスに対する制御チャネルのタイミングパラメータに基づいて解決され得る。たとえば、このタイミングパラメータは、探索空間８８５において送信される制御チャネルの最後のシンボル期間であることがあり、ＣＳＩ参照サブフレームは、制御チャネルの最後のシンボル期間が送信されるサブフレームであることがあり、これは図８Ｂではサブフレーム８９５−ａである。
【０１４９】
[0169]図８Ｂに示されるＬＢＴ送信を受信するＵＥがＤＲＸモードで動作するように構成されるとき、ＵＥは、周期的に、またはある事象もしくは条件の発生時に、受信無効状態（たとえば、スリープ状態）に入り得る。受信無効状態から、ＵＥは、セル８６０と関連付けられるＤＲＸ構成と関連付けられるページング機会に基づいて、周期的に起動し、受信有効状態に入り得る。ページング機会の始まりは、周期的な無線フレーム構造８５５のサブフレームの始まりと同期され得る。周期的な無線フレーム構造８５５に同期されていない動的なＴＴＩに従ってＬＢＴ送信が送信されるとき、および、制御チャネルのための探索空間（たとえば、探索空間８８５）が動的なＴＴＩ（たとえば、動的なＴＴＩ８８０）に同期されるとき、ＵＥは、ＬＢＴ送信の最中に起動し、いつＬＢＴ送信が開始したかを知らず、制御チャネルのための探索空間を見つけることが不可能であることがある。これを緩和するために、ｅＮＢは、ＵＥのページング機会の最初のシンボル期間において（たとえば、周期的な無線フレーム構造８５５に同期されたサブフレームの最初のシンボル期間において）ＣＲＳを送信し得る。ｅＮＢはまた、ＵＥのページング機会内の静的な位置において、オフセット８９０のインジケーションを送信し得る。いくつかの例では、オフセット８９０のインジケーションは、ＣＲＳが送信されるのと同じシンボル期間において、しかしＣＲＳを送信するために使用されないトーンを使用して、インジケータチャネルにおいて送信され得る。
【０１５０】
[0170]図９は、本開示の様々な態様による、動的なＴＴＩの使用の例９００を示す。例９００では、ｅＮＢは、共有周波数スペクトル帯域において動作するセル９１０上で（およびいくつかの場合、共有周波数スペクトル帯域における、または専用周波数スペクトル帯域における追加のセル上で）ＵＥと通信し得る。ｅＮＢおよびＵＥは、図１、図２、図３、図６、および図７を参照して説明されたｅＮＢ１０５またはＵＥ１１５の態様の例であり得る。
【０１５１】
[0171]図９に示されるように、共有周波数スペクトル帯域において動作するセル９１０における通信は、周期的な無線フレーム構造９０５に同期されることがあり、静的なサブフレーム位置（たとえば、境界９１５−ａ、９１５−ｂ、および９１５−ｃなどの静的な境界を有するサブフレーム位置）を有することがある。いくつかの例では、周期的な無線フレーム構造９０５は、専用周波数スペクトル帯域の中のＬＴＥ／ＬＴＥ−Ａセルによって使用されるＬＴＥ／ＬＴＥ−Ａ無線フレーム構造であり得る。
【０１５２】
[0172]ＬＢＴ送信のためのセル９１０へのアクセスについての競争に勝つと、ｅＮＢは、ＬＢＴ送信のためにセル９１０を予約するために、チャネル予約信号９２０（たとえば、ＣＵＢＳ）を送信し得る。チャネル予約信号９２０は、ＬＢＴ送信に対応する動的なＴＴＩ９３０のタイミング（たとえば、先頭の境界９２５−ａまたは末尾の境界９２５−ｂのタイミング）、ならびに、ＬＢＴ送信の共有データチャネル（たとえば、ＰＤＳＣＨ）の先頭の境界または末尾の境界を確立し得る。動的なＴＴＩ９３０は共有データ領域を含むことがあり、この共有データ領域は、共有データチャネルと、制御チャネル（たとえば、ＰＤＣＣＨまたはＥＰＤＣＣＨ）のための探索空間９３５とを含むことがある。探索空間９３５の先頭の境界および／または末尾の境界は、動的なＴＴＩ９３０（たとえば、動的なＴＴＩ９３０の先頭の境界９２５−ａ）と静的なサブフレーム位置の境界（たとえば、境界９１５−ａ）との間のオフセット９４０（たとえば、シンボルオフセット）に少なくとも一部基づき得る。示されるように、例として、オフセット９４０は、制御チャネルのための探索空間９３５が動的なＴＴＩ９３０と同じシンボル期間のセットを含むこと（たとえば、制御チャネルのための探索空間９３５の先頭の境界および末尾の境界が動的なＴＴＩ９３０の先頭の境界９２５−ａおよび末尾の境界９２５−ｂと同時であること）をＵＥに示し得る。
【０１５３】
[0173]図９にも示されるように、ＬＢＴ送信は、いくつかの場合、動的なＴＴＩの終わりにおいてではなく、周期的な無線フレーム構造９０５の中のサブフレーム位置のうちの１つの静的な境界（たとえば、境界９１５−ｃ）において終了し得る。時々、サブフレーム位置のうちの１つの静的な境界（たとえば、境界９１５−ｂ）においてＬＢＴ送信を終了することにより生じる部分的なサブフレームの長さは、最小の部分的なサブフレームの長さより短い長さを有する部分的なサブフレーム９４５をもたらす。そのような場合、部分的なサブフレーム９４５は、部分的なサブフレーム９４５を含む延長されたＴＴＩ（たとえば、延長されたＴＴＩ９５０）へと組み込まれ得る。最小の部分的なサブフレーム長が４つのシンボル期間である場合、延長されたＴＴＩの長さは、１４個、１５個、１６個、または１７個のシンボル期間であり得る。例として、延長されたＴＴＩ９５０の長さは１６個のシンボル期間である。
【０１５４】
[0174]いくつかの例では、ＰＦＦＩＣＨまたは制御チャネルにおいて受信される許可のうちの少なくとも１つに含まれるフィールドが、ＬＢＴ送信の延長された（または最後の）ＴＴＩ９５０のシンボル期間の数をシグナリングし得る。いくつかの例では、延長されたＴＴＩ９５０は共有データ領域を含むことがあり、この共有データ領域は、共有データチャネルと、制御チャネル（たとえば、ＰＤＣＣＨまたはＥＰＤＣＣＨ）のための探索空間９５５とを含むことがある。制御チャネルのための探索空間９５５の先頭の境界および／または末尾の境界は、延長されていないＴＴＩの中のシンボル期間の数（または周期的な無線フレーム構造９０５の静的なサブフレームの中のシンボル期間の数）に少なくとも一部基づき得る。代わりに、制御チャネルのための探索空間９５５の先頭の境界および／または末尾の境界は、延長されたＴＴＩ９５０に含まれるシンボル期間の数に少なくとも一部基づき得る。後者の場合、制御チャネルのための探索空間９５５がマッピングされないシンボル期間は、いくつかの場合、ＰＤＳＣＨデータとＣＲＳとを搬送するだけである（たとえば、ＣＳＩ−ＲＳなどを搬送しない）ことがある。探索空間９５５の構成は、レートマッチングの目的でＵＥに示され、および／またはＵＥによって決定され得る。
【０１５５】
[0175]ｅＮＢは、１つまたは複数のセルの各々の上でＤＲＳを周期的に送信し得る。ＤＲＳは、発見ウィンドウ内の固定された場所で（たとえば、セルＩＤに少なくとも一部基づく固定された場所で）、または、発見ウィンドウ内の１つまたは複数の構成可能な場所で送信され得る。ｅＮＢが複数のセル上で同時に送信するとき、ｅＮＢは同様に、セルの各々のためのＤＲＳを同時に送信し得る。しかしながら、共有周波数スペクトル帯域において複数のＤＲＳを送信するとき、ｅＮＢは、共有周波数スペクトル帯域に対する総合送信出力の制限を実施することを求められることがあり、この総合送信出力の制限は、共有周波数スペクトル帯域における同時送信の出力を制限することをｅＮＢに求める。したがって、最大の送信出力で共有周波数スペクトル帯域のセルにおいて各ＤＲＳを送信する代わりに、各ＤＲＳは、総合送信出力の制限を満たすように、最大の送信出力の２５％以下に制限され得る。各ＤＲＳの送信出力を下げることで、ｅＮＢが発見され得るカバレッジエリアのサイズを小さくすることができる。
【０１５６】
[0176]図１０は、本開示の様々な態様による、ＤＭＴＣ期間内の発見ウィンドウの割振りの例１０００を示す。例１０００では、ｅＮＢは、共有周波数スペクトル帯域の中の１つまたは複数のセルのセットの上で（たとえば、セル１００５、１０１０、および１０１５の上で）（およびいくつかの場合、共有周波数スペクトル帯域における、または専用周波数スペクトル帯域における追加のセル上で）ＵＥと通信し得る。ｅＮＢおよびＵＥは、図１、図２、図３、図６、および図７を参照して説明されたｅＮＢ１０５またはＵＥ１１５の態様の例であり得る。
【０１５７】
[0177]図１０に示されるように、ＤＭＴＣ期間１０２０は、セル１００５、１０１０、および１０１５のセットと関連付けられ得る。ＤＭＴＣ期間１０２０は、ｅＮＢのネットワークまたはグループ内で動作するすべてのｅＮＢのすべてのセルと関連付けられ得る。ＤＭＴＣ期間１０２０内で、発見ウィンドウ１０２５は、セル１００５、１０１０、および１０１５のセットを介して通信するｅＮＢのために構成され得る。いくつかの例では、発見ウィンドウ１０２５はサブフレームであり得る。いくつかの例では、ＤＭＴＣ期間１０２０は４０〜８０ミリ秒のオーダーの時間長を有することがあり、発見ウィンドウ１０２５は５〜１０ミリ秒のオーダーの時間長を有することがある。他のｅＮＢに対しては、他の重複しないまたは重複する発見ウィンドウが構成され得る。
【０１５８】
[0178]いくつかの例では、セル１００５、１０１０、および１０１５のセットを介して通信するｅＮＢは、発見ウィンドウ１０２５内の固定された場所で、または発見ウィンドウ１０２５内の１つまたは複数の構成可能な場所で、セルの各々の上でＤＲＳを同時に送信し得る。しかしながら、同時のＤＲＳ送信は、総合送信出力の制限によって出力制限され得る。総合送信出力の制限の影響を軽減するための１つの方法は、セル１００５、１０１０、および１０１５に対して千鳥状（staggered）のＤＭＴＣ期間のセットを定義することである。千鳥状のＤＭＴＣ期間、およびそれらの中の発見ウィンドウにより、異なるセルにおいて送信されるＤＲＳが異なる時間に送信されるようになり得るので、ｅＮＢが共有周波数スペクトル帯域に対して総合送信出力の制限を実施する必要がなくなる。総合送信出力の制限の影響を軽減するための別の方法が、図１１を参照して説明される。
【０１５９】
[0179]図１１は、本開示の様々な態様による、ＤＲＳが複数のセルの各々において送信され得る例示的な発見ウィンドウ１１００を示す。発見ウィンドウ１１００では、ｅＮＢは、共有周波数スペクトル帯域の中の１つまたは複数のセルのセットの上で（たとえば、セル１１０５、１１１０、および１１１５の上で）（およびいくつかの場合、共有周波数スペクトル帯域における、または専用周波数スペクトル帯域における追加のセル上で）ＵＥと通信し得る。ｅＮＢおよびＵＥは、図１、図２、図３、図６、および図７を参照して説明されたｅＮＢ１０５またはＵＥ１１５の態様の例であり得る。
【０１６０】
[0180]発見ウィンドウ１１００は、図１０を参照して説明された発見ウィンドウ１０００の例であることがあり、ＤＭＴＣ期間内に割り振られることがある。第１のＤＲＳ１１２０は第１のセル１１０５において送信されることがあり、第２のＤＲＳ１１２５は第２のセル１１１０において送信されることがあり、第３のＤＲＳ１１３０は第３のセル１１１５において送信されることがある。第１のＤＲＳ１１２０、第２のＤＲＳ１１２５、および第３のＤＲＳ１１３０のための開始シンボル期間（または開始シンボルオフセット）は、第１のＤＲＳ１１２０、第２のＤＲＳ１１２５、および第３のＤＲＳ１１３０が重複しないように千鳥状にされることがあり、これによって、第１のＤＲＳ１１２０、第２のＤＲＳ１１２５、および第３のＤＲＳ１１３０の各々が、最高で、共有周波数スペクトル帯域に対する総合送信出力の制限によって許容される最大の送信出力で送信されることが可能になる。いくつかの例では、ＤＲＳのための開始シンボルの場所は、ＤＲＳが送信されるセルのセルＩＤに応じたものであり得る。いくつかの例では、開始シンボルの場所は異なる周波数スペクトル帯域において再使用されることがあり、ここで異なる周波数スペクトル帯域は独立した総合送信出力の制限と関連付けられる。
【０１６１】
[0181]ＤＲＳの送信がセル１１０５、１１１０、および１１１５の１つまたは複数の上で共有データチャネル（たとえば、ＰＤＳＣＨ）の送信と多重化されるとき、ＤＲＳの送信出力レベルはＰＤＳＣＨの送信出力レベルとは無関係に設定されることがあり、ＤＲＳの送信出力レベルが総合送信出力の制限内でのＰＤＳＣＨの同時送信を有効にするには高すぎるとき、ＰＤＳＣＨの送信出力レベルは低減されることがある（またはＰＳＤＳＣＨは送信されないことがある）。
【０１６２】
[0182]図１２は、本開示の様々な態様による、ＬＴＥ−Ｕｎｌｉｃｅｎｓｅｄのための制御フローの改善のために構成されるワイヤレスデバイス１２００のブロック図を示す。ワイヤレスデバイス１２００は、図１〜図１１を参照して説明されたＵＥ１１５の態様の例であり得る。ワイヤレスデバイス１２００は、受信機１２０５と、免許不要セル制御フローマネージャ１２１０マネージャ１２１０と、送信機１２１５とを含み得る。ワイヤレスデバイス１２００はプロセッサも含み得る。これらの構成要素の各々は、互いと通信していることがある。
【０１６３】
[0183]受信機１２０５は、パケット、ユーザデータ、または様々な情報チャネルと関連付けられる制御情報（たとえば、制御チャネル、データチャネル、およびＬＴＥ−Ｕｎｌｉｃｅｎｓｅｄのための制御フローの改善に関する情報など）などの情報を受信し得る。情報は、免許不要セル制御フローマネージャ１２１０に、およびワイヤレスデバイス１２００の他の構成要素に渡され得る。
【０１６４】
[0184]免許不要セル制御フローマネージャ１２１０は、ｅＰＤＣＣＨの処理と、非周期的ＣＳＩ報告と、ＤＲＸ動作と、送信バーストの終わりにおける延長されたＴＴＩとを含む、免許不要セルにおける浮動的なＴＴＩ動作のための制御フロー処理に対する改善のための、上で説明された技法を実行し得る。免許不要セル制御フローマネージャ１２１０はまた、免許不要セルのための基準信号構成の改善、複数の免許不要セルのためのジョイント許可の処理、部分的なサブフレームのためのｅＰＤＣＣＨ処理、およびマルチチャネルＤＲＳ動作のための、説明された技法を実行し得る。
【０１６５】
[0185]送信機１２１５は、ワイヤレスデバイス１２００の他の構成要素から受信された信号を送信し得る。いくつかの例では、送信機１２１５は、トランシーバにおいて受信機１２０５と併置され得る。送信機１２１５は単一のアンテナを含むことがあり、またはそれは複数のアンテナを含むことがある。
【０１６６】
[0186]図１３は、本開示の様々な態様による、ＬＴＥ−Ｕｎｌｉｃｅｎｓｅｄのための改善された制御フローのためのワイヤレスデバイス１２００の構成要素であり得る、免許不要セル制御フローマネージャ１２１０−ａのブロック図１３００を示す。免許不要セル制御フローマネージャ１２１０−ａは、図１２を参照して説明された免許不要セル制御フローマネージャ１２１０の態様の例であり得る。免許不要セル制御フローマネージャ１２１０−ａは、免許不要セル構成識別子１３１０と、送信検出器１３２０と、基準信号受信機１３３０と、基準信号プロセッサ１３４０と、サブフレーム検出器１３５０と、ＣＳＩプロセッサ１３６０とを含み得る。これらの構成要素の各々は、互いと通信していることがある。
【０１６７】
[0187]免許不要セル構成識別子１３１０は、図２〜図１１を参照して説明されたように、共有周波数スペクトル帯域の中のセカンダリセルを使用する通信のための構成を識別し得る。
【０１６８】
[0188]送信検出器１３２０は、図２〜図１１を参照して説明されたように、複数のサブフレームからなるセカンダリセルからの送信を識別し得る。この送信は、セカンダリセルデータブロック１３１５であり得る。
【０１６９】
[0189]基準信号受信機１３３０は、図２〜図１１を参照して説明されたように、基準信号サブフレームインジケータを受信し得る。このインジケータは、インジケータデータブロック１３２５であり得る。いくつかの例では、基準信号サブフレームインジケータは、クロスサブフレームインジケータであり得る。いくつかの例では、クロスサブフレームインジケータは、共有周波数スペクトル帯域の異なるセカンダリセルを通じて受信され得る。いくつかの例では、クロスサブフレームインジケータは、専用周波数スペクトル帯域において動作する免許セルを通じて受信され得る。いくつかの例では、クロスサブフレームインジケータは、免許セルのダウンリンク制御チャネルを介して受信されるダウンリンク制御情報（ＤＣＩ）フォーマットのフィールドを備える。いくつかの例では、クロスサブフレームインジケータは、インジケータチャネルにおいてセカンダリセルを通じて、または、セカンダリセルのダウンリンク制御チャネルを介して受信されるダウンリンク制御情報（ＤＣＩ）フォーマットのフィールドを通じて受信され得る。
【０１７０】
[0190]基準信号プロセッサ１３４０は、図２〜図１１を参照して説明されたように、クロスサブフレームインジケータに少なくとも一部基づいて、送信の少なくとも１つのサブフレームのための基準信号構成を決定し得る。このインジケータは、基準信号サブフレームデータブロック１３３５であり得る。いくつかの例では、決定することは、少なくとも１つの基準信号構成と関連付けられる最初に送信されるサブフレームのセットを識別することを備える。基準信号プロセッサ１３４０はまた、送信と関連付けられる検出されたプリアンブルに少なくとも一部基づいて、少なくとも１つの基準信号のための少なくとも１つのサブフレーム内の１つまたは複数のシンボル位置を決定し得る。
【０１７１】
[0191]サブフレーム検出器１３５０は、図２〜図１１を参照して説明されたように、専用周波数スペクトル帯域において動作する免許セルに対して同期していないシンボルタイミングを少なくとも１つのサブフレームが有することを識別し得る。このサブフレームはサブフレームデータブロック１３４５であり得る。
【０１７２】
[0192]ＣＳＩプロセッサ１３６０は、通信のためにＵＥによって使用されるチャネルの特性を測定し、次いで報告のためにＣＳＩパラメータを決定し得る。これらのパラメータは、ＣＳＩ報告の形態でＵＥから送信され得る。ＣＳＩ報告は、（たとえば、ＵＥ１１５のアンテナポートに基づいて）ＤＬ送信のために使用されるべきレイヤの数を要求するランクインジケータ（ＲＩ）、（レイヤの数に基づいて）どのプリコーダ行列が使用されるべきであるかの選好を示すプリコーディング行列インジケータ（ＰＭＩ）と、使用され得る最高の変調およびコーディングスキーム（ＭＣＳ）を表すチャネル品質インジケータ（ＣＱＩ）とを含み得る。ＣＱＩは、ＣＲＳまたはＣＳＩ−ＲＳなどの所定のパイロットシンボルを受信した後にＵＥ１１５によって計算され得る。ＲＩおよびＰＭＩは、ＵＥ１１５が空間多重化をサポートしない（または空間モードをサポートしない）場合、除外され得る。報告に含まれる情報のタイプが報告タイプを決定する。ＣＳＩ報告は、周期的または非周期的であり得る。
【０１７３】
[0193]図１４は、本開示の様々な態様による、ＬＴＥ−Ｕｎｌｉｃｅｎｓｅｄのための改善された制御フローのためのワイヤレスデバイス１２００の構成要素であり得る、免許不要セル制御フローマネージャ１２１０−ｂのブロック図１４００を示す。免許不要セル制御フローマネージャ１２１０−ｂは、図１２〜図１３を参照して説明された免許不要セル制御フローマネージャ１２１０の態様の例であり得る。免許不要セル制御フローマネージャ１２１０−ｂは、送信検出器１３２０−ａと、ＬＢＴ  ＤＣＩプロセッサ１４１０と、ＬＢＴジョイント許可プロセッサ１４２０と、ＬＢＴ個別許可プロセッサ１４３０とを含み得る。これらの構成要素の各々は、互いと通信していることがある。
【０１７４】
[0194]送信検出器１３２０−ａは、共有周波数スペクトル帯域上での基地局からの送信において複数のセルを識別することができ、この送信は、図２〜図１１を参照して説明されたような共有周波数チャネルのためのリッスンビフォートーク（ＬＢＴ）プロシージャに従う。送信検出器１３２０−ａはまた、ＬＢＴ送信のために成功裏に予約された関連する周波数チャネルを有する複数のセルのサブセットを決定し得る。
【０１７５】
[0195]ＬＢＴ  ＤＣＩプロセッサ１４１０は、送信のサブフレームの第１の最初に送信されるセットのための第１のスケジューリング構成１４１５−ａを識別することができ、第１のスケジューリング構成１４１５−ａは、図２〜図１１を参照して説明されたような、複数のセルのそれぞれのセルのための個別許可を搬送するために構成されるセルの第１のセットの１つまたは複数の探索空間を備える。ＬＢＴ  ＤＣＩプロセッサ１４１０はまた、サブフレームの第１のセットに後続する送信のサブフレームの第２のセットのための第２のスケジューリング構成１４１５−ｂを識別することができ、第２のスケジューリング構成１４１５−ｂは、複数のセルのためのジョイント許可と関連付けられる少なくとも１つのセルの少なくとも１つの探索空間を備える。
【０１７６】
[0196]ＬＢＴジョイント許可プロセッサ１４３０は、第１のスケジューリング構成１４１５−ａと関連付けられる個別許可を処理し得る。ＬＢＴジョイント許可プロセッサ１４３０は、複数のセルのためのサブフレームの第１のセットと関連付けられる第１のリソース割振り情報１４２５−ａを出力し得る。
【０１７７】
[0197]ＬＢＴジョイント許可プロセッサ１４２０は、第２のスケジューリング構成１４１５−ｂと関連付けられるジョイント許可を処理し得る。ＬＢＴジョイント許可プロセッサ１４２０はまた、図２〜図１１を参照して説明されたように、クロススケジューリングの場合、ＵＥ固有識別子に少なくとも一部基づいて複数のセルのサブセットから少なくとも１つのセルを決定し得る。ＵＥ固有識別子はＵＥに割り当てられたＲＮＴＩであり得る。いくつかの例では、少なくとも１つのセルは、専用周波数スペクトル帯域において動作する免許セルを備える。ＬＢＴジョイント許可プロセッサ１４３０は、複数のセルのためのサブフレームの第２のセットと関連付けられる第２のリソース割振り情報１４２５−ｂを出力し得る。第１のリソース割振り情報１４２５−ａおよび第２のリソース割振り情報１４２５−ｂは、複数のセルを介したデータ送信の受信および処理のために使用され得る。
【０１７８】
[0198]図１５は、本開示の様々な態様による、ＬＴＥ−Ｕｎｌｉｃｅｎｓｅｄのための制御フローの改善のためのワイヤレスデバイス１２００の構成要素であり得る、免許不要セル制御フローマネージャ１２１０−ｃのブロック図１５００を示す。免許不要セル制御フローマネージャ１２１０−ｃは、図１２〜図１４を参照して説明された免許不要セル制御フローマネージャ１２１０の態様の例であり得る。免許不要セル制御フローマネージャ１２１０−ｃは、チャネル復調推定器１５１０とＬＢＴ  ＤＣＩプロセッサ１４１０−ａとを含み得る。これらの構成要素の各々は、互いに通信していることがある。
【０１７９】
[0199]チャネル復調推定器１５１０は、図２〜図１２を参照して説明されたように、共有周波数スペクトル帯域の１つまたは複数のセルのための制御チャネルと関連付けられるアンテナポートの限られたセットからチャネル復調情報を推定し得る。
【０１８０】
[0200]ＬＢＴ  ＤＣＩプロセッサ１４１０−ａは、図２〜図１１を参照して説明されたように、１つまたは複数のセルのための部分的なサブフレームを備える制御チャネル探索空間を決定し得る。ＬＢＴ  ＤＣＩプロセッサ１４１０−ａはまた、アンテナポートの限られたセットから推定されるチャネル復調情報を使用して、制御チャネル探索空間の中の制御チャネル候補を復調し得る。推定されるチャネル復調情報は、チャネル復調データブロック１５１５であり得る。いくつかの例では、制御チャネルは、エンハンスト物理ダウンリンク制御チャネル（ｅＰＤＣＣＨ）を備える。
【０１８１】
[0201]図１６は、本開示の様々な態様による、ＬＴＥ−Ｕｎｌｉｃｅｎｓｅｄのための制御フローの改善のためのワイヤレスデバイス１２００の構成要素であり得る、免許不要セル制御フローマネージャ１２１０−ｄのブロック図１６００を示す。免許不要セル制御フローマネージャ１２１０−ｄは、図１２〜図１５を参照して説明された免許不要セル制御フローマネージャ１２１０の態様の例であり得る。免許不要セル制御フローマネージャ１２１０−ｃは、免許不要セル構成識別子１３１０−ａと、送信検出器１３２０−ｂと、ＬＢＴ動的ＴＴＩ検出器１３５０−ａと、ＬＢＴ  ＤＣＩプロセッサ１４１０−ｂとを含み得る。
【０１８２】
[0202]免許不要セル構成識別子１３１０−ａは、同期されたセルを使用する通信のための構成を識別することができ、同期されたセルは、図２〜図１１を参照して説明されたように、共有周波数スペクトル帯域において動作し、静的なサブフレーム位置を有する。
【０１８３】
[0203]送信検出器１３２０−ｂは、図２〜図１１を参照して説明されたように、同期されたセルのためのリッスンビフォートーク（ＬＢＴ）送信を識別し得る。
【０１８４】
[0204]ＬＢＴ動的ＴＴＩ検出器１３５０−ａは、図２〜図１１を参照して説明されたように、ＬＢＴ送信のチャネル予約信号に少なくとも一部基づいて、同期されたセルのための共有データチャネルの動的なＴＴＩを決定し得る。ＬＢＴ送信のチャネル予約信号は、チャネル予約信号ブロック１６０５であり得る。
【０１８５】
[0205]ＬＢＴ  ＤＣＩプロセッサ１４１０−ｂは、図２〜図１１を参照して説明されたように、動的なＴＴＩと静的なサブフレーム位置の境界との間のオフセットに少なくとも一部基づいて、共有データチャネルを備える共有データ領域内の制御チャネルのための探索空間を決定し得る。この決定は、送信特性データブロック１６１０であり得るＬＢＴ送信の特性に基づき得る。いくつかの例では、探索空間は動的なＴＴＩと同じシンボルのセットを備える。いくつかの例では、探索空間は、動的なＴＴＩのシンボルのサブセットを備え、動的なＴＴＩのシンボルのサブセットは、動的なＴＴＩと静的なサブフレーム位置の境界との間のオフセットに少なくとも一部基づいて決定され得る。いくつかの例では、制御チャネルはｅＰＤＣＣＨを備える。ＬＢＴ  ＤＣＩプロセッサ１４１０−ｂはまた、物理フレームフォーマットインジケーションチャネル（ＰＦＦＩＣＨ）または制御チャネルにおいて受信される許可のうちの少なくとも１つに含まれるフィールドに少なくとも一部基づいて、ＬＢＴ送信の最後のＴＴＩのシンボル期間の数を決定し得る。ＬＢＴ  ＤＣＩプロセッサ１４１０−ｂはまた、シンボル期間の不変の数またはシンボル期間の決定された数のうちの少なくとも１つに少なくとも一部基づいて、最後のＴＴＩのための制御チャネルのための探索空間を決定し得る。
【０１８６】
[0206]図１７は、本開示の様々な態様による、ＬＴＥ−Ｕｎｌｉｃｅｎｓｅｄのための制御フローの改善のためのワイヤレスデバイス１２００の構成要素であり得る、免許不要セル制御フローマネージャ１２１０−ｅのブロック図１７００を示す。免許不要セル制御フローマネージャ１２１０−ｅは、図１２〜図１６を参照して説明された免許不要セル制御フローマネージャ１２１０の態様の例であり得る。免許不要セル制御フローマネージャ１２１０−ｅは、免許不要セル構成識別子１３１０−ｂと、送信検出器１３２０−ｃと、ＬＢＴ  ＤＣＩプロセッサ１４１０−ｃと、ＬＢＴ非周期的ＣＳＩ基準タイミングプロセッサ１７１０とを含み得る。
【０１８７】
[0207]免許不要セル構成識別子１３１０−ｂは、少なくとも第１のセルと第２のセルとを使用する通信のための構成を識別することができ、第２のセルは、図２〜図１１を参照して説明されたように、共有周波数スペクトル帯域において動作する。
【０１８８】
[0208]送信検出器１３２０−ｃは、図２〜図１１を参照して説明されたように、第２のセルのための送信を識別し得る。
【０１８９】
[0209]ＬＢＴ  ＤＣＩプロセッサ１４１０−ｃは、図２〜図１１を参照して説明されたように、第２のセルの制御チャネルにおいて非周期的ＣＳＩ報告に対する要求を受信し得る。非周期的ＣＳＩ報告に対するこの要求は、要求ブロック１７０５であり得る。
【０１９０】
[0210]ＬＢＴ非周期的ＣＳＩ基準タイミングプロセッサ１７１０は、図２〜図１１を参照して説明されたように、第１のセルのサブフレームインデックスに対する制御チャネルのタイミングパラメータに少なくとも一部基づいて、非周期的ＣＳＩ報告のための基準タイミングを決定し得る。いくつかの例では、タイミングパラメータは、制御チャネルの最初のシンボルまたは制御チャネルの最後のシンボルを備える。いくつかの例では、制御チャネルはＰＤＣＣＨまたはｅＰＤＣＣＨを備える。このタイミングパラメータは、タイミングパラメータデータブロック１７１５であり得る。
【０１９１】
[0211]図１８は、本開示の様々な態様による、ＬＴＥ−Ｕｎｌｉｃｅｎｓｅｄのための制御フローの改善のためのワイヤレスデバイス１２００の構成要素であり得る、免許不要セル制御フローマネージャ１２１０−ｆのブロック図１８００を示す。免許不要セル制御フローマネージャ１２１０−ｆは、図１２〜図１７を参照して説明された免許不要セル制御フローマネージャ１２１０の態様の例であり得る。免許不要セル制御フローマネージャ１２１０−ｅは、免許不要セル構成識別子１３１０−ｃと、ＤＲＸページングコントローラ１８１０と、ＬＢＴページング機会オフセットインジケータ１８２０とを含み得る。
【０１９２】
[0212]免許不要セル構成識別子１３１０−ｃは、図２〜図１１を参照して説明されたように、共有周波数スペクトル帯域において動作するセルを使用する通信のための構成を識別し得る。
【０１９３】
[0213]ＤＲＸページングコントローラ１８１０は、図２〜図１１を参照して説明されたように、セルと関連付けられるＤＲＸ構成と関連付けられるページング機会に少なくとも一部基づいて、受信無効状態からセルのための受信を有効にし得る。ＤＲＸページングコントローラ１８１０はまた、ページング機会の最初のシンボルでＣＲＳを受信し得る。ページング機会はページング機会データブロック１８０５であり得る。
【０１９４】
[0214]ＬＢＴページング機会オフセットインジケータ１８２０は、図２〜図１１を参照して説明されたように、ページング機会内の静的な位置を有するインジケータチャネルに少なくとも一部基づいて、セルの制御チャネルのためのシンボルオフセットを識別し得る。いくつかの例では、制御チャネルはｅＰＤＣＣＨを備える。シンボルオフセットはチャネル特性ブロック１８１５から導出され得る。
【０１９５】
[0215]図１９は、本開示の様々な態様による、ＬＴＥ−Ｕｎｌｉｃｅｎｓｅｄのための制御フローの改善のためのワイヤレスデバイス１２００の構成要素であり得る、免許不要セル制御フローマネージャ１２１０−ｇのブロック図１９００を示す。免許不要セル制御フローマネージャ１２１０−ｇは、図１２〜図１８を参照して説明された免許不要セル制御フローマネージャ１２１０の態様の例であり得る。免許不要セル制御フローマネージャ１２１０−ｇは、ＬＢＴ  ＤＭＴＣプロセッサ１９１０とＬＢＴ  ＤＲＳタイミングプロセッサ１９２０とを含み得る。
【０１９６】
[0216]ＬＢＴ  ＤＭＴＣまたは１９１０は、図２〜図１１を参照して説明されたように、共有周波数スペクトル帯域の１つまたは複数のセルと関連付けられる発見信号測定タイミング構成（ＤＭＴＣ：discovery signals timing configuration）を受信し得る。いくつかの例では、ＤＭＴＣは１つまたは複数のセルのうちの複数のセルと関連付けられ得る。いくつかの例では、複数のセルは、２つの異なる周波数帯域の中の少なくとも２つのセルを備え、２つの異なる周波数帯域は独立した総合送信出力の制限を有する。ＤＭＴＣはＤＭＴＣデータブロック１９０５であり得る。
【０１９７】
[0217]ＬＢＴ  ＤＲＳタイミングプロセッサ１９２０は、図２〜図１１を参照して説明されたように、１つまたは複数のセルのためのＤＲＳと関連付けられるサブフレームを決定し得る。ＬＢＴ  ＤＲＳタイミングプロセッサ１９２０はまた、少なくとも１つのセルと関連付けられるセル識別子に少なくとも一部基づいて、１つまたは複数のセルのうちの少なくとも１つのセルのためのサブフレーム内のＤＲＳの開始シンボルを決定し得る。セル識別子はセル識別子データブロック１９１５であり得る。
【０１９８】
[0218]図２０は、本開示の様々な態様による、ＬＴＥ−Ｕｎｌｉｃｅｎｓｅｄのための制御フローの改善のために構成されたＵＥ１１５を含むシステム２０００の図を示す。システム２０００は、図１、図２、および図１２〜図１９を参照して説明されたワイヤレスデバイス１２００またはＵＥ１１５の例であり得る、ＵＥ１１５−ｉを含み得る。ＵＥ１１５−ｉは、図１２〜図１９を参照して説明された免許不要セル制御フローマネージャ１２１０の態様を含み得る、免許不要セル制御フローマネージャ１２１０を含み得る。ＵＥ１１５−ｉは、通信を送信するための構成要素と通信を受信するための構成要素とを含む、双方向音声およびデータ通信のための構成要素も含み得る。たとえば、ＵＥ１１５−ｉは、基地局１０５−ｈまたはＵＥ１１５−ｊと双方向に通信し得る。
【０１９９】
[0219]ＵＥ１１５−ｉはまた、プロセッサ２００５と、（ソフトウェア（ＳＷ）２０２０を含む）メモリ２０１５と、トランシーバ２０３５と、１つまたは複数のアンテナ２０４０とを含むことがあり、それらの各々は、（たとえば、バス２０４５を介して）直接または間接的に互いと通信していることがある。トランシーバ２０３５は、上で説明されたように、アンテナ２０４０または有線リンクもしくはワイヤレスリンクを介して、１つまたは複数のネットワークと双方向に通信し得る。たとえば、トランシーバ２０３５は、基地局１０５または別のＵＥ１１５と双方向に通信し得る。トランシーバ２０３５は、パケットを変調し、変調されたパケットを送信のためにアンテナ２０４０に与え、アンテナ２０４０から受信されたパケットを復調するためのモデムを含み得る。ＵＥ１１５−ｉは単一のアンテナ２０４０を含み得るが、ＵＥ１１５−ｉはまた、複数のワイヤレス送信を同時に送信または受信することが可能な複数のアンテナ２０４０を有し得る。
【０２００】
[0220]メモリ２０１５は、ランダムアクセスメモリ（ＲＡＭ）と、読取り専用メモリ（ＲＯＭ）とを含み得る。メモリ２０１５は、実行されると、プロセッサ２００５に、本明細書で説明される様々な機能（たとえば、ＬＴＥ−Ｕｎｌｉｃｅｎｓｅｄのための制御フローの改善など）を実行させる命令を含む、コンピュータ可読のコンピュータ実行可能ソフトウェア／ファームウェアコード２０２０を記憶し得る。代わりに、ソフトウェア／ファームウェアコード２０２０は、プロセッサ２００５によって直接的に実行可能でないことがあるが、（たとえば、コンパイルされ実行されると）コンピュータに本明細書で説明される機能を実行させ得る。プロセッサ２００５は、インテリジェントハードウェアデバイス、（たとえば、中央処理装置（ＣＰＵ）、マイクロコントローラ、特定用途向け集積回路（ＡＳＩＣ）など）を含み得る。
【０２０１】
[0221]図２１は、本開示の様々な態様による、ＬＴＥ−Ｕｎｌｉｃｅｎｓｅｄのための制御フローの改善のためのワイヤレスデバイス２１００のブロック図を示す。ワイヤレスデバイス２１００は、図１〜図２０を参照して説明されたワイヤレスデバイス２０００または基地局１０５の態様の例であり得る。ワイヤレスデバイス２１００は、受信機２１０５と、免許不要セル制御フローマネージャ２１１０と、送信機２１１５とを含み得る。ワイヤレスデバイス２１００はプロセッサも含み得る。これらの構成要素の各々は、互いと通信していることがある。免許不要セル制御フローマネージャ２１１０は、免許不要セルＤＲＳオペレータ２１２０と、免許不要セルＤＲＳ送信機２１３０と、免許不要セル送信出力調整器２１４０とを含み得る。
【０２０２】
[0222]受信機２１０５は、パケット、ユーザデータ、または様々な情報チャネルと関連付けられる制御情報（たとえば、制御チャネル、データチャネル、およびＬＴＥ−Ｕｎｌｉｃｅｎｓｅｄのための制御フローの改善に関する情報など）などの情報を受信し得る。情報は、免許不要セル制御フローマネージャ２１１０に、およびワイヤレスデバイス２１００の他の構成要素に渡され得る。
【０２０３】
[0223]免許不要セルＤＲＳオペレータ２１２０は、共有周波数スペクトル帯域上で複数のセルを動作することができ、ここで複数のセルのためのＤＲＳは共有される発見信号測定タイミング構成（ＤＭＴＣ）に従って送信され、複数のセルの各々は、図２〜図１９を参照して説明されたように、異なる開始シンボルオフセットを用いて送信される。
【０２０４】
[0224]免許不要セルＤＲＳ送信機２１３０は、図２〜図１９を参照して説明されたように、複数のセルの各々の共有データチャネルのための送信出力レベルとは無関係なＤＲＳ出力レベルで、複数のセルの各々のためのＤＲＳを送信し得る。
【０２０５】
[0225]免許不要セル送信出力調整器２１４０は、図２〜図１９を参照して説明されたように、ＤＲＳ出力レベルおよびあらかじめ定められた送信出力レベルに少なくとも一部基づいて、共有データチャネルのための送信出力レベルを複数のセルの各々に対して調整し得る。
【０２０６】
[0226]送信機２１１５は、ワイヤレスデバイス２１００の他の構成要素から受信された信号を送信し得る。いくつかの例では、送信機２１１５は、トランシーバにおいて受信機２１０５と併置され得る。送信機２１１５は単一のアンテナを含むことがあり、またはそれは複数のアンテナを含むことがある。
【０２０７】
[0227]図２２は、本開示の様々な態様による、ＬＴＥ−Ｕｎｌｉｃｅｎｓｅｄのための制御フローの改善のために構成された基地局１０５を含むシステム２２００の図を示す。システム２２００は、図１、図２、および図１６〜図１８を参照して説明されたワイヤレスデバイス１６００、ワイヤレスデバイス１７００、または基地局１０５の例であり得る、基地局１０５−ｉを含み得る。基地局１０５−ｉは、図２１を参照して説明された免許不要セル制御フローマネージャ２１１０の例であり得る、免許不要セル制御フローマネージャ２１１０−ａを含み得る。基地局１０５−ｉはまた、通信を送信するための構成要素と通信を受信するための構成要素とを含む、双方向の音声およびデータ通信のための構成要素も含み得る。たとえば、基地局１０５−ｉは、ＵＥ１１５−ｋまたはＵＥ１１５−ｌと双方向に通信し得る。
【０２０８】
[0228]いくつかの場合、基地局１０５−ｉは、１つまたは複数の有線バックホールリンクを有し得る。基地局１０５−ｉは、コアネットワーク１３０−ａへの有線のバックホールリンク（たとえば、Ｓ１インターフェースなど）を有し得る。また、基地局１０５−ｉは、基地局間バックホールリンク（たとえば、Ｘ２インターフェース）を介して基地局１０５−ｍおよび基地局１０５−ｎなどの他の基地局１０５と通信し得る。基地局１０５の各々は、同じまたは異なるワイヤレス通信技術を使用してＵＥ１１５と通信することができる。いくつかの場合、基地局１０５−ｉは、基地局通信マネージャ２２２５を利用して、１０５−ｍまたは１０５−ｎなどの他の基地局と通信することができる。いくつかの例では、基地局通信マネージャ２２２５は、基地局１０５のうちのいくつかの間の通信を行うために、ＬＴＥ／ＬＴＥ−Ａワイヤレス通信ネットワーク技術内のＸ２インターフェースを提供し得る。いくつかの例では、基地局１０５−ｉは、コアネットワーク１３０を通じて他の基地局と通信し得る。いくつかの場合、基地局１０５−ｉは、ネットワーク通信マネージャ２２３０を通じてコアネットワーク１３０と通信し得る。
【０２０９】
[0229]基地局１０５−ｉは、プロセッサ２２０５と、（ソフトウェア（ＳＷ）１９２０を含む）メモリ２２１５と、トランシーバ２２３５と、アンテナ２２４０とを含むことがあり、それらの各々は、（たとえば、バスシステム２２４５を通じて）直接または間接的に互いと通信していることがある。トランシーバ２２３５は、アンテナ２２４０を介して、マルチモードデバイスであり得るＵＥ１１５と双方向に通信するように構成され得る。トランシーバ２２３５（または基地局１０５−ｉの他の構成要素）はまた、アンテナ２２４０を介して、１つまたは複数の他の基地局（図示されず）と双方向に通信するように構成され得る。トランシーバ２２３５は、パケットを変調し、変調されたパケットを送信のためにアンテナ２２４０に与え、アンテナ２２４０から受信されたパケットを復調するように構成されたモデムを含み得る。基地局１０５−ｉは、各々が１つまたは複数の関連するアンテナ２２４０をもつ複数のトランシーバ２２３５を含み得る。
【０２１０】
[0230]メモリ２２１５はＲＡＭとＲＯＭとを含み得る。メモリ２２１５はまた、実行されると、プロセッサ２２０５に本明細書で説明される様々な機能（たとえば、ＬＴＥ−Ｕｎｌｉｃｅｎｓｅｄのための制御フローの改善、カバレッジ改善技法を選択すること、呼処理、データベース管理、メッセージルーティングなど）を実行させるように構成される命令を含むコンピュータ可読のコンピュータ実行可能ソフトウェアコード２２２０を記憶し得る。代わりに、ソフトウェア２２２０は、プロセッサ２２０５によって直接的に実行可能でないことがあるが、たとえば、コンパイルされ実行されると、コンピュータに本明細書で説明する機能を実行させるように構成され得る。プロセッサ２２０５は、インテリジェントハードウェアデバイス、たとえば、ＣＰＵ、マイクロコントローラ、ＡＳＩＣなどを含み得る。プロセッサ１１０５は、エンコーダ、キュー処理モジュール、ベースバンドプロセッサ、無線ヘッドコントローラ、デジタル信号プロセッサ（ＤＳＰ）などの様々な専用プロセッサを含み得る。
【０２１１】
[0231]基地局通信マネージャ２２２５は他の基地局１０５との通信を管理し得る。いくつかの場合、基地局通信マネージャは、他の基地局１０５と協働してＵＥ１１５との通信を制御するためのコントローラまたはスケジューラを含み得る。たとえば、基地局通信マネージャ２２２５は、ビームフォーミングまたはジョイント送信などの様々な干渉緩和技法のためのＵＥ１１５への送信のためのスケジューリングを調整し得る。
【０２１２】
[0232]ワイヤレスデバイス２１００および免許不要セル制御フローマネージャ２１１０の構成要素は、個別にまたはまとめて、適用可能な機能の一部またはすべてをハードウェアで実行するように適合された少なくとも１つのＡＳＩＣを用いて実装され得る。代わりに、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０２１３】
[0233]図２３は、本開示の様々な態様による、ＬＴＥ−Ｕｎｌｉｃｅｎｓｅｄのための制御フローの改善のための方法２３００を示すフローチャートを示す。方法２３００の動作は、図１〜図２２を参照して説明されたように、ＵＥ１１５またはその構成要素によって実装され得る。たとえば、方法２３００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される機能の態様を実行し得る。
【０２１４】
[0234]ブロック２３０５において、ＵＥ１１５は、共有周波数スペクトル帯域の中のセカンダリセルを使用する通信のための構成を識別することができ、セカンダリセルを介した送信は、図２〜図２０を参照して説明されたように、共有周波数チャネルのためのリッスンビフォートーク（ＬＢＴ）プロシージャに従う。いくつかの例では、ブロック２３０５の動作は、図１３を参照して説明されたように、免許不要セル構成識別子１３１０によって実行され得る。
【０２１５】
[0235]ブロック２３１０において、ＵＥ１１５は、図２〜図２０を参照して説明されたように、複数のサブフレームからなるセカンダリセルからの送信を識別し得る。いくつかの例では、ブロック２３１０の動作は、図１３を参照して説明されたように、送信検出器１３２０によって実行され得る。
【０２１６】
[0236]ブロック２３１５において、ＵＥ１１５は、図２〜図２０を参照して説明されたように、クロスサブフレームインジケータに少なくとも一部基づいて、送信の少なくとも１つのサブフレームのための基準信号構成を決定し得る。いくつかの例では、ブロック２３１５の動作は、図１３を参照して説明されたように、基準信号受信機１３３０によって実行され得る。
【０２１７】
[0237]図２４は、本開示の様々な態様による、ＬＴＥ−Ｕｎｌｉｃｅｎｓｅｄのための制御フローの改善のための方法２４００を示すフローチャートを示す。方法２４００の動作は、図１〜図２２を参照して説明されたように、ＵＥ１１５またはその構成要素によって実装され得る。たとえば、方法２４００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法２４００はまた、図２３の方法２３００の態様を組み込み得る。
【０２１８】
[0238]ブロック２４０５において、ＵＥ１１５は、共有周波数スペクトル帯域の中のセカンダリセルを使用する通信のための構成を識別することができ、セカンダリセルを介した送信は、図２〜図２０を参照して説明されたように、共有周波数チャネルのためのリッスンビフォートーク（ＬＢＴ）プロシージャに従う。いくつかの例では、ブロック２４０５の動作は、図１３を参照して説明されたように、免許不要セル構成識別子１３１０によって実行され得る。
【０２１９】
[0239]ブロック２４１０において、ＵＥ１１５は、図２〜図２０を参照して説明されたように、少なくとも１つのサブフレームからなるセカンダリセルからの送信を識別し得る。いくつかの例では、ブロック２４１０の動作は、図１３を参照して説明されたように、送信検出器１３２０によって実行され得る。
【０２２０】
[0240]ブロック２４１５において、ＵＥ１１５は、図２〜図１８を参照して説明されたように、少なくとも１つのサブフレームのクロスサブフレームインジケータに少なくとも一部基づいて、送信のための基準信号構成を決定し得る。いくつかの例では、ブロック２４１５の動作は、図１３を参照して説明されたように、基準信号受信機１３３０によって実行され得る。
【０２２１】
[0241]ブロック２４２０において、ＵＥ１１５は、図２〜図１８を参照して説明されたように、専用周波数スペクトル帯域において動作する免許セルに対して同期していないシンボルタイミングを少なくとも１つのサブフレームが有することを識別し得る。いくつかの例では、ブロック２４２０の動作は、図１３を参照して説明されたように、サブフレーム検出器１３５０によって実行され得る。
【０２２２】
[0242]ブロック２４２５において、ＵＥ１１５は、図２〜図２０を参照して説明されたように、送信と関連付けられる検出されたシンボルプリアンブルに少なくとも一部基づいて、少なくとも１つの基準信号のための少なくとも１つのサブフレーム内の１つまたは複数のシンボル位置を決定し得る。いくつかの例では、ブロック２４２５の動作は、図１３を参照して説明されたように、基準信号受信機１３３０によって実行され得る。
【０２２３】
[0243]図２５は、本開示の様々な態様による、ＬＴＥ−Ｕｎｌｉｃｅｎｓｅｄのための改善された制御フローのための方法２５００を示すフローチャートを示す。方法１６００の動作は、図１〜図１５を参照して説明されたように、ＵＥ１１５またはその構成要素によって実行され得る。たとえば、方法１６００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。
【０２２４】
[0244]ブロック２５０５において、ＵＥ１１５は、共有周波数スペクトル帯域上での基地局からの送信において複数のセルを識別することができ、この送信は、図２〜図１１を参照して説明されたような共有周波数チャネルのためのリッスンビフォートーク（ＬＢＴ）プロシージャに従う。いくつかの例では、ブロック２５０５の動作は、図１４を参照して説明されたように、送信検出器１３２０−ａによって実行され得る。
【０２２５】
[0245]ブロック２５１０において、ＵＥ１１５は、送信のサブフレームの第１の最初に送信されるセットのための第１のスケジューリング構成を識別することができ、第１のスケジューリング構成は、図２〜図１１を参照して説明されたような、複数のセルのそれぞれのセルのための個別許可を搬送するために構成されるセルの第１のセットの１つまたは複数の探索空間を備える。いくつかの例では、ブロック２５１０の動作は、図１４を参照して説明されたように、ＬＢＴ  ＤＣＩプロセッサ１４１０によって実行され得る。
【０２２６】
[0246]ブロック２５１５において、ＵＥ１１５は、サブフレームの第１のセットに後続する送信のサブフレームの第２のセットのための第２のスケジューリング構成を識別することができ、第２のスケジューリング構成は、図２〜図１１を参照して説明されたように、複数のセルのためのジョイント許可と関連付けられる少なくとも１つのセルの少なくとも１つの探索空間を備える。いくつかの例では、ブロック２５１５の動作は、図１３を参照して説明されたように、ＬＢＴ  ＤＣＩプロセッサ１４１０によって実行され得る。
【０２２７】
[0247]図２６は、本開示の様々な態様による、ＬＴＥ−Ｕｎｌｉｃｅｎｓｅｄのための制御フローの改善のための方法２６００を示すフローチャートを示す。方法２６００の動作は、図１〜図２２を参照して説明されたように、ＵＥ１１５またはその構成要素によって実装され得る。たとえば、方法２６００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法２６００はまた、図２３〜図２５の方法２３００、２４００、および２５００の態様を組み込み得る。
【０２２８】
[0248]ブロック２６０５において、ＵＥ１１５は、図２〜図２０を参照して説明されたように、共有周波数スペクトル帯域の中のセカンダリセルを使用する通信のための構成を識別し得る。いくつかの例では、ブロック２６０５の動作は、図１３を参照して説明されたように、免許不要セル構成識別子１３１０によって実行され得る。
【０２２９】
[0249]ブロック２６１０において、ＵＥ１１５は、図２〜図２０を参照して説明されたように、少なくとも１つのＴＴＩを備えるセカンダリセルからのＬＢＴ送信を識別し得る。いくつかの例では、ブロック２６１０の動作は、図１３を参照して説明されたように、送信検出器１３２０送信検出器１３２０によって実行され得る。
【０２３０】
[0250]ブロック２６２５において、ＵＥ１１５は、図２〜図２０を参照して説明されたように、共有周波数スペクトル帯域の１つまたは複数のセルのための制御チャネルと関連付けられるアンテナポートの限られたセットからチャネル復調情報を推定し得る。いくつかの例では、ブロック２６２５の動作は、図１５を参照して説明されたように、チャネル復調推定器１５１０によって実行され得る。
【０２３１】
[0251]ブロック２６３０において、ＵＥ１１５は、図２〜図１８を参照して説明されたように、１つまたは複数のセルのための部分的なサブフレームを備える制御チャネル探索空間を決定し得る。いくつかの例では、ブロック２６３０の動作は、図１５を参照して説明されたように、ＬＢＴ  ＤＣＩプロセッサ１４１０−ａによって実行され得る。
【０２３２】
[0252]ブロック２６３５において、ＵＥ１１５は、図２〜図１８を参照して説明されたように、アンテナポートの限られたセットから推定されるチャネル復調情報を使用して、制御チャネル探索空間の中の制御チャネル候補を復調し得る。いくつかの例では、ブロック２６３５の動作は、図１５を参照して説明されたように、ＬＢＴ  ＤＣＩプロセッサ１４１０−ａによって実行され得る。
【０２３３】
[0253]図２７は、本開示の様々な態様による、ＬＴＥ−Ｕｎｌｉｃｅｎｓｅｄのための制御フローの改善のための方法２７００を示すフローチャートを示す。方法２７００の動作は、図１〜図２２を参照して説明されたように、ＵＥ１１５またはその構成要素によって実装され得る。たとえば、方法２７００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法２７００はまた、図２３〜図２６の方法２３００、２４００、２５００、および２６００の態様を組み込むことができる。
【０２３４】
[0254]ブロック２７０５において、ＵＥ１１５は、図２〜図１８を参照して説明されたように、共有周波数スペクトル帯域の中のセカンダリセルを使用する通信のための構成を識別し得る。いくつかの例では、ブロック２７０５の動作は、図１３を参照して説明されたように、免許不要セル構成識別子１３１０によって実行され得る。
【０２３５】
[0255]ブロック２７１０において、ＵＥ１１５は、図２〜図１８を参照して説明されたように、少なくとも１つのＴＴＩを備えるセカンダリセルからのＬＢＴ送信を識別し得る。いくつかの例では、ブロック２７１０の動作は、図２０を参照して説明されたように、送信検出器１３２０によって実行され得る。
【０２３６】
[0256]ブロック２７１５において、ＵＥ１１５は、図２〜図１８を参照して説明されたように、ＬＢＴ送信のための複数の基準信号構成を決定し得る。いくつかの例では、ブロック２７１５の動作は、図１８を参照して説明されたように、ＬＢＴ  ＴＴＩ  ＲＳマッパ１３３０−ａによって実行され得る。
【０２３７】
[0257]ブロック２７２０において、ＵＥ１１５は、図２〜図１８を参照して説明されたように、ＬＢＴ送信のために成功裏に予約された関連する周波数チャネルを有する複数のセルのサブセットを決定し得る。いくつかの例では、ブロック２７２０の動作は、図１３を参照して説明されたように、送信検出器１３２０によって実行され得る。
【０２３８】
[0258]ブロック２７２５において、ＵＥ１１５は、同期されたセルを使用する通信のための構成を識別することができ、同期されたセルは、図２〜図１８を参照して説明されたように、共有周波数スペクトル帯域において動作し、静的なサブフレーム位置を有する。いくつかの例では、ブロック２７２５の動作は、図１３を参照して説明されたように、免許不要セル構成識別子１３１０によって実行され得る。
【０２３９】
[0259]ブロック２７３０において、ＵＥ１１５は、図２〜図１８を参照して本明細書で説明されたように、同期されたセルのためのＬＢＴ送信を識別し得る。いくつかの例では、ブロック２７３０の動作は、図１３を参照して説明されたように、送信検出器１３２０によって実行され得る。
【０２４０】
[0260]ブロック２７３５において、ＵＥ１１５は、図２〜図１８を参照して説明されたように、ＬＢＴ送信のチャネル予約信号に少なくとも一部基づいて、同期されたセルのための共有データチャネルの動的ＴＴＩを決定し得る。いくつかの例では、ブロック２７３５の動作は、図１６を参照して説明されたように、ＬＢＴ動的ＴＴＩ検出器１３５０−ａによって実行され得る。
【０２４１】
[0261]ブロック２７４０において、ＵＥ１１５は、図２〜図１８を参照して説明されたように、動的なＴＴＩと静的なサブフレーム位置の境界との間のオフセットに少なくとも一部基づいて、共有データチャネルを備える共有データ領域内の制御チャネルのための探索空間を決定し得る。いくつかの例では、ブロック２７４０の動作は、図１６を参照して説明されたように、ＬＢＴ  ＤＣＩプロセッサ１４１０−ｂによって実行され得る。
【０２４２】
[0262]図２８は、本開示の様々な態様による、ＬＴＥ−Ｕｎｌｉｃｅｎｓｅｄのための制御フローの改善のための方法２８００を示すフローチャートを示す。方法２８００の動作は、図１〜図２２を参照して説明されたように、ＵＥ１１５またはその構成要素によって実装され得る。たとえば、方法２８００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法２８００はまた、図２３〜図２７の方法２３００、２４００、２５００、２６００、および２７００の態様を組み込み得る。
【０２４３】
[0263]ブロック２８０５において、ＵＥ１１５は、同期されたセルを使用する通信のための構成を識別することができ、同期されたセルは、図２〜図２０を参照して説明されたように、共有周波数スペクトル帯域において動作し、静的なサブフレーム位置を有する。いくつかの例では、ブロック２８０５の動作は、図１６を参照して説明されたように、免許不要セル構成識別子１３１０−ａによって実行され得る。
【０２４４】
[0264]ブロック２８１０において、ＵＥ１１５は、図２〜図２０を参照して本明細書で説明されたように、同期されたセルのためのＬＢＴ送信を識別し得る。いくつかの例では、ブロック２８１０の動作は、図１６を参照して説明されたように、送信検出器１３２０−ｂによって実行され得る。
【０２４５】
[0265]ブロック２８１５において、ＵＥ１１５は、図２〜図２０を参照して説明されたように、ＬＢＴ送信のチャネル予約信号に少なくとも一部基づいて、同期されたセルのための共有データチャネルの動的なＴＴＩを決定し得る。いくつかの例では、ブロック２８１５の動作は、図１６を参照して説明されたように、ＬＢＴ動的ＴＴＩ検出器１３５０−ａによって実行され得る。
【０２４６】
[0266]ブロック２８２０において、ＵＥ１１５は、図２〜図２０を参照して説明されたように、動的なＴＴＩと静的なサブフレーム位置の境界との間のオフセットに少なくとも一部基づいて、共有データチャネルを備える共有データ領域内の制御チャネルのための探索空間を決定し得る。いくつかの例では、ブロック２８２０の動作は、図１６を参照して説明されたように、ＬＢＴ  ＤＣＩプロセッサ１４１０−ｂによって実行され得る。
【０２４７】
[0267]ブロック２８２５において、ＵＥ１１５は、図２〜図２０を参照して説明されたように、物理フレームフォーマットインジケーションチャネル（ＰＦＦＩＣＨ）または制御チャネルにおいて受信される許可のうちの少なくとも１つに含まれるフィールドに少なくとも一部基づいて、ＬＢＴ送信の最後のＴＴＩのシンボル期間の数を決定し得る。いくつかの例では、ブロック２８２５の動作は、図１６を参照して説明されたように、ＬＢＴ動的ＴＴＩ検出器１３５０−ａによって実行され得る。
【０２４８】
[0268]図２９は、本開示の様々な態様による、ＬＴＥ−Ｕｎｌｉｃｅｎｓｅｄのための制御フローの改善のための方法２９００を示すフローチャートを示す。方法２９００の動作は、図１〜図２２を参照して説明されたように、ＵＥ１１５またはその構成要素によって実装され得る。たとえば、方法２９００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法２９００はまた、図２３〜図２８の方法２３００、２４００、２５００、２６００、２７００、および２８００の態様を組み込み得る。
【０２４９】
[0269]ブロック２９０５において、ＵＥ１１５は、少なくとも第１のセルと第２のセルとを使用する通信のための構成を識別することができ、第２のセルは、図２〜図１８を参照して説明されたように、共有周波数スペクトル帯域において動作する。いくつかの例では、ブロック２９０５の動作は、図１７を参照して説明されたように、免許不要セル構成識別子１３１０−ｂによって実行され得る。
【０２５０】
[0270]ブロック２９１０において、ＵＥ１１５は、図２〜図２０を参照して本明細書で説明されたように、第２のセルからのＬＢＴ送信を識別し得る。いくつかの例では、ブロック２９１０の動作は、図１７を参照して説明されたように、送信検出器１３２０−ｃによって実行され得る。
【０２５１】
[0271]ブロック２９１５において、ＵＥ１１５は、図２〜図２０を参照して説明されたように、第２のセルの制御チャネルにおいて非周期的ＣＳＩ報告に対する要求を受信し得る。いくつかの例では、ブロック２９１５の動作は、図１７を参照して説明されたように、ＬＢＴ  ＤＣＩプロセッサ１４１０−ｃによって実行され得る。
【０２５２】
[0272]ブロック２９２０において、ＵＥ１１５は、図２〜図２０を参照して説明されたように、第１のセルのサブフレームインデックスに対する制御チャネルのタイミングパラメータに少なくとも一部基づいて、非周期的ＣＳＩ報告のための基準タイミングを決定し得る。いくつかの例では、ブロック２９２０の動作は、図１７を参照して説明されたように、ＬＢＴ非周期的ＣＳＩ基準タイミングプロセッサ１７１０によって実行され得る。
【０２５３】
[0273]図３０は、本開示の様々な態様による、ＬＴＥ−Ｕｎｌｉｃｅｎｓｅｄのための制御フローの改善のための方法３０００を示すフローチャートを示す。方法３０００の動作は、図１〜図２２を参照して説明されたように、ＵＥ１１５またはその構成要素によって実装され得る。たとえば、方法３０００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法３０００はまた、図２３〜図２９の方法２３００、２４００、２５００、２６００、２７００、２８００、および２９００の態様を組み込み得る。
【０２５４】
[0274]ブロック３００５において、ＵＥ１１５は、図２〜図１８を参照して説明されたように、共有周波数スペクトル帯域において動作するセルを使用する通信のための構成を識別し得る。いくつかの例では、ブロック３００５の動作は、図１８を参照して説明されたように、免許不要セル構成識別子１３１０−ｃによって実行され得る。
【０２５５】
[0275]ブロック３０１０において、ＵＥ１１５は、図２〜図１８を参照して説明されたように、セルと関連付けられるＤＲＸ構成と関連付けられるページング機会に少なくとも一部基づいて、受信無効状態からセルのための受信を有効にし得る。いくつかの例では、ブロック３０１０の動作は、図１８を参照して説明されたように、ＤＲＸページングコントローラ１８１０によって実行され得る。
【０２５６】
[0276]ブロック３０１５において、ＵＥ１１５は、図２〜図１８を参照して説明されたように、ページング機会の最初のシンボルでＣＲＳを受信し得る。いくつかの例では、ブロック３０１５の動作は、図１８を参照して説明されたように、ＬＢＴ  ＴＴＩ  ＲＳマッパ１３３０−ａによって実行され得る。
【０２５７】
[0277]ブロック３０２０において、ＵＥ１１５は、図２〜図１８を参照して説明されたように、ページング機会内の静的な位置を有するインジケータチャネルに少なくとも一部基づいて、セルの制御チャネルのためのシンボルオフセットを識別し得る。いくつかの例では、ブロック３０２０の動作は、図１８を参照して説明されたように、ＬＢＴページング機会オフセットインジケータ１８２０によって実行され得る。
【０２５８】
[0278]図３１は、本開示の様々な態様による、ＬＴＥ−Ｕｎｌｉｃｅｎｓｅｄのための制御フローの改善のための方法３１００を示すフローチャートを示す。方法３１００の動作は、図１〜図１９を参照して説明されたように、ＵＥ１１５またはその構成要素によって実施され得る。たとえば、方法３１００の動作は、図１２〜図１９を参照して説明されたように、免許不要セル制御フローマネージャ１２１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。方法３１００はまた、図２３〜図３０の方法２３００、２４００、２５００、２６００、２７００、２８００、２９００、および３０００の態様を組み込み得る。
【０２５９】
[0279]ブロック３１０５において、ＵＥ１１５は、図２〜図１１を参照して説明されたように、共有周波数スペクトル帯域の１つまたは複数のセルと関連付けられる発見信号測定タイミング構成（ＤＭＴＣ）を受信し得る。いくつかの例では、ブロック３１０５の動作は、図１９を参照して説明されたように、免許不要セル構成識別子１３１０−ｄによって実行され得る。
【０２６０】
[0280]ブロック３１１０において、ＵＥ１１５は、図２〜図１１を参照して説明されたように、１つまたは複数のセルのためのＤＲＳと関連付けられるサブフレームを決定し得る。いくつかの例では、ブロック３１１０の動作は、図１９を参照して説明されたように、ＬＢＴ  ＤＭＴＣプロセッサ１９１０によって実行され得る。
【０２６１】
[0281]ブロック３１１５において、ＵＥ１１５は、図２〜図１１を参照して説明されたように、少なくとも１つのセルと関連付けられるセル識別子に少なくとも一部基づいて、１つまたは複数のセルのうちの少なくとも１つのセルのためのサブフレーム内のＤＲＳの開始シンボルを決定し得る。いくつかの例では、ブロック３１１５の動作は、図１９を参照して説明されたように、ＬＢＴ  ＤＲＳタイミングプロセッサ１９２０によって実行され得る。
【０２６２】
[0282]図３２は、本開示の様々な態様による、ＬＴＥ−Ｕｎｌｉｃｅｎｓｅｄのための制御フローの改善のための方法３２００を示すフローチャートを示す。方法３２００の動作は、図１〜図１９を参照して説明されたように、ＵＥ１１５またはその構成要素によって実施され得る。たとえば、方法３２００の動作は、図２１〜図２２を参照して説明されたように、免許不要セル制御フローマネージャ２１１０によって実行され得る。いくつかの例では、ＵＥ１１５は、以下で説明される機能を実行するようにＵＥ１１５の機能要素を制御するためのコードのセットを実行し得る。加えて、または代わりに、ＵＥ１１５は、専用ハードウェアを使用して、以下で説明される態様機能を実行し得る。
【０２６３】
[0283]ブロック３２０５において、ＵＥ１１５は、共有周波数スペクトル帯域上で複数のセルを動作することができ、ここで複数のセルのためのＤＲＳは共有される発見信号測定タイミング構成（ＤＭＴＣ）に従って送信され、複数のセルの各々は、図２〜図１１を参照して説明されたように、異なる開始シンボルオフセットを用いて送信される。いくつかの例では、ブロック３２０５の動作は、図２１を参照して説明されたように、免許不要セルＤＲＳオペレータ２１２０によって実行され得る。
【０２６４】
[0284]ブロック３２１０において、ＵＥ１１５は、図２〜図１１を参照して説明されたように、複数のセルの各々の共有データチャネルのための送信出力レベルとは無関係なＤＲＳ出力レベルで、複数のセルの各々のためのＤＲＳを送信し得る。いくつかの例では、ブロック３２１０の動作は、図２１を参照して説明されたように、免許不要セルＤＲＳ送信機２１３０によって実行され得る。
【０２６５】
[0285]ブロック３２１５において、ＵＥ１１５は、図２〜図１１を参照して説明されたように、ＤＲＳ出力レベルおよびあらかじめ定められた送信出力レベルに少なくとも一部基づいて、共有データチャネルのための送信出力レベルを複数のセルの各々に対して調整し得る。いくつかの例では、ブロック３２１５の動作は、図２１を参照して説明されたように、免許不要セル送信出力調整器２１４０によって実行され得る。
【０２６６】
[0286]したがって、方法２３００、２４００、２５００、２６００、２７００、２８００、２９００、３０００、３１００、および３２００は、ＬＴＥ−Ｕｎｌｉｃｅｎｓｅｄのための制御フローの改善をもたらし得る。方法２３００、２４００、２５００、２６００、２７００、２８００、２９００、３０００、３１００、および３２００は可能な実装形態を説明していること、ならびに動作およびステップは、他の実装形態が可能であるように、並べ替えられるかまたは場合によっては変更され得ることに留意されたい。いくつかの例では、方法２３００、２４００、２５００、２６００、２７００、２８００、２９００、３０００、３１００、および３２００のうちの２つ以上からの態様が組み合わされ得る。
【０２６７】
[0287]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜、様々なプロシージャまたは構成要素を省略し、置換し、または追加し得る。また、いくつかの例に関して説明される特徴は、他の例においては組み合わされ得る。
【０２６８】
[0288]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなどの、様々なワイヤレス通信システムに使用され得る。「システム」および「ネットワーク」という用語はしばしば互換的に使用される。符号分割多元接続（ＣＤＭＡ）システムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。時分割多元接続（ＴＤＭＡ）システムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。直交周波数分割多元接続（ＯＦＤＭＡ）システムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ  Ａｄｖａｎｃｅｄ（ＬＴＥ−ａ）は、Ｅ−ＵＴＲＡを使用するＵｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）の新しいリリースである。ＵＴＲＡ、Ｅ−ＵＴＲＡ、Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ（ＵＭＴＳ）、ＬＴＥ、ＬＴＥ−Ａ、およびＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述されたシステムおよび無線技術ならびに他のシステムおよび無線技術に使用され得る。しかしながら、本明細書の説明は、例としてＬＴＥシステムを説明し、上記の説明の大部分においてＬＴＥ用語が使用されるが、本技法はＬＴＥ適用例以外に適用可能である。
【０２６９】
[0289]本明細書で説明されたそのようなネットワークを含むＬＴＥ／ＬＴＥ−ａネットワークでは、ｅｖｏｌｖｅｄ  ｎｏｄｅ  Ｂ（ｅＮＢ）という用語は一般に、基地局を表すために使用され得る。本明細書で説明された１つまたは複数のワイヤレス通信システムは、異なるタイプのｅＮＢが様々な地理的領域にカバレッジを与える、異種ＬＴＥ／ＬＴＥ−ａネットワークを含み得る。たとえば、各ｅＮＢまたは基地局は、マクロセル、スモールセル、または他のタイプのセルに通信カバレッジを与え得る。「セル」という用語は、文脈に応じて、基地局、基地局と関連付けられるキャリアもしくはコンポーネントキャリア、またはキャリアもしくは基地局のカバレッジエリア（たとえば、セクタなど）を表すために使用され得る３ＧＰＰ用語である。
【０２７０】
[0290]基地局は、基地トランシーバ局、無線基地局、アクセスポイント、無線トランシーバ、ノードＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語を含むことがあり、またはそのように当業者によって呼ばれることがある。基地局のための地理的カバレッジエリアは、カバレッジエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレッジエリアがあり得る。
【０２７１】
[0291]マクロセルは一般に、比較的大きい地理的エリア（たとえば、半径数キロメートル）をカバーしており、ネットワークプロバイダのサービスに加入しているＵＥによる無制限アクセスを可能にし得る。スモールセルは、マクロセルと同じまたは異なる（たとえば、免許、免許不要などの）周波数帯域で動作し得る、マクロセルと比較して低電力の基地局である。スモールセルは、様々な例によれば、ピコセルと、フェムトセルと、マイクロセルとを含み得る。ピコセルは、たとえば、小さい地理的エリアをカバーすることができ、ネットワークプロバイダのサービスに加入しているＵＥによる無制限アクセスを可能にし得る。また、フェムトセルは、小さい地理的エリア（たとえば、自宅）をカバーすることができ、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、中継基地局などを含む、様々なタイプの基地局およびネットワーク機器と通信することが可能であり得る。
【０２７２】
[0292]本明細書で説明される１つまたは複数のワイヤレス通信システムは、同期動作または非同期動作をサポートし得る。同期動作の場合、基地局は、同様のフレームタイミングを有することがあり、異なる基地局からの送信は、時間的にほぼアラインされることがある。非同期動作の場合、基地局は、異なるフレームタイミングを有することがあり、異なる基地局からの送信は、時間的にアラインされないことがある。本明細書で説明される技法は、同期動作または非同期動作のいずれかのために使用され得る。
【０２７３】
[0293]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含むことがあり、ここで、各キャリアは、複数のサブキャリアからなる信号（たとえば、異なる周波数の波形信号）であり得る。各々の変調された信号は、異なるサブキャリア上で送信されることがあり、制御情報（たとえば、基準信号、制御チャネルなど）、オーバーヘッド情報、ユーザデータなどを搬送することがある。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０２７４】
[0294]添付の図面に関して本明細書で説明される説明は、例示的な構成を説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。しかしながら、これらの技法は、これらの具体的な詳細なしに実践され得る。いくつかの事例では、説明された例の概念を不明瞭にすることを回避するために、よく知られている構造およびデバイスがブロック図の形式で示される。
【０２７５】
[0295]添付の図では、同様の構成要素または特徴は同じ参照ラベルを有し得る。さらに、同じタイプの様々な構成要素は、参照ラベルの後に、ダッシュと、同様のコンポーネントを区別する第２のラベルとを続けることによって区別され得る。第１の参照ラベルだけが本明細書において使用される場合、その説明は、第２の参照ラベルにかかわらず、同じ第１の参照ラベルを有する同様の構成要素のいずれにも適用可能である。
【０２７６】
[0296]本明細書で説明される情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２７７】
[0297]本明細書の開示に関して説明される様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、デジタル信号プロセッサ（ＤＳＰ）とマイクロプロセッサの組合せ、複数のマイクロプロセッサ、ＤＳＰコアと連携する１つもしくは複数のマイクロプロセッサ、または任意の他のそのような構成）として実装され得る。
【０２７８】
[0298]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令もしくはコードとしてコンピュータ可読媒体上に記憶されるか、またはコンピュータ可読媒体を介して送信され得る。他の例および実装形態が、本開示の範囲内および添付の特許請求の範囲内に入る。たとえば、ソフトウェアの性質に起因して、上で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理的位置において実装されるように分散されることを含めて、様々な場所に物理的に位置し得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０２７９】
[0299]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され汎用もしくは専用コンピュータまたは汎用もしくは専用プロセッサによってアクセスされ得る、任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２８０】
[0300]本明細書の説明は、当業者が本開示を作成または使用することができるように与えられた。本開示への様々な変更が当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の特徴に合致する最も広い範囲を与えられるべきである。
【図１】
2019036968.tif 000003
【図２】
2019036968.tif 000004
【図３Ａ】
2019036968.tif 000005
【図３Ｂ】
2019036968.tif 000006
【図３Ｃ】
2019036968.tif 000007
【図４Ａ】
2019036968.tif 000008
【図４Ｂ】
2019036968.tif 000009
【図５Ａ】
2019036968.tif 000010
【図５Ｂ】
2019036968.tif 000011
【図６】
2019036968.tif 000012
【図７】
2019036968.tif 000013
【図８Ａ】
2019036968.tif 000014
【図８Ｂ】
2019036968.tif 000015
【図９】
2019036968.tif 000016
【図１０】
2019036968.tif 000017
【図１１】
2019036968.tif 000018
【図１２】
2019036968.tif 000019
【図１３】
2019036968.tif 000020
【図１４】
2019036968.tif 000021
【図１５】
2019036968.tif 000022
【図１６】
2019036968.tif 000023
【図１７】
2019036968.tif 000024
【図１８】
2019036968.tif 000025
【図１９】
2019036968.tif 000026
【図２０】
2019036968.tif 000027
【図２１】
2019036968.tif 000028
【図２２】
2019036968.tif 000029
【図２３】
2019036968.tif 000030
【図２４】
2019036968.tif 000031
【図２５】
2019036968.tif 000032
【図２６】
2019036968.tif 000033
【図２７】
2019036968.tif 000034
【図２８】
2019036968.tif 000035
【図２９】
2019036968.tif 000036
【図３０】
2019036968.tif 000037
【図３１】
2019036968.tif 000038
【図３２】
2019036968.tif 000039
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信のための方法であって、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、セルの第２のセットのためのジョイント許可を搬送するために構成されるセルの前記第２のセットの少なくとも１つのジョイント探索空間を備える、と
を備える、方法。
【請求項２】
前記送信のために成功裏に予約された、関連する周波数チャネルを有する前記複数のセルのサブセットを決定することをさらに備える、
請求項１に記載の方法。
【請求項３】
ＵＥ固有識別子に少なくとも一部基づいて、前記複数のセルの前記サブセットからセルの前記第２のセットを決定することをさらに備える、
請求項２に記載の方法。
【請求項４】
セルの前記第２のセットは、専用周波数スペクトル帯域において動作する免許セルを備える、
請求項１に記載の方法。
【請求項５】
ユーザ機器（ＵＥ）におけるワイヤレス通信のための装置であって、
共有周波数スペクトル帯域上での基地局からの送信において複数のセルを識別するための手段、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別するための手段、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別するための手段、前記第２のスケジューリング構成は、セルの第２のセットのためのジョイント許可を搬送するために構成されるセルの前記第２のセットの少なくとも１つのジョイント探索空間を備える、と
を備える、装置。
【請求項６】
前記送信のために成功裏に予約された、関連する周波数チャネルを有する前記複数のセルのサブセットを決定するための手段をさらに備える、
請求項５に記載の装置。
【請求項７】
ＵＥ固有識別子に少なくとも一部基づいて、前記複数のセルの前記サブセットからセルの前記第２のセットを決定するための手段をさらに備える、
請求項６に記載の装置。
【請求項８】
ユーザ機器（ＵＥ）におけるワイヤレス通信のための装置であって、
プロセッサと、
前記プロセッサと電気的に通信しているメモリと、
前記メモリに記憶された命令と
を備え、前記命令は、前記プロセッサによって実行されると、前記装置に、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、セルの第２のセットのためのジョイント許可を搬送するために構成されるセルの前記第２のセットの少なくとも１つのジョイント探索空間を備える、と
を行わせるように動作可能である、装置。
【請求項９】
前記命令は、前記プロセッサによって実行されると、前記装置に、
前記送信のために成功裏に予約された、関連する周波数チャネルを有する前記複数のセルのサブセットを決定することを行わせるように動作可能である、
請求項８に記載の装置。
【請求項１０】
前記命令は、前記プロセッサによって実行されると、前記装置に、
ＵＥ固有識別子に少なくとも一部基づいて、前記複数のセルの前記サブセットからセルの前記第２のセットを決定することを行わせるように動作可能である、
請求項９に記載の装置。
【請求項１１】
ユーザ機器（ＵＥ）におけるワイヤレス通信のためのコードを記憶する非一時的コンピュータ可読媒体であって、前記コードは、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別し、前記第１のスケジューリング構成は、前記複数のセルのそれぞれのセルのための個別許可を搬送するために構成されるセルの第１のセットの１つまたは複数の探索空間を備える、
サブフレームの前記第１のセットに後続する前記送信のサブフレームの第２のセットのための第２のスケジューリング構成を識別すること、前記第２のスケジューリング構成は、セルの第２のセットのためのジョイント許可を搬送するために構成されるセルの前記第２のセットの少なくとも１つのジョイント探索空間を備える、と
を行うように実行可能な命令を備える、非一時的コンピュータ可読媒体。
【手続補正２】
【補正対象書類名】明細書
【補正対象項目名】０２８０
【補正方法】変更
【補正の内容】
【０２８０】
[0300]本明細書の説明は、当業者が本開示を作成または使用することができるように与えられた。本開示への様々な変更が当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ユーザ機器（ＵＥ）におけるワイヤレス通信のための方法であって、
共有周波数スペクトル帯域の中のセカンダリセルを使用する通信のための構成を識別すること、ここにおいて、前記セカンダリセルを介した送信は、共有周波数チャネルのためのリッスンビフォートーク（ＬＢＴ）プロシージャに従う、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を備える、方法。
［Ｃ２］
前記クロスサブフレームインジケータは、前記共有周波数スペクトル帯域の異なるセカンダリセルを通じて受信される、
［Ｃ１］に記載の方法。
［Ｃ３］
前記クロスサブフレームインジケータは、専用周波数スペクトル帯域において動作する免許セルを通じて受信される、
［Ｃ１］に記載の方法。
［Ｃ４］
前記クロスサブフレームインジケータは、前記免許セルのダウンリンク制御チャネルを介して受信されるダウンリンク制御情報（ＤＣＩ）フォーマットのフィールドを備える、
［Ｃ３］に記載の方法。
［Ｃ５］
前記クロスサブフレームインジケータは、インジケータチャネルにおいて前記セカンダリセルを通じて、または、前記セカンダリセルのダウンリンク制御チャネルを介して受信されるダウンリンク制御情報（ＤＣＩ）フォーマットのフィールドを通じて受信される、
［Ｃ１］に記載の方法。
［Ｃ６］
専用周波数スペクトル帯域において動作する免許セルに対して同期していないシンボルタイミングを前記少なくとも１つのサブフレームが有すると識別することと、
前記送信と関連付けられる検出されたシンボルプリアンブルに基づいて、少なくとも１つの基準信号のための前記少なくとも１つのサブフレーム内の１つまたは複数のシンボル位置を決定することとをさらに備える、
［Ｃ１］に記載の方法。
［Ｃ７］
ユーザ機器（ＵＥ）におけるワイヤレス通信のための装置であって、
共有周波数スペクトル帯域の中のセカンダリセルを使用する通信のための構成を識別するための手段、ここにおいて、前記セカンダリセルを介した送信は、共有周波数チャネルのためのリッスンビフォートーク（ＬＢＴ）プロシージャに従う、と、
複数のサブフレームを備える前記セカンダリセルからの送信を識別するための手段と、
クロスサブフレームインジケータに少なくとも一部基づいて、前記送信の少なくとも１つのサブフレームのための基準信号構成を決定するための手段と
を備える、装置。
［Ｃ８］
前記決定するための手段は、少なくとも１つの基準信号構成と関連付けられる最初に送信されるサブフレームのセットを識別する、
［Ｃ７］に記載の装置。
［Ｃ９］
前記クロスサブフレームインジケータは、前記共有周波数スペクトル帯域の異なるセカンダリセルを通じて受信される、
［Ｃ７］に記載の装置。
［Ｃ１０］
専用周波数スペクトル帯域において動作する免許セルに対して同期していないシンボルタイミングを前記少なくとも１つのサブフレームが有すると識別するための手段と、
前記送信と関連付けられる検出されたシンボルプリアンブルに少なくとも一部基づいて、少なくとも１つの基準信号のための前記少なくとも１つのサブフレーム内の１つまたは複数のシンボル位置を決定するための手段とをさらに備える、
［Ｃ７］に記載の装置。
［Ｃ１１］
ユーザ機器（ＵＥ）におけるワイヤレス通信のための装置であって、
プロセッサと、
前記プロセッサと電気的に通信しているメモリと、
前記メモリに記憶された命令と
を備え、前記命令は、前記プロセッサによって実行されると、前記装置に、
共有周波数スペクトル帯域の中のセカンダリセルを使用する通信のための構成を識別すること、ここにおいて、前記セカンダリセルを介した送信が、共有周波数チャネルのためのリッスンビフォートーク（ＬＢＴ）プロシージャに従う、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を行わせるように動作可能である、装置。
［Ｃ１２］
前記クロスサブフレームインジケータは、前記共有周波数スペクトル帯域の異なるセカンダリセルを通じて受信される、
［Ｃ１１］に記載の装置。
［Ｃ１３］
前記命令は、前記プロセッサによって実行されると、前記装置に、
専用周波数スペクトル帯域において動作する免許セルに対して同期していないシンボルタイミングを前記少なくとも１つのサブフレームが有すると識別することと、
前記送信と関連付けられる検出されたシンボルプリアンブルに少なくとも一部基づいて、少なくとも１つの基準信号のための前記少なくとも１つのサブフレーム内の１つまたは複数のシンボル位置を決定することと
を行なわせるように動作可能である、［Ｃ１１］に記載の装置。
［Ｃ１４］
ユーザ機器（ＵＥ）におけるワイヤレス通信のためのコードを記憶する非一時的コンピュータ可読媒体であって、前記コードは、
共有周波数スペクトル帯域の中のセカンダリセルを使用する通信のための構成を識別すること、ここにおいて、前記セカンダリセルを介した送信は、共有周波数チャネルのためのリッスンビフォートーク（ＬＢＴ）プロシージャに従う、と、
複数のサブフレームを備える前記セカンダリセルからの送信を識別することと、
クロスサブフレームインジケータに少なくとも一部基づいて、前記送信の少なくとも１つのサブフレームのための基準信号構成を決定することと
を行うように実行可能な命令を備える、非一時的コンピュータ可読媒体。
［Ｃ１５］
ユーザ機器（ＵＥ）におけるワイヤレス通信のための方法であって、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を備える、方法。
［Ｃ１６］
前記送信のために成功裏に予約された、関連する周波数チャネルを有する前記複数のセルのサブセットを決定することをさらに備える、
［Ｃ１５］に記載の方法。
［Ｃ１７］
ＵＥ固有識別子に少なくとも一部基づいて、前記複数のセルの前記サブセットから前記少なくとも１つのセルを決定することをさらに備える、
［Ｃ１６］に記載の方法。
［Ｃ１８］
前記少なくとも１つのセルは、専用周波数スペクトル帯域において動作する免許セルを備える、
［Ｃ１５］に記載の方法。
［Ｃ１９］
ユーザ機器（ＵＥ）におけるワイヤレス通信のための装置であって、
共有周波数スペクトル帯域上での基地局からの送信において複数のセルを識別するための手段、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別するための手段、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別するための手段、前記第２のスケジューリング構成は、前記複数のセルのためのジョイント許可と関連付けられる少なくとも１つのセルの少なくとも１つの探索空間を備える、と
を備える、装置。
［Ｃ２０］
前記送信のために成功裏に予約された、関連する周波数チャネルを有する前記複数のセルのサブセットを決定するための手段をさらに備える、
［Ｃ１９］に記載の装置。
［Ｃ２１］
ＵＥ固有識別子に少なくとも一部基づいて、前記複数のセルの前記サブセットから前記少なくとも１つのセルを決定するための手段をさらに備える、
［Ｃ２０］に記載の装置。
［Ｃ２２］
ユーザ機器（ＵＥ）におけるワイヤレス通信のための装置であって、
プロセッサと、
前記プロセッサと電気的に通信しているメモリと、
前記メモリに記憶された命令と
を備え、前記命令は、前記プロセッサによって実行されると、前記装置に、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別すること、前記第１のスケジューリング構成は、前記複数のセルのそれぞれのセルのための個別許可を搬送するために構成されるセルの第１のセットの１つまたは複数の探索空間を備える、と、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を行わせるように動作可能である、装置。
［Ｃ２３］
前記命令は、前記プロセッサによって実行されると、前記装置に、
前記送信のために成功裏に予約された、関連する周波数チャネルを有する前記複数のセルのサブセットを決定することを行わせるように動作可能である、
［Ｃ２２］に記載の装置。
［Ｃ２４］
前記命令は、前記プロセッサによって実行されると、前記装置に、
ＵＥ固有識別子に少なくとも一部基づいて、前記複数のセルの前記サブセットから前記少なくとも１つのセルを決定することを行わせるように動作可能である、
［Ｃ２３］に記載の装置。
［Ｃ２５］
ユーザ機器（ＵＥ）におけるワイヤレス通信のためのコードを記憶する非一時的コンピュータ可読媒体であって、前記コードは、
共有周波数スペクトル帯域上での基地局からの送信において複数のセルを識別すること、ここにおいて、前記送信は、共有周波数チャネルのためのリッスンビフォートーク（ＬＢＴ）プロシージャに従う、と、
前記送信のサブフレームの第１の最初に送信されるセットのための第１のスケジューリング構成を識別し、前記第１のスケジューリング構成が、前記複数のセルのそれぞれのセルのための個別許可を搬送するために構成されるセルの第１のセットの１つまたは複数の探索空間を備える、
サブフレームの前記第１のセットに後続する前記送信のサブフレームの第２のセットのための第２のスケジューリング構成を識別すること、前記第２のスケジューリング構成は、前記複数のセルのためのジョイント許可と関連付けられる少なくとも１つのセルの少なくとも１つの探索空間を備える、と
を行うように実行可能な命令を備える、非一時的コンピュータ可読媒体。
【外国語明細書】
2019036968000001.pdf